(57)【要約】  本発明は放送広告データ自動露出制御システム及びその方法に関するもので、放送番組を視聴する際、視聴者の希望により他の放送チャンネルの画面に変更する時、出力される新しいチャンネル画面の下段所定部に広告データを一定時間出力することで、広告出力に対する拒否感を最小化し、且つ広告主の負担を軽減し、サーチしようとする放送番組に関する視覚的な連続性を担保できる放送広告データ自動露出制御システム及びその方法を提供することにその目的がある。  本発明を適用すれば、放送番組検索のためのチャンネルの変更時や電源オン／オフ時、当該放送番組を出力させながら別途の広告データを同一画面に出力させることで、放送番組の連続性を維持し、且つ広告データを露出させることができる長所がある。また、その広告データの露出による広告費用を累積して一定時間間隔で自動抽選を実行して広告視聴者に視聴の対価を補償するようになるので、広告視聴時間が増加させることができ、広告の集中力を増加させることのできる長所がある。さらに、ローカル広告データの出力時自動で芸能人イメージが挿入されるようにして、低廉な肖像権料を通じて広告を進行でき、芸能人はＣＦ撮影活動以外に付加的な広告収益を得ることができる長所がある。
2011514069.tif 000002
【特許請求の範囲】
【請求項１】
画面出力領域１００に構成された放送データ出力領域２００に放送データを出力し、広告出力条件を満たす時に画面出力領域の下段に広告データ出力領域３００を分割生成して広告データを一定時間出力する放送出力端末２ａ〜２ｎと;
中継局や中継衛星の中継網を通じて放送データを前記放送出力端末２ａ〜２ｎに伝送するための放送データ伝送サーバー４と;
広告データ及び広告情報を広告データ伝送サーバー６に伝送するための広告主端末１０ａ〜１０ｎと;
多数の前記広告主端末１０ａ〜１０ｎから伝送された広告データを格納し、この広告データを前記放送出力端末２ａ〜２ｎに伝送する広告データ伝送サーバー６を含んで構成されることを特徴とする放送広告データ自動露出制御システム。
【請求項２】
前記放送出力端末２ａ〜２ｎはＩＰＴＶ、ＤＭＢフォン、ＤＭＢ衛星ナビゲーションを含む端末であることを特徴とする請求項１に記載の放送広告データ自動露出制御システム。
【請求項３】
前記放送出力端末２ａ〜２ｎは広告データの受信時有／無線インターネット網を通じて受信するように構成されることを特徴とする請求項１に記載の放送広告データ自動露出制御システム。
【請求項４】
前記放送出力端末２ａ〜２ｎに対する前記広告出力条件は前記放送出力端末２ａ〜２ｎの電源をオンする時、電源をオフする時、及び前記放送出力端末２ａ〜２ｎを通じて視聴者がチャンネル変更を試みようとする信号の流入時であることを特徴とする請求項１に記載の放送広告データ自動露出制御システム。
【請求項５】
前記放送出力端末２ａ〜２ｎは、その画面に出力される広告データが地域性を考慮したローカル広告データであり、前記放送出力端末２ａ〜２ｎの地域コードを前記広告データ伝送サーバー６に伝送するように設定されることを特徴とする請求項１に記載の放送広告データ自動露出制御システム。
【請求項６】
前記放送出力端末２ａ〜２ｎは前記広告データ伝送サーバー６とのセッション設定時、前記放送出力端末２ａ〜２ｎの地域コードまたは固有コードを伝送するように設定することで、前記放送出力端末２ａ〜２ｎの位置地域を前記広告データ伝送サーバー６により判断し、これを分類できることを特徴とする請求項５に記載の放送広告データ自動露出制御システム。
【請求項７】
前記放送出力端末２ａ〜２ｎは広告視聴時間や、広告出力頻度数をチェックして前記広告データ伝送サーバー６に伝送するように設定されることを特徴とする請求項１に記載の放送広告データ自動露出制御システム。
【請求項８】
前記放送出力端末２ａ〜２ｎは放送データ出力途中チャンネル変換信号の流入時、一定時間だけ既に格納された広告データが出力され、一定時間の経過後には広告データが除去され、元の放送データに戻すように設定されることを特徴とする請求項１に記載の放送広告データ自動露出制御システム。
【請求項９】
前記放送出力端末２ａ〜２ｎは前記広告データ伝送サーバー６から一定時間間隔で広告データを受信して更新格納したり、リアルタイムに前記広告データ伝送サーバー６から広告データを受信して更新格納することを特徴とする請求項１に記載の放送広告データ自動露出制御システム。
【請求項１０】
前記放送出力端末２ａ〜２ｎは、その広告出力領域３００にイメージ出力領域３０２と、抽選情報または当選金額情報、割引情報を含んだイベント情報出力領域３０６をさらに含むことを特徴とする請求項１に記載の放送広告データ自動露出制御システム。
【請求項１１】
前記放送出力端末２ａ〜２ｎは前記広告出力領域３００を通じて出力される広告データの格納時に格納順序に基づいて一定の順番を自動で与え、当該順番通り広告出力条件を満たした時に出力されるように設定されることを特徴とする請求項１に記載の放送広告データ自動露出制御システム。
【請求項１２】
前記放送出力端末２ａ〜２ｎは、その内部に放送アクセスネットワークまたはインターネット網に接続して前記放送データ伝送サーバー４及び広告データ伝送サーバー６とのデータ送受信を行い、プロトコルマッチング及びフィルターリングを行う通信モジュールと;視聴者の広告データ出力設定信号、広告データの画面比率調整信号、広告データの詳細情報確認信号、チャンネル変換信号、及び電源オン／オフ信号に対するリモコン信号を受信するためのリモコン情報受信部と;前記放送出力端末２ａ〜２ｎを通じて出力される放送データ及び広告データの出力を制御するための画面出力制御部と;前記画面出力制御部１６と連動して前記広告データ伝送サーバー６から伝送された広告データを画面領域に挿入して出力するように制御する広告挿入制御部と;前記放送データ伝送サーバー４から伝送されたデジタル放送データを受信して前記放送出力端末２ａ〜２ｎを通じて出力するように制御する公知の放送データ出力制御部と;前記放送データ伝送サーバー４から伝送されたデジタル放送データを受信して録画格納するための放送データ録画制御部と;前記広告データ伝送サーバー６から伝送された広告データを格納し、端末固有番号情報を格納し、視聴者の広告データ出力設定信号、広告データの画面比率調整信号を受信し、その設定情報を格納するためのデータ格納部と;前記リモコン情報受信部１４を通じて広告データの画面出力に対する設定信号を受信し、前記広告データ伝送サーバー６から広告データを受信して格納した状態で、前記リモコン情報受信部１４から広告出力条件信号を受信すると、広告データを一定時間出力するように制御するための制御部と;前記制御部２６の内部に備えられて広告出力時間を演算するためのタイマーを含むことを特徴とする請求項１に記載の放送広告データ自動露出制御システム。
【請求項１３】
前記制御部２６は前記リモコン情報受信部１４から出力される広告データの比率を調整するための信号を受信し、前記画面出力制御部１６に制御信号を発生して広告データの出力サイズを調整するための制御ルーチンが設定されることを特徴とする請求項１２に記載の放送広告データ自動露出制御システム。
【請求項１４】
前記制御部２６は前記タイマー２６ａと連動して広告出力時間を累積演算し、一定時間間隔毎に前記広告データ伝送サーバー６に当該広告出力時間情報を伝送するように設定されることを特徴とする請求項１２に記載の放送広告データ自動露出制御システム。
【請求項１５】
前記放送出力端末２ａ〜２ｎは、その内部に広告データ出力モードを視聴者が設定し、前記広告出力領域３００のサイズに対する比率を調整するためのキー入力部をさらに含むことを特徴とする請求項１２に記載の放送広告データ自動露出制御システム。
【請求項１６】
前記広告データ伝送サーバー６は前記放送出力端末２ａ〜２ｎから出力される広告データが、その放送出力端末２ａ〜２ｎの地域を反映したローカル広告として出力させるために、各放送出力端末２ａ〜２ｎの位置情報に固有コードを与えて前記広告データ伝送サーバー６の内部に格納し、さらに当該固有コードを各地域別に分類することを特徴とする請求項１に記載の放送広告データ自動露出制御システム。
【請求項１７】
前記広告データ伝送サーバー６は前記放送出力端末２ａ〜２ｎから一定時間間隔、または前記放送出力端末２ａ〜２ｎの電源オフ時に当該放送出力端末２ａ〜２ｎを通じて既に出力された広告出力時間情報を受信し、広告を出力させた視聴者に出力時間に比例した補償を行うように設定されることを特徴とする請求項１に記載の放送広告データ自動露出制御システム。
【請求項１８】
前記広告データ伝送サーバー６は、その内部に前記放送出力端末２ａ〜２ｎと、広告主端末１０ａ〜１０ｎとのデータ通信を通じて各種データのアップロード／ダウンロードを行い、プロトコルマッチングやデータフィルターリングを行うための通信モジュールと;前記放送出力端末２ａ〜２ｎと、広告主端末１０ａ〜１０ｎを通じてデータ伝送を行おうとする視聴者及び広告主の真偽を判断するために認証を行う認証処理部と;前記広告主端末１０ａ〜１０ｎから広告データを受信して格納し、その広告データに業者イベント情報及びイメージ情報を含むデータを生成して前記放送出力端末２ａ〜２ｎに伝送する広告データ生成部と;前記広告データ生成部３２と連動して業者イベント情報及びイメージ情報を広告データ内部に挿入するための挿入データ組合せ部と;前記放送出力端末２ａ〜２ｎと、広告主端末１０ａ〜１０ｎの端末固有コード情報を管理し、受信するデータを固有コード別に分類するための端末情報管理部と;広告主が予め引き落とした広告費用情報、及び地域情報を含んだ身上情報を管理するための広告主情報管理部と;前記放送出力端末２ａ〜２ｎを通じて出力される広告データの出力時間に比例して広告費用を精算処理するための広告費用精算部と;視聴者及び広告主の真偽を判断するための認証情報を格納する認証情報ＤＢと;前記広告主端末１０ａ〜１０ｎから伝送された広告データを格納する広告ＤＢと;前記放送出力端末２ａ〜２ｎと、広告主端末１０ａ〜１０ｎの端末固有コード情報、及びその固有コード情報とマッチングされる地域情報を格納する端末情報ＤＢと;広告主が予め引き落とした広告費用情報、及び地域情報を含んだ身上情報を格納するための広告主情報ＤＢと;広告主の広告出力費用精算情報を格納するための広告費用精算ＤＢと;前記広告主端末１０ａ〜１０ｎから広告データを受信して格納し、前記放送出力端末２ａ〜２ｎから広告出力要請信号及び当該端末情報を受信して登録し、広告データに業者イベント情報及びイメージ情報を含んだ広告データを生成し、この広告データを一定時間間隔で前記放送出力端末２ａ〜２ｎに伝送する制御部を含んで構成されることを特徴とする請求項１に記載の放送広告データ自動露出制御システム。
【請求項１９】
前記制御部４４は前記放送出力端末２ａ〜２ｎの地域情報を受信し、その固有コードとマッチングさせて地域別に分類することで、広告主が望む地域単位のローカル広告データが各放送出力端末２ａ〜２ｎ別に伝送されるように制御することを特徴とする請求項１８に記載の放送広告データ自動露出制御システム。
【請求項２０】
広告データ伝送サーバー６が多数の広告主端末１０ａ〜１０ｎから広告データを受信して各広告主別に登録処理する第１過程と;
前記広告データ伝送サーバー６が多数の広告データを放送出力端末２ａ〜２ｎに伝送する第２過程と;
前記放送出力端末２ａ〜２ｎが前記広告データ伝送サーバー６から伝送された広告データを格納する第３過程と;
前記放送出力端末２ａ〜２ｎが地上波、衛星放送、ケーブル放送の放送データを画面に出力する第４過程と;
前記放送出力端末２ａ〜２ｎが広告出力条件を満たすかどうかを判断する第５過程と;
当該広告出力条件を満たすと、内部に既に格納された広告データを抽出して画面に出力する第６過程と;
前記放送出力端末２ａ〜２ｎが広告データの出力が開始した時点からタイマー２６ａを駆動して、予め設定された一定時間になったかを判断する第７過程と;
既設定時間になると当該前記放送出力端末２ａ〜２ｎを通じて画面に出力される広告データを除去して元の放送データ出力画面に復帰させる第８過程を含んで構成されることを特徴とする放送広告データ自動露出制御方法。
【請求項２１】
前記第１過程は、広告データ伝送サーバー６が前記広告データの内部に当該広告主の業者イベント情報をさらに挿入して伝送する広告データを生成する過程をさらに含むことを特徴とする請求項２０に記載の放送広告データ自動露出制御方法。
【請求項２２】
前記第２過程で前記広告データ伝送サーバー６は前記一定時間間隔で更新された広告データを放送出力端末２ａ〜２ｎに伝送したり、リアルタイムに受け付けた広告データを伝送することを特徴とする請求項２０に記載の放送広告データ自動露出制御方法。
【請求項２３】
前記第２過程で前記広告データ伝送サーバー６は各放送出力端末２ａ〜２ｎの地域コード情報とマッチングされる広告データだけを各放送出力端末２ａ〜２ｎ別に選別して伝送することを特徴とする請求項２０に記載の放送広告データ自動露出制御方法。
【請求項２４】
前記第５過程はその広告出力条件でチャンネル転換信号、電源オン／オフ信号の流入可否を判断する過程であることを特徴とする請求項２０に記載の放送広告データ自動露出制御方法。
【請求項２５】
前記第６過程は画面出力領域１００に出力される放送データを一定比率で縮小し、その残り空間に抽出した広告データを出力する過程であることを特徴とする請求項２０に記載の放送広告データ自動露出制御方法。
【請求項２６】
前記第６過程を通じて出力される広告データは格納時に格納順序に基づいて一定の順番を自動で与え、広告出力条件を満たす時その順序に基づいて出力することを特徴とする請求項２０に記載の放送広告データ自動露出制御方法。
【請求項２７】
前記第８過程以後に既に設定された時間にならない時点で、他のチャンネルへの変更信号が印加されるかを判断する第９過程と;
他のチャンネルへの変更信号が印加された場合に、新規の広告データを画面に出力する第６過程に戻す過程をさらに含むことを特徴とする請求項２０に記載の放送広告データ自動露出制御方法。
【請求項２８】
前記第６過程は自動で放送データを所定比率で縮小し、広告データをその余白空間に挿入させて出力する画面分割過程をさらに含むことを特徴とする請求項２０に記載の放送広告データ自動露出制御方法。
【請求項２９】
地上波及び衛星放送、ケーブル放送チャンネル信号を受信して放送データを画面に出力し、広告データを受信して格納し、広告出力条件を満たすかどうかを判断し、広告出力条件を満たすと当該広告データを放送データと共に画面に出力し、その端末の固有番号及び広告視聴時間情報を遠隔サーバーに伝送するための放送出力端末２’ａ〜２’ｎと;
予め多数の広告主端末１０ａ〜１０ｎから伝送された広告データを格納し、前記広告データを放送出力端末２’ａ〜２’ｎに伝送し、広告主が広告視聴の対価として各視聴者に支払う費用を合算して一定時間間隔毎に抽選を行い、当選者に当選金額を支払う広告データ伝送サーバー６’を含んで構成されることを特徴とする放送広告データ自動露出制御システム。
【請求項３０】
前記広告データ伝送サーバー６’は各放送出力端末２’ａ〜２’ｎ別に広告視聴時間情報及び端末固有番号を受信し、広告を出力させた視聴者に出力時間に比例した補償を行うように制御ルーチンが設定されることを特徴とする請求項２９に記載の放送広告データ自動露出制御システム。
【請求項３１】
前記広告データ伝送サーバー６’は広告出力時間に比例して差別化した補償を行うために、抽選対象群を視聴者の広告出力時間に分類し、各群別当選金を差別して積み立てるように制御ルーチンが設定されることを特徴とする請求項３０に記載の放送広告データ自動露出制御システム。
【請求項３２】
前記放送出力端末２’ａ〜２’ｎは放送アクセスネットワークまたはインターネット網に接続して放送データ伝送サーバー４及び広告データ伝送サーバー６’とのデータ送受信を行い、プロトコルマッチング及びフィルターリングを行う通信モジュールと;視聴者の広告データ視聴設定信号、広告データの画面比率調整信号、広告データの詳細情報確認信号、チャンネル変換信号、及び電源オン／オフ信号に対するリモコン信号を受信するためのリモコン情報受信部と;前記放送出力端末２’ａ〜２’ｎを通じて出力される放送データ及び広告データの出力を制御するための画面出力制御部と;前記画面出力制御部１６と連動して前記広告データ伝送サーバー６’から伝送された広告データを画面領域に挿入して出力するように制御する広告挿入制御部と;前記放送データ伝送サーバー４から伝送されたデジタル放送データを受信して前記放送出力端末２’ａ〜２’ｎを通じて出力するように制御する放送データ出力制御部と;一定時間間隔で画面を通じて露出した広告データの視聴時間を累積演算する広告視聴時間判断部と;前記広告データ伝送サーバー６’から伝送された広告データを格納し、端末固有番号情報を格納し、視聴者の広告データ出力設定信号、広告データの画面比率調整信号を受信し、その設定情報を格納するためのデータ格納部と;前記リモコン情報受信部１４を通じて広告データの画面出力に対する設定信号を受信し、前記広告データ伝送サーバー６’から広告データを受信して格納した状態で、前記リモコン情報受信部１４から広告出力条件信号を受信すると、広告データを一定時間出力するように制御し、一定時間間隔で累積された広告視聴時間情報を前記広告データ伝送サーバー６’に伝送するように制御する制御部と;前記制御部２６’の内部に備えられて広告出力時間を演算するためのタイマーを含んで構成されることを特徴とする請求項２９に記載の放送広告データ自動露出制御システム。
【請求項３３】
前記広告データ伝送サーバー６’は、その内部に前記放送出力端末２’ａ〜２’ｎと、広告主端末１０ａ〜１０ｎとのデータ通信を通じて各種データのアップロード／ダウンロードを行い、プロトコルマッチングやデータフィルターリングを行うための通信モジュールと;前記放送出力端末２’ａ〜２’ｎと、広告主端末１０ａ〜１０ｎを通じてデータ伝送を行おうとする視聴者及び広告主の真偽を判断するために認証を行う認証処理部と;前記広告主端末１０ａ〜１０ｎから広告データを受信して格納し、その広告データに業者イベント情報及びイメージ情報を含むデータを生成して前記放送出力端末２ａ〜２ｎに伝送する広告データ生成部と;前記広告データ生成部３２と連動して業者イベント情報及びイメージ情報を広告データ内部に挿入するための挿入データ組合せ部と;視聴者の広告データ視聴により提供された広告視聴の対価の費用を累積して抽選や各種イベントゲームを進行し、ある一人の視聴者に提供できるようにイベント当選を管理するイベント当選管理部と;前記放送出力端末２’ａ〜２’ｎと、広告主端末１０ａ〜１０ｎの端末固有コード情報を管理し、受信するデータを固有コード別に分類するための端末情報管理部と;広告主が引き落とした広告費用情報、及び地域情報を含んだ身上情報を管理するための広告主情報管理部と;前記放送出力端末２’ａ〜２’ｎを通じて出力される広告データの出力時間に比例して広告主に請求する広告費用を演算し、精算処理するための広告費用精算部と;前記放送出力端末２’ａ〜２’ｎを通じて伝送された広告視聴時間情報を各端末別に累積演算し、全体端末の広告視聴時間情報を統合して当選金に設定するための広告視聴時間累積演算部と;視聴者及び広告主の真偽を判断するための認証情報を格納する認証情報ＤＢと;前記広告主端末１０ａ〜１０ｎから伝送された広告データを格納する広告ＤＢと;前記放送出力端末２’ａ〜２’ｎと、広告主端末１０ａ〜１０ｎの端末固有コード情報、及びその固有コード情報とマッチングされる地域情報を格納する端末情報ＤＢと;広告主が予め引き落とした広告費用情報、及び地域情報を含んだ身上情報を格納するための広告主情報ＤＢと;広告主の広告出力費用精算情報を格納するための広告費用精算ＤＢと;広告視聴時間情報を各端末別に累積演算し、全体端末別に統合した情報を格納するための広告視聴時間累積情報ＤＢと;統合した広告視聴時間に比例して広告主から提供された費用を抽選やゲームを通じて当選者に提供する情報を格納する当選情報ＤＢと;前記広告主端末１０ａ〜１０ｎから広告データを受信して格納し、前記放送出力端末２’ａ〜２’ｎから広告出力要請信号及び当該端末情報を受信して登録し、広告データに業者イベント情報及びイメージ情報を含んだ広告データを生成して一定時間間隔で前記広告データを放送出力端末２’ａ〜２’ｎに伝送し、その放送出力端末２’ａ〜２’ｎから伝送された広告視聴時間情報を累積演算し、それに比例して広告主との広告費用を精算処理し、抽選やゲームを通じてある一人の当選者を選定して広告費用を当選金として支払う制御部を含んで構成されることを特徴とする請求項２９に記載の放送広告データ自動露出制御システム。
【請求項３４】
放送出力端末２’ａ〜２’ｎが視聴者の外部キー信号を受信して広告視聴モードに設定する第１過程と;
前記放送出力端末２’ａ〜２’ｎがチャンネル変換時に放送データと共に予め伝送されて格納された広告データを画面に出力する第２過程と;
前記放送出力端末２’ａ〜２’ｎが広告視聴時間を自動でチェックして累積演算する第３過程と;
リアルタイムまたは一定時間間隔で前記広告視聴時間情報及び端末情報を広告データ伝送サーバー６’に伝送して自動で抽選やゲームイベントに応募処理する第４過程と;
前記広告データ伝送サーバー６’が前記放送出力端末２’ａ〜２’ｎから広告視聴時間情報及び端末情報を受信して格納し、その広告視聴時間による広告費用を演算して広告主と精算処理する第５過程と;
前記広告データ伝送サーバー６’が一定時間間隔毎に累積した広告費用に対してある一人の視聴者を抽選する第６過程と;
前記広告データ伝送サーバー６’が広告費用の累積分の当選金をリセットさせる第７過程を含んで構成されることを特徴とする放送広告データ自動露出制御方法。
【請求項３５】
地上波及び衛星放送、ケーブル放送チャンネル信号を受信して放送データを画面に出力し、広告データを受信して格納し、広告出力条件を満たすかどうかを判断し、広告出力条件を満たすと当該広告データを放送データと共に画面に出力し、その端末の固有番号及び広告出力領域３００のサイズ情報を広告データ伝送サーバー６に伝送するための放送出力端末２ａ〜２ｎと;
予め多数の広告主端末１０ａ〜１０ｎから伝送された広告データを格納し、前記広告データを放送出力端末２’ａ〜２’ｎに伝送し、各放送出力端末２ａ〜２ｎから広告出力領域３００のサイズ情報をそれぞれ伝送し、広告出力領域３００のサイズ別に視聴者群を分類し、分類した視聴者群別に差等化された当選金を設定し、各視聴者群別に別途の抽選を通じて当選者を決定して当選金額を支払う広告データ伝送サーバー６を含んで構成されることを特徴とする放送広告データ自動露出制御システム。
【請求項３６】
放送出力端末２ａ〜２ｎが視聴者の外部キー信号を受信して広告視聴モードに設定する第１過程と;
前記放送出力端末２ａ〜２ｎが視聴者の外部キー信号を受信して広告データ出力画面の比率を設定する第２過程と;
前記放送出力端末２ａ〜２ｎがチャンネル変換時に放送データと共に予め伝送されて格納された広告データを設定された画面割合で画面に出力する第３過程と;
前記放送出力端末２ａ〜２ｎが広告出力領域３００のサイズ情報、端末情報を含んだ情報をリアルタイムまたは一定時間間隔で前記広告データ伝送サーバー６に伝送して自動応募処理を行う第４過程と;
前記広告データ伝送サーバー６が前記放送出力端末２ａ〜２ｎから広告出力領域３００のサイズ情報、端末情報を受信して格納し、その広告画面サイズ別に視聴者群を分類する第５過程と;
前記広告データ伝送サーバー６が各分類群別に広告費用を累積演算して広告主と精算処理する第６過程と;
前記広告データ伝送サーバー６が一定時間間隔毎に累積した広告費用に対してある一人の視聴者を抽選する第７過程と;
前記広告データ伝送サーバー６が当選金を支払う第８過程と;
前記広告データ伝送グサーバー６が広告費用の累積分の当選金をリセットさせる第９過程を含んで構成されることを特徴とする放送広告データ自動露出制御方法。
【請求項３７】
画面出力領域１００に構成された放送データ出力領域２００に放送データを出力し、広告出力条件を満たす時に画面出力領域の下段に広告データ出力領域３００を分割生成して広告データ及び特定芸能人イメージを一定時間出力する放送出力端末２ａ〜２ｎと;
中継局や中継衛星の中継網を通じて放送データを前記放送出力端末２ａ〜２ｎに伝送し、その放送データに出演する芸能人コードを各放送データに挿入して伝送するための放送データ伝送サーバー４と;
広告データ及び広告情報を広告データ伝送サーバー６に伝送し、挿入する特定芸能人を指定するための広告主端末１０ａ〜１０ｎと;
多数の前記広告主端末１０ａ〜１０ｎから伝送された広告データを格納し、前記放送出力端末２ａ〜２ｎから芸能人コードが伝送され、当該コードとマッチングされる芸能人イメージを広告データに挿入して前記放送出力端末２ａ〜２ｎに伝送する広告データ伝送サーバー６を含んで構成されることを特徴とする放送広告データ自動露出制御システム。
【請求項３８】
前記広告データ伝送サーバー６は広告データに芸能人イメージを挿入する時、広告主が任意芸能人を指定して挿入したり、放送データに含まれた芸能人コードを受信して挿入する芸能人イメージを決定するように制御ルーチンが構成されることを特徴とする請求項３７に記載の放送広告データ自動露出制御システム。
【請求項３９】
前記放送データに挿入された芸能人コードは現在放送番組に出演する芸能人コードであるか、次に放送する番組に出演する芸能人コードであることを特徴とする請求項３７に記載の放送広告データ自動露出制御システム。
【請求項４０】
広告データ伝送サーバー６’が多数の広告主端末１０ａ〜１０ｎから広告データ及び芸能人イメージ指定情報を受信して登録処理する第１過程と;
前記広告データ伝送サーバー６’が当該広告データに広告主が指定した当該芸能人のイメージデータを組み合わせて広告データを生成して登録する第２過程と;
前記広告データ伝送サーバー６’が有無線インターネット網で連結された多数の広告データを放送出力端末２ａ〜２ｎに伝送する第３過程と;
前記放送出力端末２ａ〜２ｎが当該広告データを格納する第４過程と;
前記放送出力端末２ａ〜２ｎが地上波、衛星放送、ケーブル放送の放送データを画面に出力する第５過程と;
前記放送出力端末２ａ〜２ｎが広告出力条件を満たすかどうかを判断する第６過程と;
前記放送出力端末２ａ〜２ｎは、広告出力条件を満たすと、内部に既に格納された広告データを抽出し、放送データ及び広告データを画面に出力する第７過程と;
前記放送出力端末２ａ〜２ｎが既に設定された広告出力時間になったかを判断する第８過程と;
既に設定された時間になった時、広告データを除去する第９過程と;
前記広告データ伝送サーバー６’が当該広告露出時間情報に基づいて当該芸能人の肖像権料を精算処理する第１０過程を含んで構成されることを特徴とする放送広告データ自動露出制御方法。
【請求項４１】
前記第４過程を通じて格納される広告データは放送出力端末２ａ〜２ｎが位置した地域別のローカル広告であることを特徴とする請求項４０に記載の放送広告データ自動露出制御方法。
【請求項４２】
前記第９過程と１０過程との間には既設定時間にならない時点で、他のチャンネルへの変更信号が印加されるかを判断する過程と;
他のチャンネルへの変更信号が印加された場合に、広告データを出力する第７過程に復帰させる過程をさらに含むことを特徴とする請求項４０に記載の放送広告データ自動露出制御方法。
【請求項４３】
前記第１０過程は芸能人イメージ露出頻度数または芸能人イメージ露出時間に比例して肖像権料を精算する過程であることを特徴とする請求項４０に記載の放送広告データ自動露出制御方法。
【請求項４４】
広告データ伝送サーバー６’が多数の広告主端末１０ａ〜１０ｎから広告データを受信して各広告主別に登録し、放送番組に対応して自動芸能人イメージ挿入モード信号を受信して登録する第１過程と;
前記広告データ伝送サーバー６’が多数の国内芸能人イメージ情報を芸能人コードとマッチングさせて登録する第２過程と;
放送データ伝送サーバー４が各放送番組に出演する芸能人コードを放送番組に挿入して登録する第３過程と;
前記広告データ伝送サーバー６’が有無線インターネット網で連結された多数の広告データを放送出力端末２ａ〜２ｎに伝送する第４過程と;
前記放送出力端末２ａ〜２ｎが当該広告データを格納する第５過程と;
前記放送出力端末２ａ〜２ｎが地上波、衛星放送、ケーブル放送の放送データを画面に出力する第６過程と;
前記放送出力端末２ａ〜２ｎが放送データに含まれた芸能人コードを抽出する第７過程と;
前記放送出力端末２ａ〜２ｎが広告出力条件を満たすかどうかを判断する第８過程と;
当該広告出力条件を満たすと、前記放送出力端末２ａ〜２ｎが前記広告データ伝送サーバー６’に芸能人コード番号を伝送する第９過程と;
前記広告データ伝送サーバー６’が当該芸能人コードとマッチングされるイメージ情報を抽出して前記放送出力端末２ａ〜２ｎに伝送する第１０過程と;
前記放送出力端末２ａ〜２ｎが伝送された芸能人イメージを広告データに挿入する第１１過程と;
前記放送出力端末２ａ〜２ｎが生成された広告データを放送データと共に画面出力する第１２過程と;
前記放送出力端末２ａ〜２ｎが既に設定された広告出力時間になったかを判断する第１３過程と;
既に設定された時間になった時、広告データを除去する第１４過程と;
前記広告データ伝送サーバー６’が当該広告露出時間情報に基づいて当該芸能人の肖像権料を精算処理する第１５過程を含んで構成されることを特徴とする放送広告データ自動露出制御方法。
【請求項４５】
広告データ伝送サーバー６’が多数の広告主端末１０ａ〜１０ｎから広告データを受信して各広告主別に登録し、放送番組に対応して自動芸能人イメージ挿入モード信号を受信して登録する第１過程と;
前記広告データ伝送サーバー６’が多数の国内芸能人イメージ情報を芸能人コードとマッチングさせて登録する第２過程と;
前記広告データ伝送サーバー６’が多数の国内芸能人イメージ情報及び各イメージ別芸能人コード情報を放送出力端末２ａ〜２ｎに伝送する第３過程と;
前記放送出力端末２ａ〜２ｎが当該データを格納する第４過程と;
放送データ伝送サーバー４が各放送番組に出演する芸能人コードを放送番組に挿入して登録する第５過程と;
前記広告データ伝送サーバー６’が有無線インターネット網で連結された多数の広告データを放送出力端末２ａ〜２ｎに伝送する第６過程と;
前記放送出力端末２ａ〜２ｎが当該広告データを格納する第７過程と;
前記放送出力端末２ａ〜２ｎが地上波、衛星放送、ケーブル放送の放送データを画面に出力する第８過程と;
前記放送出力端末２ａ〜２ｎが放送データに含まれた芸能人コードを抽出する第９過程と;
前記放送出力端末２ａ〜２ｎが広告出力条件を満たすかどうかを判断する第１０過程と;
広告出力条件を満たす時、前記放送出力端末２ａ〜２ｎが当該芸能人コードとマッチングされるイメージ情報を抽出して広告データに挿入する第１１過程と;
前記放送出力端末２ａ〜２ｎが生成された広告データを放送データと共に画面出力する第１２過程と;
前記放送出力端末２ａ〜２ｎが既に設定された広告出力時間になったかを判断する第１３過程と;
既に設定された時間になった時、広告データを除去する第１４過程と;
前記放送出力端末２ａ〜２ｎが露出した演芸インイメージ情報を前記広告データ伝送サーバー６’に伝送する第１５過程と;
前記広告データ伝送サーバー６’が当該広告露出時間情報に基づいて当該芸能人の肖像権料を精算処理する第１６過程を含んで構成されることを特徴とする放送広告データ自動露出制御方法。
【請求項４６】
画面出力領域１００に構成された放送データ出力領域２００に放送データを出力し、画面出力領域の下段に各広告データの残余時間を含んだ広告データを出力するための広告データ出力領域３００を分割生成して各広告データを一定時間出力し、各広告データの残余時間内に視聴者の広告確認信号を発生するための放送出力端末１０２ａ−１０２ｎと;
放送データを中継局や中継衛星の中継網を通じて前記放送出力端末１０２ａ−１０２ｎに伝送するための放送データ伝送サーバー１０４と;
広告データ及び広告情報を広告データ伝送サーバー１０６に伝送するための広告主端末１１０ａ−１１０ｎと;
多数の前記広告主端末１１０ａ−１１０ｎから伝送された広告データを格納し、前記広告データを放送出力端末１０２ａ−１０２ｎに伝送し、その放送出力端末１０２ａ−１０２ｎから当該視聴者の広告視聴確認信号及び広告視聴時間情報が印加されると、当選金として提供された広告費用を当選者に支払うための広告データ伝送サーバー１０６を含んで構成されることを特徴とする放送広告データ自動露出制御システム。
【請求項４７】
前記放送出力端末１０２ａ−１０２ｎはＩＰＴＶ、ＤＭＢフォン、ＤＭＢ衛星ナビゲーションを含む端末であることを特徴とする請求項４６に記載の放送広告データ自動露出制御システム。
【請求項４８】
前記放送出力端末１０２ａ−１０２ｎは広告データ伝送サーバー１０６に対する広告データの受信時や広告視聴時間情報の送信時、有／無線インターネット網を通じて受信するように構成されることを特徴とする請求項４６に記載の放送広告データ自動露出制御システム。
【請求項４９】
前記放送出力端末１０２ａ−１０２ｎは広告データの画面出力を開始する時点から視聴者が入力した視聴確認信号の受信時点までの経過時間を判断して当該視聴者の広告視聴時間を自動で演算処理する端末であることを特徴とする請求項４６に記載の放送広告データ自動露出制御システム。
【請求項５０】
前記放送出力端末１０２ａ−１０２ｎは、その画面に出力される広告データが地域性を考慮したローカル広告データであり、前記放送出力端末１０２ａ−１０２ｎの地域コードを前記広告データ伝送サーバー１０６に伝送して当該放送出力端末１０２ａ−１０２ｎが位置した地域のローカル広告データを伝送するように構成されることを特徴とする請求項４６に記載の放送広告データ自動露出制御システム。
【請求項５１】
前記放送出力端末１０２ａ−１０２ｎは前記広告データ伝送サーバー１０６とのセッション設定時、前記放送出力端末１０２ａ−１０２ｎの地域コードまたは固有コードを伝送するように設定することで、前記放送出力端末１０２ａ−１０２ｎの位置地域を前記広告データ伝送サーバー１０６により判断し、分類できるようにすることを特徴とする請求項５０に記載の放送広告データ自動露出制御システム。
【請求項５２】
前記放送出力端末１０２ａ−１０２ｎは画面に出力される各広告データ別残余時間情報を逆カウント形態で表示するように構成されることを特徴とする請求項４６に記載の放送広告データ自動露出制御システム。
【請求項５３】
前記放送出力端末１０２ａ−１０２ｎは前記広告データ伝送サーバー１０６から一定時間間隔で広告データを受信して更新格納したり、前記広告データ伝送サーバー１０６からリアルタイムに広告データを受信して更新格納することを特徴とする請求項４６に記載の放送広告データ自動露出制御システム。
【請求項５４】
前記放送出力端末１０２ａ−１０２ｎは、その広告出力領域３００にイメージ出力領域３０２と、抽選情報または当選金額情報、割引情報を含んだイベント情報出力領域３０６と、各広告データ別残余時間情報を出力するための出力領域３０３をさらに含むことを特徴とする請求項４６に記載の放送広告データ自動露出制御システム。
【請求項５５】
前記放送出力端末１０２ａ−１０２ｎが前記広告出力領域３００を通じて出力する広告データは、格納時に格納順序に基づいて一定の順番を自動で与え、当該順番通り広告出力条件を満たした時に出力するように設定されることを特徴とする請求項４６に記載の放送広告データ自動露出制御システム。
【請求項５６】
前記広告データ伝送サーバー１０６は前記放送出力端末１０２ａ−１０２ｎから広告データを視聴したとの視聴確認信号及び視聴時間情報を受信し、広告視聴時間別に視聴者群を分類して差等化した当選金を各群別に与え、一定時間別に当該群別に当選者を抽選することを特徴とする請求項４６に記載の放送広告データ自動露出制御システム。
【請求項５７】
前記放送出力端末１０２ａ−１０２ｎは放送アクセスネットワークまたはインターネット網に接続して前記放送データ伝送サーバー１０４及び広告データ伝送サーバー１０６とのデータ送受信を行い、プロトコルマッチング及びフィルターリングを行う通信モジュールと;視聴者の広告データ出力モード設定信号、広告データの画面比率調整信号、広告データの詳細情報確認信号、当該広告データの視聴確認信号に対するリモコン信号を受信するためのリモコン情報受信部と;前記放送出力端末１０２ａ−１０２ｎを通じて出力される放送データ及び広告データの出力を制御し、放送データ及び広告データの画面比率を調整するための画面出力制御部と;前記画面出力制御部１１６と連動して前記広告データ伝送サーバー１０６から伝送された広告データを画面領域に挿入して出力するように制御する広告挿入制御部と;前記放送データ伝送サーバー１０４から伝送されたデジタル放送データを受信して前記放送出力端末１０２ａ−１０２ｎを通じて出力するように制御する放送データ出力制御部と;前記放送データ伝送サーバー１０４から伝送されたデジタル放送データを受信して録画格納するための放送データ録画制御部と;前記画面出力制御部１１６を通じて画面に出力される広告データの出力開始時間を認識した状態で、前記リモコン情報受信部１１４から受信した広告データ視聴確認信号によって当該視聴者が視聴した広告視聴時間を演算するための広告視聴時間判断部と;前記広告データ伝送サーバー１０６から伝送された広告データを格納し、端末固有番号情報を格納し、視聴者の広告データ出力モード設定信号、広告データの画面比率調整信号を受信し、その設定情報を格納し、広告視聴時間データを各広告データ別に格納するためのデータ格納部と;前記リモコン情報受信部１１４を通じて広告データの画面出力に対するモード選択信号を受信し、前記広告データ伝送サーバー１０６から広告データを受信して格納した状態で、広告データを画面に出力するように制御し、広告データ出力時点を判断して内部に構成されたタイマー１２６ａを駆動し、視聴確認信号が受信されると各広告データ別に当該視聴者が視聴した広告視聴時間を認知して前記広告データ伝送サーバー１０６に自動応募信号を伝送するように制御する制御部を含んで構成されることを特徴とする請求項４６に記載の放送広告データ自動露出制御システム。
【請求項５８】
前記制御部１２６は前記リモコン情報受信部１１４から出力される広告データの比率を調整するための信号を受信し、前記画面出力制御部１１６に制御信号を発生して広告データの出力サイズを調整するための制御ルーチンが設定されることを特徴とする請求項５７に記載の放送広告データ自動露出制御システム。
【請求項５９】
前記制御部１２６は、その内部に備えられたタイマー１２６ａと連動して視聴者の広告視聴時間を累積演算し、一定時間間隔毎に前記当該広告視聴時間情報を広告データ伝送サーバー１０６に伝送するように設定されることを特徴とする請求項５７に記載の放送広告データ自動露出制御システム。
【請求項６０】
前記制御部１２６は広告出力開始時間を判断し、各広告データ毎にその内部に広告データ出力残余時間を表示するために前記タイマー１２６ａと連動して制御するように設定されることを特徴とする請求項５７に記載の放送広告データ自動露出制御システム。
【請求項６１】
前記制御部１２６は当該視聴者が視聴した広告視聴時間情報を広告データ毎にリアルタイムに前記広告データ伝送サーバー１０６に伝送したり、その広告視聴時間を一定時間累積し、一定時間間隔毎に前記広告データ伝送サーバー１０６に伝送するように設定されることを特徴とする請求項５７に記載の放送広告データ自動露出制御システム。
【請求項６２】
前記広告データ伝送サーバー１０６は前記放送出力端末１０２ａ−１０２ｎから出力される広告データが、その放送出力端末１０２ａ−１０２ｎの地域を反映したローカル広告として出力させるために、前記広告データ伝送サーバー１０６の内部には各放送出力端末１０２ａ−１０２ｎの位置情報に固有コードを与えて格納し、さらに当該固有コードを各地域別に分類することを特徴とする請求項４６に記載の放送広告データ自動露出制御システム。
【請求項６３】
前記広告データ伝送サーバー１０６は前記放送出力端末１０２ａ−１０２ｎと、広告主端末１１０ａ−１１０ｎとのデータ通信を通じて各種データのアップロード／ダウンロードを行い、プロトコルマッチングやデータフィルターリングを行うための通信モジュールと;前記放送出力端末１０２ａ−１０２ｎと、広告主端末１１０ａ−１１０ｎを通じてデータ伝送を行おうとする視聴者及び広告主の真偽を判断するために認証を行う認証処理部と;前記広告主端末１１０ａ−１１０ｎから広告データを受信して格納し、その広告データに業者イベント情報及びイメージ情報を含んたデータを生成して前記放送出力端末１０２ａ−１０２ｎに伝送する広告データ生成部と;前記広告データ生成部１３２と連動して業者イベント情報及びイメージ情報を広告データ内部に挿入するための挿入データ組合せ部と;前記放送出力端末１０２ａ−１０２ｎから広告視聴の対価として発生した自動応募信号を受信して広告主が提供した各種イベントに対する当選管理を行うイベント当選管理部と;前記放送出力端末１０２ａ−１０２ｎと、広告主端末１１０ａ−１１０ｎの端末固有コード情報を管理し、受信するデータを固有コード別に分類するための端末情報管理部と;広告主が予め引き落とした広告費用情報、及び地域情報を含んだ身上情報を管理するための広告主情報管理部と;前記放送出力端末１０２ａ−１０２ｎを通じて出力される広告データの出力時間に比例して広告費用を精算処理するための広告費用精算部と;前記放送出力端末１０２ａ−１０２ｎから受信した各視聴者の広告データに対する視聴時間情報を受信して前記放送出力端末１０２ａ−１０２ｎ別に累積演算するための広告視聴時間累積演算部と;視聴者及び広告主の真偽を判断するための認証情報を格納する認証情報ＤＢと;前記広告主端末１１０ａ−１１０ｎから伝送された広告データを格納する広告ＤＢと;前記放送出力端末１０２ａ−１０２ｎと、広告主端末１１０ａ−１１０ｎの端末固有コード情報、及びその固有コード情報とマッチングされる地域情報を格納する端末情報ＤＢと;広告主が予め引き落とした広告費用情報、及び地域情報を含んだ身上情報を格納するための広告主情報ＤＢと;広告主の広告出力費用精算情報を格納するための広告費用精算ＤＢと;前記放送出力端末１０２ａ−１０２ｎから受信した各視聴者の広告データに対する視聴時間情報を受信して前記放送出力端末１０２ａ−１０２ｎ別に累積演算した広告視聴時間累積情報ＤＢと;広告視聴の対価として与えられた各種イベント及び当選金に対する当選情報を格納するための当選情報ＤＢと;前記広告主端末１１０ａ−１１０ｎから広告データを受信して格納し、前記放送出力端末１０２ａ−１０２ｎから広告出力要請信号及び当該端末情報を受信して登録し、広告データに業者イベント情報及びイメージ情報を含んだ広告データを生成し、これを一定時間間隔で前記放送出力端末１０２ａ−１０２ｎに伝送し、その放送出力端末１０２ａ−１０２ｎから広告視聴時間情報を受信して累積演算し、視聴時間別に多数の応募者群を分類し、その広告視聴時間に比例して広告主との広告費用を精算処理し、各応募者群別に抽選やゲームを通じてある一人の当選者を選定して広告費用を当選金として支払う制御��を含んで構成されることを特徴とする請求項４６に記載の放送広告データ自動露出制御システム。
【請求項６４】
前記制御部１４４は前記放送出力端末１０２ａ−１０２ｎの地域情報を受信し、その固有コードとマッチングさせて地域別に分類することで、広告主が望む地域単位のローカル広告データが各放送出力端末１０２ａ−１０２ｎ別に伝送されるように制御することを特徴とする請求項６３に記載の放送広告データ自動露出制御システム。
【請求項６５】
広告データ伝送サーバー１０６が多数の広告主端末１１０ａ−１１０ｎから広告データを受信して各広告主別に登録処理する第１過程と;
前記広告データ伝送サーバー１０６が多数の広告データを放送出力端末１０２ａ−１０２ｎに伝送する第２過程と;
前記放送出力端末１０２ａ−１０２ｎが前記広告データ伝送サーバー１０６から伝送された広告データを格納する第３過程と;
前記放送出力端末１０２ａ−１０２ｎが画面に放送データが出力されるかを判断する第４過程と;
前記放送出力端末１０２ａ−１０２ｎが地上波、衛星放送、ケーブル放送の放送データを画面に出力する第５過程と;
前記放送出力端末１０２ａ−１０２ｎが内部に既に格納された広告データを抽出して画面に出力する第６過程と;
前記放送出力端末１０２ａ−１０２ｎが各広告データの出力進行中に視聴者により発生した広告視聴確認信号が受信されるかを判断する第７過程と;
前記放送出力端末１０２ａ−１０２ｎが当該視聴者の広告視聴時間を自動演算する第８過程と;
前記放送出力端末１０２ａ−１０２ｎが当該広告データの視聴時間情報を端末固有コードと共に前記広告データ伝送サーバー１０６に伝送する第９過程と;
前記広告データ伝送サーバー１０６が前記放送出力端末１０２ａ−１０２ｎから広告視聴時間情報及び端末固有コードを受信し、当選者を抽選する第１０過程と;
当該当選者が確定されると前記広告データ伝送サーバー１０６がその当選内容を前記放送出力端末１０２ａ−１０２ｎに通報する第１１過程と;
前記広告データ伝送サーバー１０６が当選金をリセット処理する第１２過程を含んで構成されることを特徴とするＩＰＴＶを利用した放送広告データ自動出力制御方法。
【請求項６６】
前記第１過程は、前記広告データ伝送サーバー１０６が元の広告データ内に業者のイベント情報や抽選情報が挿入された広告データを生成する過程をさらに含むことを特徴とする請求項６５に記載のＩＰＴＶを利用した放送広告データ自動出力制御方法。
【請求項６７】
前記第２過程で前記広告データ伝送サーバー１０６は、前記放送出力端末１０２ａ−１０２ｎに一定時間間隔で更新された広告データを伝送したり、リアルタイムに受け付けた広告データを伝送することを特徴とする請求項６５に記載のＩＰＴＶを利用した放送広告データ自動出力制御方法。
【請求項６８】
前記第２過程で前記広告データ伝送サーバー１０６は、各放送出力端末１０２ａ−１０２ｎの地域コード情報とマッチングされる広告データだけを各放送出力端末１０２ａ−１０２ｎ別に選別して伝送することを特徴とする請求項６５に記載のＩＰＴＶを利用した放送広告データ自動出力制御方法。
【請求項６９】
前記第６過程を通じて出力される広告データは格納時に格納順序に基づいて一定の順番を自動で与え、広告出力条件を満たす時その順序に基づいて出力することを特徴とする請求項６５に記載のＩＰＴＶを利用した放送広告データ自動出力制御方法。
【請求項７０】
前記第６過程は、前記放送出力端末１０２ａ−１０２ｎが各広告データの出力が開始した時点からタイマー２６ａを駆動して広告出力時間をカウントする過程をさらに含むことを特徴とする請求項６５に記載のＩＰＴＶを利用した放送広告データ自動出力制御方法。
【請求項７１】
前記第６過程は、各広告データ別に出力残余時間情報がタイマー２６ａにより逆カウント方式で画面出力する過程をさらに含むことを特徴とする請求項６５に記載のＩＰＴＶを利用した放送広告データ自動出力制御方法。
【請求項７２】
前記第８過程は、前記放送出力端末１０２ａ−１０２ｎが広告データの出力時点から広告視聴確認信号が発生した時点まで必要とする時間を自動チェックすることで、各広告データ別視聴時間を演算する過程であることを特徴とする請求項６５に記載のＩＰＴＶを利用した放送広告データ自動出力制御方法。
【請求項７３】
前記第１０過程は、前記広告データ伝送サーバー１０６が広告視聴時間別に応募者群を分類し、抽選時各応募者群別に抽選する過程をさらに含むことを特徴とする請求項６５に記載のＩＰＴＶを利用した放送広告データ自動出力制御方法。
【請求項７４】
画面出力領域１００に構成された放送データ出力領域２００に放送データを出力し、その放送データの内部に含まれた内容コードを抽出し、画面出力領域の下段にその内容コードとマッチングされる広告データを抽出して出力するための放送出力端末１０２ａ−１０２ｎと;
内容コードを含んだ放送データを前記放送出力端末１０２ａ−１０２ｎに伝送するための放送データ伝送サーバー１０４と;
広告データ、広告情報、及び内容コード指定情報を広告データ伝送サーバー１０６に伝送するための広告主端末１１０ａ−１１０ｎと;
多数の前記広告主端末１１０ａ−１１０ｎから広告データ及び内容コード指定情報を受信して格納し、広告データ及び内容コードを前記放送出力端末１０２ａ−１０２ｎに伝送し、その放送出力端末１０２ａ−１０２ｎから当該視聴者の広告視聴情報が印加されると、当選金として提供された広告費用を当選者に支払うための広告データ伝送サーバー１０６を含んで構成されることを特徴とする放送広告データ自動露出制御システム。
【請求項７５】
前記内容コードは放送シーンの内容を示すシーン内容コード及びシナリオの内容を示すシナリオコードであることを特徴とする請求項７４に記載の放送広告データ自動露出制御システム。
【請求項７６】
前記放送出力端末１０２ａ−１０２ｎは放送アクセスネットワークまたはインターネット網に接続して前記放送データ伝送サーバー１０４及び広告データ伝送サーバー１０６とのデータ送受信を行い、プロトコルマッチング及びフィルターリングを行う通信モジュールと;視聴者の広告データ出力モード設定信号、広告データの画面比率調整信号、広告データの詳細情報確認信号に対するリモコン信号を受信するためのリモコン情報受信部と;前記放送出力端末１０２ａ−１０２ｎを通じて出力される放送データ及び広告データの出力を制御し、放送データ及び広告データの画面比率を調整するための画面出力制御部と;前記画面出力制御部１１６と連動して前記広告データ伝送サーバー１０６から伝送された広告データを画面領域に挿入して出力するように制御する広告挿入制御部と;前記放送データ伝送サーバー１０４から伝送されたデジタル放送データを受信して前記放送出力端末１０２ａ−１０２ｎを通じて出力するように制御する放送データ出力制御部と;前記通信モジュール１１２を通じて放送データ伝送サーバー１０４から伝送された放送データの内部に含まれた内容コードを抽出するためのマッチングコード抽出部と;前記広告データ伝送サーバー１０６から伝送された広告データ及び広告主が指定した出力条件情報(内容コード情報)を格納し、端末固有番号情報を格納し、視聴者の広告データ出力モード設定信号、広告データの画面比率調整信号を受信し、その設定情報を格納するためのデータ格納部と;前記リモコン情報受信部１４を通じて広告データの画面出力に対する視聴者のモード選択信号を受信し、前記広告データ伝送サーバー１０６から広告データ及び望むの放送内容コードを受信して格納した状態で、広告データを画面に出力するように制御し、前記放送データ伝送サーバー１０４から当該放送内容コードを含んだ放送データを受信して放送出力し、その内容コードとマッチングされる広告データを選別的に抽出し、当該放送データが出力される同一画面に挿入して出力するように制御する制御部を含んで構成されることを特徴とする請求項７４に記載の放送広告データ自動露出制御システム。
【請求項７７】
前記放送出力端末１０２ａ−１０２ｎは、その画面を通じて出力される広告データが各内容コード別に分類されて格納されることを特徴とする請求項７４に記載の放送広告データ自動露出制御システム。
【請求項７８】
広告データ伝送サーバー１０６が多数の広告主端末１１０ａ−１１０ｎから広告データ及び内容コード指定情報を受付受けて各広告主別に登録処理する第１過程と;
前記広告データ伝送サーバー１０６が広告データ及び当該広告データ別内容コードを多数の放送出力端末１０２ａ−１０２ｎに伝送する第２過程と;
前記放送出力端末１０２ａ−１０２ｎが前記広告データ伝送サーバー１０６から伝送された広告データ及び内容コードを格納する第３過程と;
前記放送出力端末１０２ａ−１０２ｎが画面に放送データが出力されるかを判断する第４過程と;
前記放送出力端末１０２ａ−１０２ｎが地上波、衛星放送、ケーブル放送の放送データを画面に出力する第５過程と;
前記放送出力端末１０２ａ−１０２ｎが放送データに含まれた内容コードを抽出する第６過程と;
前記放送出力端末１０２ａ−１０２ｎが内部に既に格納された広告データのうち、予め抽出した放送データの内容コードとマッチングされる広告データを抽出して画面に出力する第７過程を含んで構成されることを特徴とするＩＰＴＶを利用した放送広告データ自動出力制御方法。
【請求項７９】
前記第１過程は、その前段階で放送データ伝送サーバー１０４が放送データの送出前に各シーン別に内容コードを挿入処理する過程と;
前記放送データ伝送サーバー１０４で管理する各シーン別の内容コードを前記広告データ伝送サーバー１０６により広告主が閲覧可能に掲載する過程をさらに含むことを特徴とする請求項７８に記載のＩＰＴＶを利用した放送広告データ自動出力制御方法。
【請求項８０】
前記第３過程は、前記放送出力端末１０２ａ−１０２ｎが受信した広告データを各内容コード別に分類して格納する過程をさらに含むことを特徴とする請求項７８に記載のＩＰＴＶを利用した放送広告データ自動出力制御方法。
【請求項８１】
前記第７過程の次の過程として、前記放送出力端末１０２ａ−１０２ｎがチャンネル変更信号の受信可否を判断する過程をさらに含むことを特徴とする請求項７８に記載のＩＰＴＶを利用した放送広告データ自動出力制御方法。
【請求項８２】
広告データ伝送サーバー１０６から一定時間間隔で広告データを受信して格納し、放送データを画面に出力し、予め格納された広告データを画面出力領域の下段に出力し、広告データを臨時に格納するためのデータ格納部を備えており、リモコン信号により特定広告をデータ格納部に格納することができる放送出力端末１０２ａ−１０２ｎと;
放送データを前記放送出力端末１０２ａ−１０２ｎに伝送するための放送データ伝送サーバー１０４と;
広告データ及び広告情報を広告データ伝送サーバー１０６に伝送するための広告主端末１１０ａ−１１０ｎと;
多数の前記広告主端末１１０ａ−１１０ｎから伝送された広告データを格納し、前記広告データを放送出力端末１０２ａ−１０２ｎに伝送し、その放送出力端末１０２ａ−１０２ｎから広告視聴時間情報が印加されると、当選金として提供された広告費用を当選者に支払うための広告データ伝送サーバー１０６を含んで構成されることを特徴とする放送広告データ自動露出制御システム。
【請求項８３】
前記放送出力端末１０２ａ−１０２ｎは広告データ自体をコピーしたり、当該広告データのリスト番号または格納順序を格納することを特徴とする請求項８２に記載の放送広告データ自動露出制御システム。
【請求項８４】
広告データ伝送サーバー１０６が多数の広告主端末１１０ａ−１１０ｎから広告データを受信して各広告主別に登録処理する第１過程と;
前記広告データ伝送サーバー１０６が多数の広告データを放送出力端末１０２ａ−１０２ｎに伝送する第２過程と;
前記放送出力端末１０２ａ−１０２ｎが前記広告データ伝送サーバー１０６から伝送された広告データを格納する第３過程と;
前記放送出力端末１０２ａ−１０２ｎが画面に放送データが出力されるかを判断する第４過程と;
前記放送出力端末１０２ａ−１０２ｎが地上波、衛星放送、ケーブル放送の放送データを画面に出力する第５過程と;
前記放送出力端末１０２ａ−１０２ｎが内部に既に格納された広告データを抽出して画面に出力する第６過程と;
前記放送出力端末１０２ａ−１０２ｎが各広告データの出力進行中に当該広告データに対する格納要求信号が受信されるかを判断する第７過程と;
広告データ格納信号を受信した場合に、前記放送出力端末１０２ａ−１０２ｎが当該広告データをコピーしてデータ格納部に格納する第８過程と;
前記放送出力端末１０２ａ−１０２ｎが予め格納された特定広告データの出力信号が受信されるかを判断する第９過程と;
前記放送出力端末１０２ａ−１０２ｎが当該広告データをデータ格納部から抽出して出力する第１０過程を含んで構成されることを特徴とするＩＰＴＶを利用した放送広告データ自動出力制御方法。
【請求項８５】
前記第８過程は、前記放送出力端末１０２ａ−１０２ｎが広告データ自体をコピーしたり、当該広告データのリスト番号または格納順序を格納する過程であることを特徴とする請求項８４に記載のＩＰＴＶを利用した放送広告データ自動出力制御方法。
【請求項８６】
放送出力端末１０２ａ−１０２ｎに放送データを伝送するための放送データ伝送サーバー１０４と;
特定広告チャンネル番号が設定されており、前記放送データ伝送サーバー１０４から送出される放送番組出力時チャンネル自動スイッチング条件を満たすかどうかを判断して予め設定された特定広告チャンネルに自動スイッチングし、チャンネル復元条件を満たす時自動で元の放送チャンネルに戻すように設定された放送出力端末１０２ａ−１０２ｎを含んで構成されることを特徴とする放送広告データ自動露出制御システム。
【請求項８７】
前記放送出力端末１０２ａ−１０２ｎのチャンネル自動スイッチング条件は元の放送番組チャンネルに広告が出力される時点または電源オンや電源オフ時点になったか否かであることを特徴とする請求項８６に記載の放送広告データ自動露出制御システム。
【請求項８８】
前記放送出力端末１０２ａ−１０２ｎのチャンネル復元条件は、広告後に元の放送番組チャンネルから放送番組が開始する時点になったか否かであることを特徴とする請求項８６に記載の放送広告データ自動露出制御システム。
【請求項８９】
前記放送データ伝送サーバー１０４は放送番組の編成表に含まれた番組時間情報やキユートーンシグナル情報、番組開始及び終了シグナル情報を通じてチャンネル自動スイッチング時点及び元のチャンネル復元時点を判断するように設定されることを特徴とする請求項８７または８８に記載の放送広告データ自動露出制御システム。
【請求項９０】
前記放送出力端末１０２ａ−１０２ｎは放送アクセスネットワークまたはインターネット網に接続して前記放送データ伝送サーバー１０４及び広告データ伝送サーバー１０６とのデータ送受信を行い、プロトコルマッチング及びフィルターリングを行う通信モジュールと;視聴者の広告データ出力モード設定信号に対するリモコン信号を受信するためのリモコン情報受信部と;前記放送出力端末１０２ａ−１０２ｎを通じて出力される放送データの出力を制御するための画面出力制御部と;前記画面出力制御部１６と連動して視聴する放送チャンネルと、予め設定された特定広告専用チャンネルに自動でスイッチングするためのチャンネルスイッチング制御部と;前記放送データ伝送サーバー１０４から伝送されたデジタル放送データを受信して前記放送出力端末１０２ａ−１０２ｎを通じて出力するように制御する放送データ出力制御部と;広告データ伝送サーバー１０６で広告主から受け付けた多数の広告データを通じて構築した特定広告専用チャンネルに対するチャンネル番号を格納し、自動スイッチング条件情報(番組編成表の時間情報、キユートーン情報値、放送番組の開始及び終了シグナル値）を格納し、端末固有番号情報を格納し、視聴者の広告データ出力モード設定信号を格納するためのデータ格納部と;前記リモコン情報受信部１４を通じて広告チャンネルへの自動スイッチングに対する視聴者のモード選択信号が印加され、特定広告専用チャンネル番号を設定した状態で、前記放送データ伝送サーバー１０４から当該放送番組の開始及び終了に対するシグナル情報が含まれた放送データを受信して放送出力し、当該チャンネルに広告データが出力される時点で予め設定された広告専用チャンネルに自動スイッチングするように制御し、本放送チャンネルの放送番組開始信号を受信すると元の放送チャンネルに戻すようにチャンネル自動スイッチングを制御するための制御部を含んで構成されることを特徴とする請求項８６に記載の放送広告データ自動露出制御システム。
【請求項９１】
チャンネルスイッチング条件及び自動でスイッチングしよとする特定チャンネル番号を放送出力端末１０２ａ−１０２ｎに設定する第１過程と;
前記放送出力端末１０２ａ−１０２ｎが放送データを画面に出力する第２過程と;
前記放送出力端末１０２ａ−１０２ｎがチャンネル自動スイッチング条件を満たすかどうかを判断する第３過程と;
前記放送出力端末１０２ａ−１０２ｎが自動で元の放送チャンネル番号をメモリする第４過程と;
前記放送出力端末１０２ａ−１０２ｎが予め設定された広告専用チャンネルに画面を自動スイッチングし、広告専用放送を画面に出力する第５過程と;
前記放送出力端末１０２ａ−１０２ｎが元の放送チャンネルへの復帰条件を満たすかどうかを判断する第６過程と;
前記放送出力端末１０２ａ−１０２ｎが放送画面を元の放送チャンネルに自動復帰させる第７過程を含んで構成されることを特徴とするＩＰＴＶを利用した放送広告データ自動出力制御方法。
【請求項９２】
前記第１過程は、前記放送出力端末１０２ａ−１０２ｎの製作時に予めチャンネルスイッチング条件及び広告専用チャンネル番号が含まれており、視聴者のモード選択によって設定状態を活性化する過程であることを特徴とする請求項９１に記載のＩＰＴＶを利用した放送広告データ自動出力制御方法。
【請求項９３】
前記第３過程は元の放送番組チャンネルに広告が出力される時点または電源オンや電源オフ時点になったか否かに対する判断過程であることを特徴とする請求項９１に記載のＩＰＴＶを利用した放送広告データ自動出力制御方法。
【請求項９４】
前記第６過程は広告後に元の放送番組チャンネルから放送番組が開始する時点になったか否かを判断する過程であることを特徴とする請求項９１に記載のＩＰＴＶを利用した放送広告データ自動出力制御方法。
【請求項９５】
放送出力端末１０２ａ−１０２ｎにチャンネルスイッチング条件及び自動でスイッチングしよとする特定チャンネル番号が設定される第１過程と;
前記放送出力端末１０２ａ−１０２ｎに電源オン信号が印加されるかを判断する第２過程と;
前記放送出力端末１０２ａ−１０２ｎが電源オンにより最初画面に出力される放送チャンネル番号をメモリする第３過程と;
前記放送出力端末１０２ａ−１０２ｎが予め設定された広告専用チャンネルに画面を自動スイッチングし、広告専用放送を画面に出力する第４過程と;
前記放送出力端末１０２ａ−１０２ｎが予め設定されたスイッチング時間になったかを判断する第５過程と;
前記放送出力端末１０２ａ−１０２ｎが放送画面を元の放送チャンネルに自動復帰させる第６過程と;
前記放送出力端末１０２ａ−１０２ｎに電源オフ信号が印加されるかを判断する第７過程と;
前記放送出力端末１０２ａ−１０２ｎが予め設定された広告専用チャンネルに画面を自動スイッチングし、広告専用放送を画面に出力する第８過程と;
前記放送出力端末１０２ａ−１０２ｎが予め設定されたスイッチング時間になったかを判断する第９過程と;
設定時間になった場合、前記放送出力端末１０２ａ−１０２ｎは電源オフして終了する第１０過程を含んで構成されることを特徴とするＩＰＴＶを利用した放送広告データ自動出力制御方法。
【請求項９６】
ユーザーＩＤを入力して放送データ及び広告データを出力するための放送出力端末１０２ａ−１０２ｎと;
予め多数の広告主端末１１０ａ−１１０ｎから伝送された広告データを格納し、前記広告データを放送出力端末１０２ａ−１０２ｎに伝送し、放送出力端末１０２ａ−１０２ｎから視聴者ＩＤ及び広告視聴時間情報を受信し、当該ＩＤ別に広告視聴時間を累積して広告視聴時間別に差等の対価を提供する広告データ伝送サーバー１０６と;
前記放送データを放送出力端末１０２ａ−１０２ｎに送出するための放送データ伝送サーバー１０４で構成されることを特徴とする放送広告データ自動露出制御システム。
【請求項９７】
前記広告データ伝送サーバー１０８は相異なる放送出力端末１０２ａ−１０２ｎの固有番号でそれぞれ同一なＩＤが重複して伝送されても、当該ＩＤに基づいて広告視聴時間を合算して累積演算することを特徴とする請求項９６に記載の放送広告データ自動露出制御システム。
【請求項９８】
前記放送出力端末１０２ａ−１０２ｎは放送アクセスネットワークまたはインターネット網に接続して前記放送データ伝送サーバー１０４及び広告データ伝送サーバー１０６とのデータ送受信を行い、プロトコルマッチング及びフィルターリングを行う通信モジュールと;視聴者の広告データ出力モード設定信号、広告データの画面比率調整信号、視聴者ＩＤ情報入力信号に対するリモコン信号を受信するためのリモコン情報受信部と;前記放送出力端末１０２ａ−１０２ｎを通じて出力される放送データ及び広告データの出力を制御し、放送データ及び広告データの画面比率を調整するための画面出力制御部と;前記画面出力制御部と連動して前記広告データ伝送サーバー１０６から伝送された広告データを画面領域に挿入して出力するように制御する広告挿入制御部と;前記放送データ伝送サーバー１０４から伝送されたデジタル放送データを受信して前記放送出力端末１０２ａ−１０２ｎを通じて出力するように制御する放送データ出力制御部と;前記リモコン情報受信部を通じて受信した視聴者ＩＤ情報を受信して管理し、端末固有番号を管理するためのＩＤ／固有番号管理部と;前記広告データ伝送サーバー１０６から伝送された広告データを格納し、端末固有番号情報と視聴者が設定したＩＤ情報を格納し、視聴者の広告データ出力モード設定信号、広告データの画面比率調整信号を受信し、その設定情報を格納するためのデータ格納部と;前記リモコン情報受信部を通じて広告データの画面出力に対する視聴者のモード選択信号及び視聴者ＩＤ情報を受信して当該端末に設定し、前記広告データ伝送サーバー１０６から広告データを受信して格納した状態で、前記放送データ伝送サーバー１０４から放送データを受信して放送出力し、同広告データを画面に出力するように制御し、一定時間間隔で広告視聴時間情報を端末固有番号と共に前記広告データ伝送サーバー１０６に伝送する制御部を含んで構成されることを特徴とする請求項９６に記載の放送広告データ自動露出制御システム。
【請求項９９】
前記ＩＤ／固有番号管理部は入力された視聴者ＩＤが再び変更される前まで当該ＩＤの設定状態を維持することを特徴とする請求項９８に記載の放送広告データ自動露出制御システム。
【請求項１００】
前記広告データ伝送サーバー１０８は前記放送出力端末１０２ａ−１０２ｎと、広告主端末１１０ａ−１１０ｎとのデータ通信を通じて各種データのアップロード／ダウンロードを行い、プロトコルマッチングやデータフィルターリングを行うための通信モジュールと;前記放送出力端末１０２ａ−１０２ｎと、広告主端末１１０ａ−１１０ｎを通じてデータ伝送を行おうとする視聴者のＩＤをアカウントしたり、認証するための認証／アカウント処理部と;前記広告主端末１１０ａ−１１０ｎから広告データを受信して格納し、その広告データに業者のイメージや広告商品イメージ、各種イメージ情報を含んだ最終広告データを生成して前記放送出力端末１０２ａ−１０２ｎに伝送する広告データ生成部と;前記広告データ生成部と連動して業者イベント情報及びイメージ情報を広告データ内部に挿入するための挿入データ組合せ部と;前記放送出力端末１０２ａ−１０２ｎと、広告主端末１１０ａ−１１０ｎの端末固有コード情報及び視聴者ＩＤ情報を管理し、受信するデータを固有コード別または視聴者ＩＤ別に分類するための端末情報管理部と;広告主が引き落とした広告費用情報、及び地域情報を含んだ身上情報を管理するための広告主情報管理部と;前記放送出力端末１０２ａ−１０２ｎを通じて出力される広告データの出力時間に比例して広告主に請求する広告費用を演算し、精算処理するための広告費用精算部と;前記放送出力端末１０２ａ−１０２ｎから伝送されたＩＤ情報及び広告視聴時間情報を受信して各ＩＤ別に広告視聴時間情報を累積演算するためのＩＤ別広告視聴時間累積演算部と;視聴者ＩＤのアカウント及び認証情報を格納するための認証情報ＤＢと;前記広告主端末１１０ａ−１１０ｎから伝送された広告データを格納する広告ＤＢと;前記放送出力端末１０２ａ−１０２ｎと、広告主端末１１０ａ−１１０ｎの端末固有コード情報と、ＩＤ情報及びその固有コード情報とマッチングされる地域情報を格納する端末情報ＤＢと;広告主が予め引き落とした広告費用情報、及び地域情報を含んだ身上情報を格納するための広告主情報ＤＢと;広告主の広告出力費用精算情報を格納するための広告費用精算ＤＢと;広告視聴時間情報を各ＩＤ別に累積格納するためのＩＤ別広告視聴時間累積情報ＤＢと;統合した広告視聴時間に比例して広告主から提供された費用を抽選やゲームを通じて当選者に提供する情報を格納する当選情報ＤＢと;前記広告主端末１１０ａ−１１０ｎから広告データを受信して格納し、前記放送出力端末１０２ａ−１０２ｎから広告出力モード信号及び当該端末情報、視聴者ＩＤ情報を受信して登録し、広告データに業者イベント情報及びイメージ情報を含んだ広告データを生成し、これを一定時間間隔で前記放送出力端末１０２ａ−１０２ｎに伝送し、その放送出力端末１０２ａ−１０２ｎから視聴者ＩＤ情報及び広告視聴時間情報を受信して累積演算し、抽選やゲームを通じてある一人の当選者を選定して広告費用を当選金として支払う制御部を含んで構成されることを特徴とする請求項９６に記載の放送広告データ自動露出制御システム。
【請求項１０１】
広告データ伝送サーバー１０６が多数の広告主端末１１０ａ−１１０ｎから広告データを受信して各広告主別に登録処理する第１過程と;
前記広告データ伝送サーバー１０６が多数の広告データを放送出力端末１０２ａ−１０２ｎに伝送する第２過程と;
前記放送出力端末１０２ａ−１０２ｎが前記広告データ伝送サーバー１０６から伝送された広告データを格納する第３過程と;
前記放送出力端末１０２ａ−１０２ｎが放送データを出力する第４過程と;
前記放送出力端末１０２ａ−１０２ｎが内部に既に格納された広告データを抽出し、抽出した広告データがディスプレーされる放送データの下段所定空間に出力する第５過程と;
前記放送出力端末１０２ａ−１０２ｎが広告視聴時間情報、端末固有コード及び視聴者ＩＤ情報を前記広告データ伝送サーバー１０６に伝送する第６過程と;
抽選時間になると前記広告データ伝送サーバー１０６が当選者を抽選する第７過程と;
当該当選者が確定されると前記広告データ伝送サーバー１０６がその当選内容を前記放送出力端末１０２ａ−１０２ｎに通報する第８過程と;
前記広告データ伝送サーバー１０６が当選金をリセット処理する第９過程を含んで構成されることを特徴とするＩＰＴＶを利用した放送広告データ自動出力制御方法。
【請求項１０２】
前記第１過程の以前過程として、前記広告データ伝送サーバー１０６がいずれか一つの放送出力端末１０２ａ−１０２ｎからＩＤアカウント信号を受信するかを判断する過程と;
ＩＤアカウント信号が受信されると当該視聴者の身上情報を受信してＩＤをアカウント処理する過程をさらに含むことを特徴とする請求項１０１に記載のＩＰＴＶを利用した放送広告データ自動出力制御方法。
【請求項１０３】
前記第１過程ないし第４過程の間には視聴者が前記放送出力端末１０２ａ−１０２ｎにＩＤを設定する過程をさらに含むことを特徴とする請求項１０２に記載のＩＰＴＶを利用した放送広告データ自動出力制御方法。
【請求項１０４】
前記放送出力端末１０２ａ−１０２ｎは設定された視聴者ＩＤを再び変更する前まで既存ＩＤを維持することを特徴とする請求項１０３に記載のＩＰＴＶを利用した放送広告データ自動出力制御方法。
【請求項１０５】
前記第７過程は、前記広告データ伝送サーバー１０６が各視聴者を広告視聴時間別に群を分類し、各群別当選金を差等設定する過程をさらに含むことを特徴とする請求項１０１に記載のＩＰＴＶを利用した放送広告データ自動出力制御方法。
【請求項１０６】
ユーザーＩＤを入力して放送データ及び広告データを出力し、当該視聴者が視聴した広告視聴時間を他人に譲渡するための情報を入力する放送出力端末１０２ａ−１０２ｎと;
予め多数の広告主端末１１０ａ−１１０ｎから伝送された広告データを格納し、前記広告データを放送出力端末１０２ａ−１０２ｎに伝送し、放送出力端末１０２ａ−１０２ｎから視聴者ＩＤ及び広告視聴時間情報を受信し、当該ＩＤ別に広告視聴時間を累積して広告視聴時間別に差等の対価を提供し、ＩＤ別広告視聴時間を他人に譲渡できるように制御する広告データ伝送サーバー１０６と;
前記放送データを放送出力端末１０２ａ−１０２ｎに送出するための放送データ伝送サーバー１０４で構成されることを特徴とする放送広告データ自動露出制御システム。
【請求項１０７】
広告データ伝送サーバー１０６が放送出力端末１０２ａ−１０２ｎを通じてＩＤ別広告視聴時間情報を受信して累積する第１過程と;
前記広告データ伝送サーバー１０６が放送出力端末１０２ａ−１０２ｎからＩＤ情報が受信されるかを判断し、ＩＤ情報が受信されると当該ＩＤを認証する第２過程と;
前記広告データ伝送サーバー１０６が放送出力端末１０２ａ−１０２ｎから譲渡を受けた者のＩＤ情報及び広告視聴時間譲渡信号が印加されるかを判断する第３過程と;
譲渡信号が印加された場合に前記広告データ伝送サーバー１０６は、当該譲渡者のＩＤと連動して格納された広告視聴時間を抽出して譲渡処理する第４過程と;
前記広告データ伝送サーバー１０６が放送出力端末１０２ａ−１０２ｎから応募信号が受信されるかを判断する第５過程と;
応募信号が受信されると当該広告視聴時間別に分類された応募者群別に当選者を抽選する第６過程と;
前記広告データ伝送サーバー１０６が当該当選者の放送出力端末１０２ａ−１０２ｎに当選情報を通知する第７過程と;
前記広告データ伝送サーバー１０６が当該応募者群の当選金をリセット処理する第８過程を含んで構成されることを特徴とするＩＰＴＶを利用した放送広告データ自動出力制御方法。
【発明の詳細な説明】
【技術分野】
【０００１】
本発明は放送広告データ自動露出制御システム及びその方法に関するもので、より詳細には、放送番組を視聴する際、視聴者の希望により他の放送チャンネルの画面に変更する時、出力される新しいチャンネル画面の下段所定部に広告データを一定時間出力することで、広告出力に対する拒否感を最小化し、且つ広告主の負担を軽減し、サーチしようとする放送番組に関する視覚的な連続性を担保できる放送広告データ自動露出制御システム及びその方法に関するものである。
【背景技術】
【０００２】
周知のように、通常の放送番組の間に挿入される広告は以前に終了した放送番組と以後に開始する放送番組との間の時間的空間を確保して視聴者が少しの時間を利用して他の業務を行ったり、前放送番組の余韻や感じを消しながら、新しい放送番組を接することができる気持ちを形成できるので、それなりの長所を有している。
【０００３】
しかし、このように放送番組の間に挿入される広告方式は前述した長所を有しているが、視聴者が望む放送番組でないため、広告に対する集中度が減少し、放送番組の間に多くの広告データを挿入すると、視聴者は相対的に退屈さを感じて他のチャンネルに変更する可能性が高まる短所がある。
【０００４】
したがって、放送番組の間に挿入される広告方式の場合は多くの広告データを挿入できない問題点があり、それによって広告主は巨額の広告出力費用を支払いながら広告を行わなければならない問題点がある。
【０００５】
また、視聴者の立場では広告を視聴することに対する何らの利得がないため、たとえ放送番組の間に挿入される広告の分量や時間が短くても他のチャンネルに変更する場合が多い。
【０００６】
一方、放送番組が出力される中間に非常に短い時間の間に単一の広告を出力する方式も外国や、有線ケーブル放送には存在する。しかし、この場合は放送番組の視聴中に視聴者の感興や感覚に対する連続性を広告データが遮断するため視聴者が焦燥感を感じて、より一層放送に集中するよりは出力される広告データに対する拒否感を持つ問題点がある。
【０００７】
また、既存の放送広告には認知度の高い芸能人や有名人を利用して広告を進行したが、認知度の高い芸能人や有名人は広告出演費用が非常に高いため、中小企業はそれらを利用した広告がほとんど不可能な問題点がある。
【０００８】
しかし、このような従来の放送広告露出システムの場合、視聴者が広告露出モードだけを設定した状態で、広告を視聴しないで他の業務を進行しても広告を持続的に視聴する視聴者と同一な当選機会が与えられる点で、広告視聴の集中度も反映できない問題点がある。
【０００９】
また、ドラマなどの放送データ出力時、その下段に出力される広告の場合、放送データのシーン内容を反映できない問題点があり、シナリオ情報と無関係に広告データが出力されるため、シナリオと全くマッチングしない広告情報が露出する恐れがある。
【００１０】
即ち、真摯なドラマの内容が出力される状況で、非常にコミカルな広告データが下段に露出するなどの問題点がある。
【００１１】
また、従来の放送広告露出システムは視聴者が広告データを別途に格納するための手段が全くない問題点がある。したがって、視聴者が広告内容に含まれた販売店の電話番号などを別途に記録した状態で今後注文などの行為を行う場合は、非常に不便である。
【００１２】
一方、従来の放送広告露出システムにおいては、本放送番組の内容によって広告が出力されると、自動でこれを認知して所定のＵＲＬに自動接続し、当該サーバーから広告データを受信して出力することで、多様なイベントの参加の機会を提供する機能が含まれている。しかし、所定の広告チャンネルに自動スイッチングされる機能が含まれていないため、その汎用性には制限がある。
【００１３】
また、従来の放送広告露出システムは視聴者が他の家庭を訪問した場合などには、広告視聴の対価が全く与えられない問題点があり、自分の広告視聴に対する対価または抽選参加の機会を他人に譲渡できないため、抽選参加に無関心した視聴者の場合は、広告視聴により発生した抽選参加の機会を失って、他人もこれを使用できない問題点がある。
【発明の概要】
【発明が解決しようとする課題】
【００１４】
前述した従来技術の問題点に鑑みてなされた本発明は、放送番組を視聴する際、視聴者の希望により他の放送チャンネルの画面に変更する時、出力される新しいチャンネル画面の下段所定部に広告データを一定時間出力することで、広告出力に対する拒否感を最小化し、且つ広告主の負担を軽減し、サーチしようとする放送番組に関する視覚的な連続性を担保できる放送広告データ自動露出制御システム及びその方法を提供することにその目的がある。
【００１５】
本発明の他の目的は放送番組を視聴する際、視聴者の希望により他の放送チャンネルの画面に変更する時、出力される新しいチャンネル画面の下段所定部に広告データを一定時間出力し、各視聴者別広告データの出力時間を累積して当選イベントに自動支援するようにし、それによる当選金額を配分できるようにすることで、広告視聴に対する対価を視聴者が共有できる放送広告データ自動露出制御システム及びその方法を提供することにある。
【００１６】
本発明のもう一つの目的は放送番組を視聴する際、視聴者の希望により他の放送チャンネルの画面に変更する時、出力される新しいチャンネル画面の下段所定部に広告データを一定時間出力し、視聴者が予め設定したその広告データのサイズによる群を別途に分類して当選金額が連動するようにした放送広告データ自動露出制御システム及びその方法を提供することにある。
【００１７】
本発明のもう一つの目的はＤＭＢフォーンや、ナビゲーションを通して放送番組を視聴する際、視聴者の希望により他の放送チャンネルの画面に変更する時、出力される新しいチャンネル画面の下段所定部に広告データを一定時間出力できる放送広告データ自動露出制御システム及びその方法を提供することにある。
【００１８】
本発明のもう一つの目的は放送番組を視聴する際、視聴者の希望により他の放送チャンネルの画面に変更する時、出力される新しいチャンネル画面の下段所定部に広告データを一定時間出力し、特定芸能人を広告主が指定し、その芸能人の画像や動画データを広告データの内部に自動で挿入させる放送広告データ自動露出制御システム及びその方法を提供することにある。
【００１９】
本発明のもう一つの目的は放送出力時に、共にまたは単独に広告データが露出される際、広告視聴を確認する確認信号を発生する時間によって差別化した広告視聴の対価を提供する放送広告データ自動露出制御システム及びその方法を提供することにある。
【００２０】
本発明のもう一つの目的は放送データ内に含まれたシーン情報及びシナリオ情報を抽出して当該シーン情報またはシナリオ情報とマッチングされる広告データを抽出し、これを画面に出力するように制御することで、広告出力内容に対する視聴者の拒否感を減らすことができる放送広告データ自動露出制御システム及びその方法を提供することにある。
【００２１】
本発明のもう一つの目的は視聴者が画面に露出された広告データをＰＶＲに格納することで、今後広告データを画面に出力できる放送広告データ自動露出制御システム及びその方法を提供することにある。
【００２２】
本発明のもう一つの目的は本放送番組の内容に合わせた広告が出力される時に、これを自動で認知して所定の広告専用チャンネルに自動スイッチングでき、本放送番組の開始信号が抽出されると以前のチャンネルに戻すように制御することで、広告視聴に対する対価を視聴者に与えることができる放送広告データ自動露出制御システム及びその方法を提供することにある。
【００２３】
本発明のもう一つの目的は遠隔の他の家庭でもＩＰＴＶをログインできるようにすることで、他の家庭の訪問時にも当該視聴者のＩＤを利用して広告視聴に対する対価を受け取ることができる放送広告データ自動露出制御システム及びその方法を提供することにある。
【００２４】
本発明のもう一つの目的は自分の広告視聴に対するイベント参加または抽選参加の機会を他人に譲渡することで、譲渡を受けた者の当選確率を高めることができる放送広告データ自動露出制御システム及びその方法を提供することにある。
【課題を解決するための手段】
【００２５】
前述した目的を達成するために、本発明の好ましい実施形態によれば、画面出力領域１００に構成された放送データ出力領域２００に放送データを出力し、広告出力条件を満たす時に画面出力領域の下段に広告データ出力領域３００を分割生成して広告データを一定時間出力する放送出力端末２ａ〜２ｎと;中継局や中継衛星の中継網を通じて放送データを前記放送出力端末２ａ〜２ｎに伝送するための放送データ伝送サーバー４と;広告データ及び広告情報を広告データ伝送サーバー６に伝送するための広告主端末１０ａ〜１０ｎと;多数の前記広告主端末１０ａ〜１０ｎから伝送された広告データを格納し、この広告データを前記放送出力端末２ａ〜２ｎに伝送する広告データ伝送サーバー６を含んで構成されることを特徴とする放送広告データ自動露出制御システムが提供される。
【００２６】
また、本発明の他の態様によれば、広告データ伝送サーバー６が多数の広告主端末１０ａ〜１０ｎから広告データを受信して各広告主別に登録処理する第１過程と;前記広告データ伝送サーバー６が多数の広告データを放送出力端末２ａ〜２ｎに伝送する第２過程と;前記放送出力端末２ａ〜２ｎが前記広告データ伝送サーバー６から伝送された広告データを格納する第３過程と;前記放送出力端末２ａ〜２ｎが地上波、衛星放送、ケーブル放送の放送データを画面に出力する第４過程と;前記放送出力端末２ａ〜２ｎが広告出力条件を満たすかどうかを判断する第５過程と;当該広告出力条件を満たすと、内部に既に格納された広告データを抽出して画面に出力する第６過程と;前記放送出力端末２ａ〜２ｎが広告データの出力が開始した時点からタイマー２６ａを駆動して、予め設定された一定時間になったかを判断する第７過程と;既設定時間になると当該前記放送出力端末２ａ〜２ｎを通じて画面に出力される広告データを除去して元の放送データ出力画面に復帰させる第８過程を含んで構成されることを特徴とする放送広告データ自動露出制御方法が提供される。
【発明の効果】
【００２７】
本発明に係る放送広告データ自動露出制御システム及びその方法は放送番組検索のためのチャンネルの変更時や電源オン／オフ時、当該放送番組を出力させながら別途の広告データを同一画面に出力させることで、放送番組の連続性を維持しながら広告データを露出させることができる長所がある。また、その広告データの露出による広告費用を累積して一定時間間隔で自動抽選を実行して広告視聴者に視聴の対価を補償するので、広告視聴時間が増加でき、広告の集中力を増加させることができる長所がある。また、ローカル広告データの出力時、自動で芸能人イメージが挿入されるようにして、低廉な肖像権料を通じて広告を進行でき、芸能人はＣＦ撮影活動以外に付加的な広告収益を得ることができる長所がある。
【００２８】
また、放送出力時視聴者の総広告視聴時間によって差別化した広告視聴の対価を提供することで、より多くの広告データを視聴する同期を与え、放送データ内に含まれたシーン情報及びシナリオ情報とマッチングされる広告データを出力することで、広告出力内容に対する視聴者の拒否感を減らす。さらに、予め広告専用チャンネルを確保した状態で、本放送番組の内容でない広告が出力されると自動で所定の広告専用チャンネルに自動スイッチングすることで、広告視聴に対する対価を視聴者に与えることができ、遠隔の他の家庭でもＩＰＴＶを自分のＩＤでログインできるようにすることで、他の家庭の訪問時にも当該視聴者のＩＤを利用して広告視聴に対する対価を受け取ることができる。そして、自分の広告視聴に対するイベント参加または抽選参加の機会を他人に譲渡することで、当選確率や当選金を高めることができる長所がある。
【図面の簡単な説明】
【００２９】
【図１】本発明の第１実施形態に係る放送広告データ自動露出制御システムの概略的な構成を示した模式図である。
【図２】本発明の第１実施形態に係る放送広告データ自動露出制御システムのデータ流れを示した図面である。
【図３】本発明の第１実施形態に係る放送広告データ自動露出制御システムにおいて放送出力端末を通じて出力される画面を示した図面である。
【図４】本発明の第１実施形態に係る放送広告データ自動露出制御システムに備えられた放送出力端末の構成を示したブロック図である。
【図５】本発明の第１実施形態に係る放送広告データ自動露出制御システムに備えられた広告データ伝送サーバーの構成を示したブロック図である。
【図６】図６ａ、６ｂは本発明の第１実施形態に係る放送広告データ自動露出制御システムの信号流れを示したフローチャートである。
【図７】本発明の第２実施形態に係る放送広告データ自動露出制御システムに備えられた放送出力端末の構成を示したブロック図である。
【図８】本発明の第２実施形態に係る放送広告データ自動露出制御システムに備えられた広告データ伝送サーバーの構成を示したブロック図である。
【図９】本発明の第２実施形態に係る放送広告データ自動露出制御システムの信号流れを示したフローチャートである。
【図１０】本発明の第３実施形態に係る放送広告データ自動露出制御システムの信号流れを示したフローチャートである。
【図１１】本発明の第４実施形態に係る放送広告データ自動露出制御システムに備えられた広告データ伝送サーバーの構成を示したブロック図である。
【図１２】本発明の第４実施形態に係る放送広告データ自動露出制御システムの信号流れを示したフローチャートである。
【図１３】本発明の第４実施形態に係る放送広告データ自動露出制御システムの信号流れを示したフローチャートである。
【図１４】本発明の第５実施形態に係る放送広告データ自動露出制御システムの構成を概略的に示した模式図である。
【図１５】本発明の第５実施形態に係る放送広告データ自動露出制御システムのデータ流れを示した図面である。
【図１６】本発明の第５実施形態に係る放送広告データ自動露出制御システムに含まれた放送出力端末を通じて出力される画面を示した図面である。
【図１７】本発明の第５実施形態に係る放送広告データ自動露出制御システムに備えられた放送出力端末の構成を示したブロック図である。
【図１８】本発明の第５実施形態に係る放送広告データ自動露出制御システムに備えられた広告データ伝送サーバーの構成を示したブロック図である。
【図１９】本発明の第５実施形態に係る放送広告データ自動露出制御システムの信号流れを示したフローチャートである。
【図２０】本発明の第６実施形態に係る放送広告データ自動露出制御システムのデータ流れを示した図面である。
【図２１】本発明の第６実施形態に係る放送広告データ自動露出制御システムに備えられた放送出力端末の構成を示したブロック図である。
【図２２】本発明の第６実施形態に係る放送広告データ自動露出制御システムの信号流れを示したフローチャートである。
【図２３】本発明の第７実施形態に係る放送広告データ自動露出制御システムの信号流れを示したフローチャートである。
【図２４】本発明の第８実施形態に係る放送広告データ自動露出制御システムに備えられた放送出力端末の構成を示したブロック図である。
【図２５】本発明の第８実施形態に係る放送広告データ自動露出制御システムの信号流れを示したフローチャートである。
【図２６】本発明の第８実施形態に係る放送広告データ自動露出制御システムの信号流れを示したフローチャートである。
【図２７】本発明の第５実施形態に係る放送広告データ自動露出制御システムに備えられた放送出力端末の構成を示したブロック図である。
【図２８】本発明の第５実施形態に係る放送広告データ自動露出制御システムに備えられた広告データ伝送サーバーの構成を示したブロック図である。
【図２９】本発明の第５実施形態に係る放送広告データ自動露出制御システムの信号流れを示したフローチャートである。
【図３０】本発明の第６実施形態に係る放送広告データ自動露出制御システムの信号流れを示したフローチャートである。
【発明を実施するための形態】
【００３０】
以下、本発明の第１実施形態について図面を参照して詳細に説明する。
【００３１】
図１は本発明の第１実施形態に係る放送広告データ自動露出制御システムの概略的な構成を示した模式図である。
【００３２】
これを参照すれば、本発明の第１実施形態に係る放送広告データ自動露出制御システムは放送番組を視聴する際、視聴者の希望により他の放送チャンネルの画面に変更する時、出力される新しいチャンネル画面の下段所定部に広告データを一定時間出力することで、広告出力に対する拒否感を最小化し、且つ広告主の負担を軽減し、サーチしようとする放送番組に関する視覚的な連続性を担保できるようにしたシステムである。
【００３３】
即ち、本発明の第１実施形態に係る放送広告データ自動露出制御システムは広告データに対する視聴者の拒否感を最小化し、且つ広告主の経済的負担を軽減できるように、視聴者が放送番組サーチのためにチャンネルを変更する時、画面を一定割合で分割し、一部には変更されたチャンネルの放送データを出力し、残りの一部には広告データを一定時間だけ出力するように制御するシステムである。
【００３４】
また、本発明の第１実施形態に係る放送広告データ自動露出制御システムはＤＭＢフォーンや、ナビゲーションを通して放送番組を視聴する際、視聴者の希望により他の放送チャンネルの画面に変更する時、出力される新しいチャンネル画面の下段所定部に広告データを一定時間出力するようにしたシステムに適用可能である。
【００３５】
したがって、本発明の第１実施形態に係る放送広告データ自動露出制御システムに含まれた放送出力端末２ａ〜２ｎは放送データの出力が可能であり、端末固有コード伝送やローカル広告または中央広告データの受信と出力が可能なＩＰＴＶを始めとして、ＰＣ、ＤＭＢフォーン、ナビゲーションなどの各種放送データ出力装置を全て含むことができる。
【００３６】
このために、放送データ及び広告データが出力される放送出力端末として、本発明ではＩＰＴＶ、ＤＭＢフォン、ナビゲーションを例示し、まずＩＰＴＶについて説明する。
【００３７】
一般的に、ＩＰＴＶを構成するＤＴＶ及びＰＶＲ装置において、ＰＶＲはＳＴＢに内蔵された(ｅｍｂｅｄｄｅｄ)形態で構成する。衛星、ケーブル、地上波などから伝送される放送信号をＳＴＢ(ｓｅｔ−ｔｏｐ  ｂｏｘ)でＰＶＲに提供すると、これをＰＶＲが録画する構造になっている。そして、ＤＴＶはＳＴＢに直接連結されて衛星、ケーブル、地上波から放送情報を受信し、これをディスプレーしたりＰＶＲに格納されているコンテンツをディスプレーする機能を行う。
【００３８】
このようなシステムにおいて、放送サービスに関する付加情報は衛星、ケーブル、地上波などの放送アクセスネットワーク(ｂｒｏａｄｃａｓｔ  ａｃｃｅｓｓ  ｎｅｔｗｏｒｋ)から直接受信する。このような情報はＥＰＧにより活用でき、ユーザーに番組に関する案内情報を提供するための用途に用いる。このような付加情報はＭＨＰ(ｍｕｌｔｉｍｅｄｉａ  ｈｏｍｅ  ｐｌａｔｆｏｒｍ）の場合ＤＶＢ−ＳＩを使用し、ＯＣＡＰ(ｏｐｅｎ  ｃａｂｌｅ  ａｐｐｌｉｃａｔｉｏｎ  ｐｌａｔｆｏｒｍ)ではＰＳＩＰを使用する。
【００３９】
ＩＰＴＶの場合にも衛星、ケーブル、地上波などから伝送される放送信号をＳＴＢでＰＶＲに提供し、これをＰＶＲが録画する構造になっており、インターネット基盤の放送アクセスネットワーク、例えば衛星、ケーブル、地上波などから伝送される放送信号を受信する構造になっている。
【００４０】
このようなＩＰＴＶはコンピュータ端末と同様に、内部にモデムを備えており、特定ＵＲＬに対するインターネットサーフィン及びデータのアップロード及びダウンロードが可能である。
【００４１】
即ち、本発明の第１実施形態に係る放送広告データ自動露出制御システムに含まれた放送出力端末２ａ〜２ｎは地上波及び衛星放送の放送データ出力ができ、一定条件を満たすと端末内部に格納された固有コードを特定サーバーに伝送できることが必要である。また、特定広告データを受信して格納し、チャンネル変更の条件を満たすと、その格納された広告データを自動で出力できることも必要である。
【００４２】
したがって、本発明の第１実施形態に係る放送広告データ自動露出制御システムに含まれた放送出力端末２ａ〜２ｎは基本的に広告データを受信することができるように、インターネットに接続可能で、且つデータ通信が可能でなければならない。
【００４３】
また、本発明の第１実施形態に係る放送広告データ自動露出制御システムに含まれた放送出力端末２ａ〜２ｎは、その内部に格納した広告データ出力条件を満たすと、放送データと共に分割して画面に出力するように設定されている。ここで、広告出力条件とは、放送出力端末２ａ〜２ｎの電源をオンする時、電源をオフする時、及び放送出力端末２ａ〜２ｎを通じて視聴者がチャンネル変更を試みる場合の信号流入時を言う。即ち、放送出力端末２ａ〜２ｎの電源をオンまたはオフするための信号が印加される場合、及びチャンネル変更信号が印加される場合に、画面の一部に既に格納された広告データを出力するように設定されている。
【００４４】
一方、ＰＣの場合は双方向通信を行うために広告クリックに対する対価を広告主がユーザーに提供できるが、ＴＶはそのような機能がなく、放送番組の間に出力される広告は一方向的な出力方式である。
【００４５】
これに対して、本発明の第１実施形態に係る放送広告データ自動露出制御システムは放送出力端末２ａ〜２ｎが遠隔サーバーと双方向通信を行うようにし、放送出力端末２ａ〜２ｎが広告視聴時間や、広告出力頻度数をチェックして遠隔サーバーに提供することで、今後広告視聴に対する対価が還元できるようにする。したがって、放送出力端末２ａ〜２ｎにはそのような機能を行うための装置が備えられている。
【００４６】
また、本発明の第１実施形態に係る放送広告データ自動露出制御システムに含まれた放送出力端末２ａ〜２ｎは、画面に出力する広告データが地域性を考慮しない中央広告データの場合もあり、地域性を考慮したローカル広告データの場合もある。即ち、遠隔サーバーにおいて、地域性を勘案したローカル広告データを放送出力端末２ａ〜２ｎに伝送するためには、放送出力端末２ａ〜２ｎの地域コードを遠隔サーバーで管理しなければならず、放送出力端末２ａ〜２ｎと遠隔サーバーとの間のセッション設定時、放送出力端末２ａ〜２ｎは端末固有コードを当該遠隔サーバーに伝送しなければならない。
【００４７】
即ち、ユーザーが有している放送出力端末２ａ〜２ｎが、例えば韓国のソウル市瑞草洞に位置した場合は、ソウル市瑞草洞のチキン店に関するローカル広告を出力することが好ましい。
【００４８】
したがって、本発明の第１実施形態に係る放送広告データ自動露出制御システムに含まれた放送出力端末２ａ〜２ｎは、遠隔サーバーとのセッション設定時端末固有コードを伝送するように設定することが好ましい。
【００４９】
一方、本発明の第１実施形態に係る放送広告データ自動露出制御システムには予め多数の広告主端末１０ａ〜１０ｎから伝送された広告データを格納し、この広告データを放送出力端末２ａ〜２ｎに伝送する広告データ伝送サーバー６が備えられている。その広告データ伝送サーバー６は放送出力端末２ａ〜２ｎから出力される広告データが、その放送出力端末２ａ〜２ｎの地域を反映したローカル広告として出力されるようにするために、広告データ伝送サーバー６の内部には各放送出力端末２ａ〜２ｎの位置情報に固有コードを与えて格納しており、さらに当該固有コードは各地域別に分類されている。
【００５０】
したがって、広告主端末１０ａ〜１０ｎを通じて印加された広告データを特定ローカル広告として出力するように広告主が指定すると、広告データ伝送サーバー６は予め分類した特定地域の固有コードとマッチングされた特定放送出力端末２ａ〜２ｎにだけ当該広告データを伝送する。
【００５１】
一方、広告データ伝送サーバー６は放送出力端末２ａ〜２ｎから一定時間間隔、または放送出力端末２ａ〜２ｎの電源オフ時に当該放送出力端末２ａ〜２ｎを通じて出力された広告時間情報を受信し、広告を出力させた視聴者に出力時間に比例して補償を行う。したがって、広告データ伝送サーバー６は各放送出力端末２ａ〜２ｎ別に広告時間情報及び端末固有番号を受信して格納する。
【００５２】
図２は本発明の第１実施形態に係る放送広告データ自動露出制御システムのデータの流れを示したブロック図であり、図３は本発明の第１実施形態に係る放送広告データ自動露出制御システムにおいて放送出力端末を通じて出力される画面を示した例示図である。
【００５３】
これを参照すれば、本発明の第１実施形態に係る放送広告データ自動露出制御システムはＩＰＴＶやＤＭＢフォン、ナビゲーションなどからなり、放送データを出力するための放送出力端末２ａ〜２ｎの画面領域１００は、広告出力条件(チャンネル変換、電源オン／オフ)に対応して広告データを出力する広告出力領域３００と、放送データを出力する放送データ出力領域２００に分割されている。
【００５４】
この時、放送出力端末２ａ〜２ｎは広告データを伝送する広告データ伝送サーバー６からリアルタイムに広告データを受信して画面領域１００に出力することができ、予め広告データ伝送サーバー６から広告データを受信して格納した後、広告データ出力条件を満たした時点で既に格納された広告データを抽出して画面出力できる。
【００５５】
一方、放送出力端末２ａ〜２ｎを通じて出力される画面領域１００は広告出力条件を満たした時点で、その画面領域１００を通じて出力される放送データ出力領域２００を予め一定割合で縮小し、その縮小により生じた余裕空間に広告出力領域３００を構成するために、所定の画面比が放送出力端末２ａ〜２ｎに設定されており、その画面比はユーザーが任意に調整可能である。
【００５６】
また、放送出力端末２ａ〜２ｎの画面領域１００を通じて出力される広告データ出力領域３００は一定時間の経過後に自動で除去される。
【００５７】
即ち、本発明の第１実施形態に係る放送広告データ自動露出制御システムは広告データが画面に出力されることで、視聴者が有する拒否感を最小化し、且つ広告効果を極大化し、広告主の負担を最小化するためのシステムであり、放送出力端末２ａ〜２ｎは広告出力条件(例えば、チャンネル変換や電源オン／オフ時）を満たした時にだけ予め格納された広告データ、またはリアルタイムに広告データ伝送サーバー６から伝送された広告データを一時的に画面に出力し、当該出力時間が経過した後にはその広告データを自動で除去する。
【００５８】
したがって、視聴者が電源をオン／オフする時、他の放送チャンネル番組を検索するためにチャンネルを変更する時にだけ一時的に広告データが画面に出力される。
【００５９】
通常、チャンネル検索は現在のチャンネル番組に興味を感じない場合に他のチャンネル番組が何かを確認するために行う。したがって、チャンネルの変更時放送データ出力領域２００のサイズが多少縮小しても、視聴者がチャンネル検索のために感じる不便さはなく、広告データの出力時間に比例して補償する構成になっているので、視聴者は自発的に広告データの出力を設定できる。
【００６０】
したがって、本発明の第１実施形態に係る放送広告データ自動露出制御システムは視聴者が自発的に放送出力端末２ａ〜２ｎを通じて広告出力を設定した場合だけを想定して説明する。
【００６１】
一方、放送出力端末２ａ〜２ｎを通じて出力される広告出力領域３００をさらに細分化できる。例えば、製品イメージや芸能人イメージ出力領域３０２、広告領域３０４、及び当該業者のイベント情報３０６に分割して広告を出力することができる。ここで、イベント情報３０６は、広告出力による視聴者補償情報(例えば、累積された当選金情報)を出力できることが好ましい。
【００６２】
図４は本発明の第１実施形態に係る放送広告データ自動露出制御システムに備えられた放送出力端末の構成を示したブロック図である。
【００６３】
これを参照すれば、本発明の第１実施形態に係る放送広告データ自動露出制御システムに備えられた放送出力端末２ａ〜２ｎは、その内部に通信モジュール、リモコン情報受信部、画面出力制御部、広告挿入制御部、放送データ出力制御部、放送データ録画制御部、データ格納部、制御部及びタイマーで構成されている。
【００６４】
参照符号１２は放送アクセスネットワークまたはインターネット網に接続して放送データ伝送サーバー４及び広告データ伝送サーバー６とのデータ送受信を行い、プロトコルマッチング及びフィルターリングを行う通信モジュールを示す。
【００６５】
参照符号１４は視聴者の広告データ出力設定信号、広告データの画面比率調整信号、広告データの詳細情報確認信号、チャンネル変換信号、及び電源オン／オフ信号に対するリモコン信号を受信するためのリモコン情報受信部を示す。
【００６６】
参照符号１６は放送出力端末２ａ〜２ｎを通じて出力される放送データ及び広告データの出力を制御するための画面出力制御部を示し、参照符号１８は画面出力制御部１６と連動して広告データ伝送サーバー６から伝送された広告データを画面領域に挿入して出力するように制御する広告挿入制御部を示す。
【００６７】
参照符号２０は放送データ伝送サーバー４から伝送されたデジタル放送データを受信し、放送出力端末２ａ〜２ｎを通じて出力するように制御する公知の放送データ出力制御部を示す。この放送データ出力制御部２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除される。しかし、これらはＩＰＴＶの一般的な構成要素であり、放送データ出力制御部２０はこのようなハードウェア及びＯＳを通じて通常の放送出力機能を行う制御部であるので、放送データ出力制御部２０についての具体的な説明は省略する。
【００６８】
参照符号２２は放送データ伝送サーバー４から伝送されたデジタル放送データを受信して録画格納するための放送データ録画制御部を示すものである。その放送データ録画制御部２２は通常のＩＰＴＶに構成されたＰＶＲ(不図示)を制御するための公知の手段であり、本発明の必須構成要素ではない。
【００６９】
参照符号２４は広告データ伝送サーバー６から伝送された広告データを格納し、端末固有番号情報を格納し、視聴者の広告データ出力設定信号、広告データの画面比率調整信号を受信し、その設定情報を格納するためのデータ格納部を示す。
【００７０】
参照符号２６はリモコン情報受信部１４を通じて広告データの画面出力に対する設定信号を受信し、広告データ伝送サーバー６から広告データを受信して格納した状態で、リモコン情報受信部１４から広告出力条件信号を受信すると広告データを一定時間出力するように制御するための制御部を示す。参照符号２６ａは制御部２６の内部に備えられて広告出力時間を演算するためのタイマーを示す。
【００７１】
一方、制御部２６はリモコン情報受信部１４から出力される広告データの比率を調整するための信号を受信し、画面出力制御部１６に制御信号を発生して広告データの出力サイズを調整するための制御ルーチンが設定されており、タイマー２６ａと連動して広告出力時間を累積演算し、一定時間間隔毎に広告データ伝送サーバー６に当該広告の出力時間情報を伝送するように設定されている。その伝送時には内部の固有コードをデータ格納部２４から抽出して伝送するように設定されている。
【００７２】
また、好ましくは、放送出力端末２ａ〜２ｎを通じて画面出力される広告データは格納順序に基づいて格納時に一定の順番を自動で与えることで、当該順番通りにチャンネルの変更時や電源オン／オフ時画面に出力するように放送出力端末２ａ〜２ｎに予め設定されている。
【００７３】
好ましくは、放送出力端末２ａ〜２ｎは、その内部に広告データ出力を視聴者が設定するためのキー入力部(不図示)、及び広告出力領域３００のサイズに対する比率を調整するためのキー入力部(不図示)を含んでいる。
【００７４】
図５は本発明の第１実施形態に係る放送広告データ自動露出制御システムに備えられた広告データ伝送サーバーの構成を示したブロック図である。
【００７５】
これを参照すれば、本発明の第１実施形態に係る放送広告データ自動露出制御システムに備えられた広告データ伝送サーバー６は、その内部に通信モジュール、認証処理部、広告データ生成部、挿入データ組合せ部、端末情報管理部、広告主情報管理部、広告費用精算部、認証情報ＤＢ、広告ＤＢ、端末情報ＤＢ、広告主情報ＤＢ、広告費用精算ＤＢ、及び制御部を含んで構成される。
【００７６】
参照符号２８は放送出力端末２ａ〜２ｎと、広告主端末１０ａ〜１０ｎとのデータ通信を通じて各種データのアップロード／ダウンロードを行い、プロトコルマッチングやデータフィルターリングを行うための通信モジュールを示す。
【００７７】
参照符号３０は放送出力端末２ａ〜２ｎと、広告主端末１０ａ〜１０ｎを通じてデータ伝送を行おうとする視聴者及び広告主の真偽を判断するために認証を行う認証処理部を示す。
【００７８】
参照符号３２は広告主端末１０ａ〜１０ｎから広告データを受信して格納し、その広告データに業者イベント情報及びイメージ情報を含んだデータを生成して放送出力端末２ａ〜２ｎに伝送するための広告データ生成部を示す。
【００７９】
参照符号３４は広告データ生成部３２と連動して業者イベント情報及びイメージ情報を広告データ内部に挿入するための挿入データ組合せ部を示す。
【００８０】
参照符号３６は放送出力端末２ａ〜２ｎと、広告主端末１０ａ〜１０ｎの端末固有コード情報を管理し、受信するデータを固有コード別に分類するための端末情報管理部を示し、参照符号３８は広告主が予め引き落とした広告費用情報、及び地域情報を含んだ身上情報を管理するための広告主情報管理部を示す。
【００８１】
参照符号４０は放送出力端末２ａ〜２ｎを通じて出力される広告データの出力時間に比例して広告費用を精算処理するための広告費用精算部を示す。
【００８２】
参照符号４２ａは視聴者及び広告主の真偽を判断するための認証情報を格納する認証情報ＤＢを示し、参照符号４２ｂは広告主端末１０ａ〜１０ｎから伝送された広告データを格納する広告ＤＢを示す。参照符号４２ｃは放送出力端末２ａ〜２ｎと、広告主端末１０ａ〜１０ｎの端末固有コード情報、及びその固有コード情報とマッチングされる地域情報を格納する端末情報ＤＢを示す。
【００８３】
参照符号４２ｄは広告主が予め引き落とした広告費用情報、及び地域情報を含んだ身上情報を格納するための広告主情報ＤＢを示し、参照符号４２ｅは広告主の広告出力費用の精算情報を格納するための広告費用精算ＤＢを示す。
【００８４】
参照符号４４は広告主端末１０ａ〜１０ｎから広告データを受信して格納し、放送出力端末２ａ〜２ｎから広告出力要請信号及び当該端末情報を受信して登録し、広告データに業者イベント情報及びイメージ情報を含んだ広告データを生成し、この広告データを一定時間間隔で放送出力端末２ａ〜２ｎに伝送する制御部を示す。
【００８５】
一方、制御部４４は放送出力端末２ａ〜２ｎの地域情報を受信し、その固有コードとマッチングさせて地域別に分類することで、広告主が望む地域単位のローカル広告データが各放送出力端末２ａ〜２ｎ別に伝送されるように制御する。
【００８６】
前述した構成を有する本発明の第１実施形態に係る放送広告データ自動露出制御システムの機能と作用について添付図面を参照して詳細に説明する。
【００８７】
図６ａ、６ｂは本発明の第１実施形態に係る放送広告データ自動露出制御システムの信号流れを示したフローチャートである。
【００８８】
まず、図６ａを参照すれば、本発明の第１実施形態に係る放送広告データ自動露出制御システムに含まれた広告データ伝送サーバー６は、多数の広告主端末１０ａ〜１０ｎから広告データを受け付けて各広告主別に登録し、業者のイベント情報を挿入して伝送可能な広告データを生成する(ＳＴ−１、２)。
【００８９】
そして、広告データ伝送サーバー６は有無線インターネット網で連結された多数の広告データを放送出力端末２ａ〜２ｎに伝送する(ＳＴ−３)。
【００９０】
この時、広告データ伝送サーバー６は一定時間間隔で更新された広告データを放送出力端末２ａ〜２ｎに伝送でき、リアルタイムに受け付けた広告データを伝送することも可能である。
【００９１】
また、広告データ伝送サーバー６は放送出力端末２ａ〜２ｎの地域コード情報とマッチングされる広告データだけを別途に選別し、これを放送出力端末２ａ〜２ｎに伝送できる。
【００９２】
次に、放送出力端末２ａ〜２ｎは広告データ伝送サーバー６から伝送された広告データを格納し、地上波、衛星放送、ケーブル放送の放送データを画面を通じて出力する(ＳＴ−４、５)。
【００９３】
続いて、放送出力端末２ａ〜２ｎは広告出力条件(例えば、チャンネル転換信号発生や電源オン／オフ信号発生時）を満たすかどうかを判断し、当該広告出力条件を満たすと、内部に既に格納された広告データを抽出し、画面に出力される放送データを一定比率で縮小し、その残り空間に抽出した広告データを出力する(ＳＴ−６、７、８)。
【００９４】
好ましくは、放送出力端末２ａ〜２ｎを通じて画面出力される広告データは格納時に格納順序に基づいて一定の順番を自動で与え、当該順番通りチャンネルの変更時や電源オン／オフ時画面に出力するように放送出力端末２ａ〜２ｎに予め設定されている。
【００９５】
一方、放送出力端末２ａ〜２ｎは広告データの出力が開始した時点からタイマー２６ａを駆動して、予め設定された一定時間(約１０秒）が経過したかを判断する(ＳＴ−９)。設定された時間の経過後には当該放送チャンネルを視聴しようとすることを認知し、当該放送出力端末２ａ〜２ｎは画面に出力される広告データを除去する(ＳＴ−１０)。
【００９６】
また、設定された時間が経過しない時点で、他のチャンネルへの変更信号が印加されているかを判断し(ＳＴ−１１)、他のチャンネルへの変更信号が印加された場合に、広告データを出力する第７段階に戻す。
【００９７】
一方、図６ｂを参照すれば、本発明の第１実施形態に係る放送広告データ自動露出制御システムに備えられた放送出力端末２ａ〜２ｎは特定チャンネルの放送データを画面に出力する状態で、広告出力条件(例えば、チャンネル転換信号発生や電源オン／オフ信号発生時）を満たすと、広告データを出力する。この時、予め出力される放送データを所定比率で縮小させる(ＳＴ−２０)。
【００９８】
即ち、ユーザーは放送出力端末２ａ〜２ｎに予め広告データ及び放送データの出力比率を設定できる。例えば、全体画面比率を１０と仮定する時、広告データ：放送データを２：８に設定することができ、３：７、４：６、５：５などに設定できる。
【００９９】
したがって、広告データ出力条件が満たすかどうかを放送出力端末２ａ〜２ｎが判断し、条件を満たした時点で放送出力端末２ａ〜２ｎは画面に出力される放送データを一定比率で縮小させ、広告データを画面の下段に挿入する。そうすると、図３に示したような画面が構成される(ＳＴ−２１)。
【０１００】
そして、放送出力端末２ａ〜２ｎは広告データの出力が開始された時点からタイマー２６ａを駆動して、予め設定された一定時間(約１０秒）が経過したかを判断する(ＳＴ−２２)。設定された時間の経過後には当該放送チャンネルを視聴しようとすることを認知して画面に出力される広告データを除去し、放送データのサイズを元の状態に復元させる(ＳＴ−２３、２４)。
【０１０１】
以下、本発明の第２実施形態について図面を参照して詳細に説明する。
【０１０２】
これを参照すれば、本発明の第２実施形態に係る放送広告データ自動露出制御システムは放送番組を視聴する際、視聴者の希望により他の放送チャンネルの画面に変更する時に出力される新しいチャンネル画面の下段所定部に広告データを一定時間出力し、各視聴者別広告データの出力時間を累積して当選イベントに自動支援するようにし、それによる当選金額を配分できるようにすることで、広告視聴に対する対価を視聴者が共有できるようにしたシステムである。
【０１０３】
即ち、本発明の第２実施形態に係る放送広告データ自動露出制御システムは視聴者が放送出力端末２ａ〜２ｎを通じて広告データを視聴可能に設定し、広告視聴時には視聴の対価を支払う。即ち、本発明の第２実施形態に係る放送広告データ自動露出制御システムは広告視聴時間に比例して広告視聴の対価を支払う。
【０１０４】
また、本発明の第２実施形態に係る放送広告データ自動露出制御システムは広告主が広告視聴の対価として視聴者に支払う費用を合算して一定時間間隔毎に抽選を行い、ある一人の視聴者に合算した費用を支払う。
【０１０５】
このために、本発明の第２実施形態に係る放送広告データ自動露出制御システムには地上波及び衛星放送、ケーブル放送チャンネル信号を受信して放送データを画面に出力し、遠隔サーバーから伝送された広告データを格納し、広告出力条件を満たすかどうかを判断し、広告出力条件を満たすと当該広告データを放送データと共に画面に出力し、その端末の固有番号及び広告視聴時間情報を遠隔サーバーに伝送するための放送出力端末２’ａ〜２’ｎが提供される。
【０１０６】
一方、本発明の第２実施形態に係る放送広告データ自動露出制御システムは、多数の広告主端末１０ａ〜１０ｎから伝送された広告データを予め格納し、この広告データを放送出力端末２’ａ〜２’ｎに伝送する広告データ伝送サーバー６’を備えている。その広告データ伝送サーバー６は放送出力端末２’ａ〜２’ｎから出力される広告データが、その放送出力端末２’ａ〜２’ｎの地域を反映したローカル広告として出力されるようにする。このために、広告データ伝送サーバー６’の内部には各放送出力端末２ａ〜２ｎの位置情報に固有コードを与えて格納しており、さらに当該固有コードは各地域別に分類されている。
【０１０７】
一方、広告データ伝送サーバー６’は放送出力端末２’ａ〜２’ｎから一定時間間隔、またはリアルタイムや放送出力端末２’ａ〜２’ｎの電源オフ時に当該放送出力端末２’ａ〜２’ｎを通じて出力された広告時間情報を受信し、広告を出力させた視聴者に出力時間に比例して補償を行う。したがって、広告データ伝送サーバー６’は各放送出力端末２’ａ〜２’ｎ別に広告視聴時間情報及び端末固有番号を受信して格納する。
【０１０８】
また、広告データ伝送サーバー６’は広告主の要求によって各種割引イベントなどのイベント情報を広告データに含めて放送出力端末２’ａ〜２’ｎに出力できる。
【０１０９】
図７は本発明の第２実施形態に係る放送広告データ自動露出制御システムに備えられた放送出力端末の構成を示したブロック図である。
【０１１０】
これを参照すれば、放送出力端末２’ａ〜２’ｎは、その内部に通信モジュール、リモコン情報受信部、画面出力制御部、広告挿入制御部、放送データ出力制御部、放送データ録画制御部、広告視聴時間判断部、データ格納部、制御部及びタイマーで構成されている。
【０１１１】
参照符号１２は放送アクセスネットワークまたはインターネット網に接続して放送データ伝送サーバー４及び広告データ伝送サーバー６’とのデータ送受信を行い、プロトコルマッチング及びフィルターリングを行う通信モジュールを示す。
【０１１２】
参照符号１４は視聴者の広告データ視聴設定信号、広告データの画面比率調整信号、広告データの詳細情報確認信号、チャンネル変換信号、及び電源オン／オフ信号に対するリモコン信号を受信するためのリモコン情報受信部を示す。
【０１１３】
参照符号１６は放送出力端末２’ａ〜２’ｎを通じて出力される放送データ及び広告データの出力を制御するための画面出力制御部を示し、参照符号１８は画面出力制御部１６と連動して広告データ伝送サーバー６’から伝送された広告データを画面領域に挿入して出力するように制御する広告挿入制御部を示す。
【０１１４】
参照符号２０は放送データ伝送サーバー４から伝送されたデジタル放送データを受信し、放送出力端末２’ａ〜２’ｎを通じて出力するように制御する公知の放送データ出力制御部を示す。この放送データ出力制御部２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除される。しかし、これらはＩＰＴＶの一般的な構成要素であり、放送データ出力制御部２０はこのようなハードウェア及びＯＳを通じて通常の放送出力機能を行う制御部であるので、放送データ出力制御部２０についての具体的な説明は省略する。
【０１１５】
参照符号２２は放送データ伝送サーバー４から伝送されたデジタル放送データを受信して録画格納するための放送データ録画制御部を示すものである。その放送データ録画制御部２２は通常のＩＰＴＶに構成されたＰＶＲ(不図示)を制御するための公知の手段であり、本発明の必須構成要素ではない。
【０１１６】
参照符号２３は一定時間間隔で画面を通じて露出された広告データの視聴時間を累積演算する広告視聴時間判断部を示し、参照符号２４は広告データ伝送サーバー６’から伝送された広告データを格納し、端末固有番号情報を格納し、視聴者の広告データ出力設定信号、広告データの画面比率調整信号を受信し、その設定情報を格納するためのデータ格納部を示す。
【０１１７】
参照符号２６’はリモコン情報受信部１４を通じて広告データの画面出力に対する設定信号を受信し、広告データ伝送サーバー６’から広告データを受信して格納した状態で、リモコン情報受信部１４から広告出力条件信号を受信すると広告データを一定時間出力するように制御し、一定時間間隔で累積された広告視聴時間情報を広告データ伝送サーバー６’に伝送制御する制御部を示す。参照符号２６ａ’は制御部２６’の内部に備えられて広告出力時間を演算するためのタイマーを示す。
【０１１８】
一方、制御部２６’はリモコン情報受信部１４から出力される広告データの比率を調整するための信号を受信し、画面出力制御部１６に制御信号を発生して広告データの出力サイズを調整するための制御ルーチンが設定されており、タイマー２６ａ’と連動して広告出力時間を累積演算し、一定時間間隔毎に当該広告視聴時間情報を広告データ伝送サーバー６’に伝送するように設定されている。この時、当該広告視聴時間情報の伝送の際、内部の固有コードをデータ格納部２４から抽出して伝送するように設定されている。
【０１１９】
図８は本発明の第２実施形態に係る放送広告データ自動露出制御システムに備えられた広告データ伝送サーバーの構成を示したブロック図である。
【０１２０】
これを参照すれば、本発明の第２実施形態に係る放送広告データ自動露出制御システムに備えられた広告データ伝送サーバー６’は、その内部に通信モジュール、認証処理部、広告データ生成部、挿入データ組合せ部、イベント当選管理部、端末情報管理部、広告主情報管理部、広告費用精算部、広告視聴時間累積演算部、認証情報ＤＢ、広告ＤＢ、端末情報ＤＢ、広告主情報ＤＢ、広告費用精算ＤＢ、広告視聴時間累積情報ＤＢ、当選情報ＤＢ、及び制御部を含んで構成される。
【０１２１】
参照符号２８は放送出力端末２’ａ〜２’ｎと、広告主端末１０ａ〜１０ｎとのデータ通信を通じて各種データのアップロード／ダウンロードを行い、プロトコルマッチングやデータフィルターリングを行うための通信モジュールを示す。
【０１２２】
参照符号３０は放送出力端末２’ａ〜２’ｎと、広告主端末１０ａ〜１０ｎを通じてデータ伝送を行おうとする視聴者及び広告主の真偽を判断するために認証を行う認証処理部を示す。
【０１２３】
参照符号３２は広告主端末１０ａ〜１０ｎから広告データを受信して格納し、その広告データに業者イベント情報及びイメージ情報を含んだデータを生成して放送出力端末２ａ〜２ｎに伝送するための広告データ生成部を示す。
【０１２４】
参照符号３４は広告データ生成部３２と連動して業者イベント情報及びイメージ情報を広告データ内部に挿入するための挿入データ組合せ部を示し、参照符号３５は視聴者の広告データ視聴により提供された広告視聴の対価の費用を累積して抽選や各種イベントゲームを進行して、ある一人の視聴者に提供できるようにイベント当選を管理するイベント当選管理部を示す。
【０１２５】
参照符号３６は放送出力端末２’ａ〜２’ｎと、広告主端末１０ａ〜１０ｎの端末固有コード情報を管理し、受信するデータを固有コード別に分類するための端末情報管理部を示し、参照符号３８は広告主が引き落とした広告費用情報、及び地域情報を含んだ身上情報を管理するための広告主情報管理部を示す。
【０１２６】
参照符号４０は放送出力端末２’ａ〜２’ｎを通じて出力される広告データの出力時間に比例して広告主に請求する広告費用を演算し、精算処理するための広告費用精算部を示し、参照符号４１は放送出力端末期２’ａ〜２’ｎを通じて伝送された広告視聴時間情報を各端末別に累積演算し、全体端末の広告視聴時間情報を統合して当選金に設定するための広告視聴時間累積演算部を示す。
【０１２７】
参照符号４２ａは視聴者及び広告主の真偽を判断するための認証情報を格納する認証情報ＤＢを示し、参照符号４２ｂは広告主端末１０ａ〜１０ｎから伝送された広告データを格納する広告ＤＢを示す。参照符号４２ｃは放送出力端末２’ａ〜２’ｎと、広告主端末１０ａ〜１０ｎの端末固有コード情報、及びその固有コード情報とマッチングされる地域情報を格納する端末情報ＤＢを示す。
【０１２８】
参照符号４２ｄは広告主が予め引き落とした広告費用情報、及び地域情報を含んだ身上情報を格納するための広告主情報ＤＢを示し、参照符号４２ｅは広告主の広告出力費用の精算情報を格納するための広告費用精算ＤＢを示す。
【０１２９】
参照符号４２fは広告視聴時間情報を各端末別に累積演算し、全体端末の広告視聴時間情報を統合した情報を格納するための広告視聴時間累積情報ＤＢを示し、参照符号４２gは統合した広告視聴時間に比例して広告主から提供された費用を抽選やゲームを通じて当選者に提供する情報を格納する当選情報ＤＢを示す。
【０１３０】
参照符号４４’は広告主端末１０ａ〜１０ｎから広告データを受信して格納し、放送出力端末２’ａ〜２’ｎから広告出力要請信号及び当該端末情報を受信して登録し、広告データに業者イベント情報及びイメージ情報を含んだ広告データを生成し、一定時間間隔で広告データを放送出力端末２’ａ〜２’ｎに伝送し、その放送出力端末２’ａ〜２’ｎから伝送された広告視聴時間情報を累積演算し、それに比例して広告主との広告費用を精算処理し、抽選やゲームを通じてある一人の当選者を選定して広告費用を当選金として支払う制御部を示す。
【０１３１】
次に、前述した構成を有する本発明の第２実施形態に係る放送広告データ自動露出制御システムの機能と作用について添付図面を参照して詳細に説明する。
【０１３２】
図９は本発明の第２実施形態に係る放送広告データ自動露出制御システムの信号流れを示したフローチャートである。
【０１３３】
まず、本発明の第２実施形態に係る放送広告データ自動露出制御システムにおいて、放送出力端末２’ａ〜２’ｎは視聴者の外部キー信号を受信して広告視聴モードに設定する(ＳＴ−３０)。
【０１３４】
次に、放送出力端末２’ａ〜２’ｎはチャンネル変換時に放送データと共に予め伝送されて格納された広告データを画面に出力する。こらは単にチャンネル変換時にだけ限定されるものではなく、電源オン／オフ時にも広告データを一定時間出力する(ＳＴ−３１)。
【０１３５】
その状態で、放送出力端末２’ａ〜２’ｎは広告視聴時間を自動でチェックして累積演算し、リアルタイムまたは一定時間間隔で広告視聴時間情報及び端末情報を広告データ伝送サーバー６’に伝送して自動で抽選やゲームイベントに応募処理する(ＳＴ−３２、３３)。
【０１３６】
次に、広告データ伝送サーバー６’は放送出力端末２’ａ〜２’ｎから広告視聴時間情報及び端末情報を受信して格納し、その広告視聴時間による広告費用を演算して広告主と精算処理し、一定時間間隔毎に累積した広告費用に対してある一人の視聴者を抽選する(ＳＴ−３４、３５)。
【０１３７】
即ち、広告データ伝送サーバー６’は放送出力端末２’ａ〜２’ｎの端末固有番号を任意に抽出して当選者を当選処理できる。万一、そのような抽選過程を通じてある一人の当選者が選ばれると、広告データ伝送サーバー６’は当選内容を当該放送出力端末２’ａ〜２’ｎに通知して画面出力する(ＳＴ−３６)。
【０１３８】
そして、広告データ伝送サーバー６’は広告費用の累積分の当選金をリセットさせる(ＳＴ−３７)。
【０１３９】
以下、本発明の第３実施形態について図面を参照して詳細に説明する。
【０１４０】
本発明の第３実施形態に係る放送広告データ自動露出制御システムは放送番組を視聴する際、視聴者の希望により他の放送チャンネルの画面に変更する時、出力される新しいチャンネル画面の下段所定部に広告データを一定時間出力し、視聴者が予め設定したその広告データのサイズによる群を別途に分類して当選金額が連動するようにしたシステムである。
【０１４１】
即ち、本発明の第３実施形態に係る放送広告データ自動露出制御システムは第１、２実施形態と同様に、放送出力端末２ａ〜２ｎ、２’ａ〜２’ｎを通じて一定条件を満たす時、出力される放送データの下段に予め格納された広告データ、またはリアルタイムに受信した広告データを出力する。この時、視聴者がその広告データのサイズを調整できるので、広告データのサイズが同じ視聴者を同一群にグループ化し、各群別に別途に抽選して当選者を選定する。そうすると、本発明の第３実施形態を通じて広告データの設定サイズが大きい視聴者群の当選金額は、サイズがより小さな視聴者群の当選金額より大きくなるように、広告データ伝送サーバー６で処理することが好ましい。
【０１４２】
したがって、本発明の第３実施形態に係る放送広告データ自動露出制御システムに含まれた放送出力端末２ａ〜２ｎは第１、２実施形態と同一の機能を行い、同一の構成を有しているが、制御部が広告データ伝送サーバー６に情報を伝送する時、広告データサイズ情報も共に自動で伝送するように設定されている。
【０１４３】
また、本発明の第３実施形態に係る放送広告データ自動露出制御システムに含まれた広告データ伝送サーバー６は、多数の放送出力端末２ａ〜２ｎから広告データサイズ情報及び視聴時間情報をそれぞれ伝送し、広告データサイズ別に視聴者群を分類し、分類した視聴者群別に別途の当選金を分割し、分割した視聴者群別に別途の抽選を行う。
【０１４４】
前述した構成を有する本発明の第３実施形態に係る放送広告データ自動露出制御システムの機能と作用について添付図面を参照して詳細に説明する。
【０１４５】
図１０は本発明の第３実施形態に係る放送広告データ自動露出制御システムの信号流れを示したフローチャートである。
【０１４６】
まず、本発明の第３実施形態に係る放送広告データ自動露出制御システムにおいて、放送出力端末２ａ〜２ｎは視聴者の外部キー信号を受信して広告視聴モードに設定する(ＳＴ−４０)。
【０１４７】
そして、放送出力端末２ａ〜２ｎが視聴者の外部キー信号を受信すると、広告データ出力画面の比率が設定される(ＳＴ−４１)。
【０１４８】
次に、放送出力端末２ａ〜２ｎはチャンネル変換時に放送データと共に予め伝送されて格納された広告データを設定された画面割合で画面に出力する。こらは単にチャンネル変換時にだけ限定されるものではなく、電源オン／オフ時にも広告データを一定時間出力する(ＳＴ−４２)。
【０１４９】
その状態で、放送出力端末２ａ〜２ｎは広告視聴時間を自動でチェックして累積演算し、広告データのサイズ情報、端末情報を含んだ情報をリアルタイムまたは一定時間間隔で広告データ伝送サーバー６に伝送し、自動で抽選やゲームイベントに応募処理する(ＳＴ−４３、４４)。
【０１５０】
次に、広告データ伝送サーバー６は放送出力端末２ａ〜２ｎから広告視聴時間情報及び広告データサイズ情報、端末情報を受信して格納し、その広告画面サイズ別に視聴者群を分類する(ＳＴ−４５)。
【０１５１】
そして、広告データ伝送サーバー６は各分類群別に広告視聴時間による広告費用を累積演算して広告主と精算処理し、一定時間間隔毎に累積した広告費用に対してある一人の視聴者を抽選する(ＳＴ−４６、４７、４８)。
【０１５２】
即ち、広告データ伝送サーバー６は放送出力端末２ａ〜２ｎの端末固有番号を任意に抽出して当選者を当選処理できる。万一、そのような抽選過程を通じてある一人の当選者が選ばれると、広告データ伝送サーバー６は当選内容を当該放送出力端末２ａ〜２ｎに通知して画面出力する(ＳＴ−４９)。
【０１５３】
そして、広告データ伝送サーバー６は広告費用の累積分の当選金をリセットさせる(ＳＴ−５０)。
【０１５４】
以下、本発明の第４実施形態について図面を参照して詳細に説明する。
【０１５５】
図１１は本発明の第４実施形態に係る放送広告データ自動露出制御システムに備えられた広告データ伝送サーバーの構成を示したブロック図である。
【０１５６】
これを参照すれば、本発明の第４実施形態に係る放送広告データ自動露出制御システムは放送番組を視聴する際、視聴者の希望により他の放送チャンネルの画面に変更する時、出力される新しいチャンネル画面の下段所定部に広告データを一定時間出力し、特定芸能人を広告主が指定し、その芸能人の画像や動画データを広告データの内部に自動で挿入させるシステムである。
【０１５７】
即ち、本発明の第４実施形態に係る放送広告データ自動露出制御システムは広告主が広告データ伝送サーバー６’に格納された芸能人イメージのうち、いずれか一つの芸能人イメージを指定すると、放送出力端末２ａ〜２ｎに伝送しようとする広告データに既に指定した芸能人イメージを組み合わせて自動で生成するようにしたシステムである。
【０１５８】
この時、芸能人イメージの指定は放送出力端末２ａ〜２ｎを通じてチャンネル変換される時、新しいチャンネル番組に出演する芸能人のうちの一人であるか、当該チャンネルの次の番組に出演する芸能人のうちの一人のイメージを自動で抽出して放送出力端末２ａ〜２ｎに出力させる広告データを生成できる。
【０１５９】
このために、放送データの内部には出演する芸能人コードが含まれていなければならず、その芸能人コードは現在出力される放送番組は勿論、それ以前の放送番組にも含まれていることが好ましい。
【０１６０】
また、放送出力端末２ａ〜２ｎはその放送番組に含まれた芸能人コードを自動で抽出して広告データ伝送サーバー６’に伝送しなければならず、その広告データ伝送サーバー６’は芸能人コード情報を受信して当該芸能人コードとマッチングされる芸能人イメージを抽出して放送出力端末２ａ〜２ｎに伝送し、既に格納された広告データと共に当該芸能人イメージが画面出力されるように制御する。
【０１６１】
したがって、本発明の第４実施形態に係る放送広告データ自動露出制御システムに含まれた広告データ伝送サーバー６’は、その内部に通信モジュール、認証処理部、広告データ生成部、芸能人イメージ組合せ部、端末情報管理部、広告主情報管理部、広告費用精算部、芸能人肖像権料精算部、認証情報ＤＢ、広告ＤＢ、端末情報ＤＢ、広告主情報ＤＢ、広告費用精算ＤＢ、肖像権料精算ＤＢ、及び制御部を含んで構成される。
【０１６２】
参照符号２８は放送出力端末２ａ〜２ｎと、広告主端末１０ａ〜１０ｎに対して有無線インターネット網を通したデータ通信を行うことで、各種データのアップロード／ダウンロードを行い、プロトコルマッチングやデータフィルターリングを行うための通信モジュールを示す。
【０１６３】
参照符号３０は放送出力端末２ａ〜２ｎと、広告主端末１０ａ〜１０ｎを通じてデータ伝送を行おうとする視聴者及び広告主の真偽を判断するために認証を行う認証処理部を示す。
【０１６４】
参照符号３２は広告主端末１０ａ〜１０ｎから広告データを受信して格納し、その広告データに業者イベント情報及び芸能人イメージ情報を含んだデータを生成して放送出力端末２ａ〜２ｎに伝送するための広告データ生成部を示す。
【０１６５】
参照符号５０は広告データ生成部３２と連動して芸能人イメージ情報を広告データ内部に挿入するための芸能人イメージ組合せ部を示す。
【０１６６】
参照符号３６は放送出力端末２ａ〜２ｎと、広告主端末１０ａ〜１０ｎの端末固有コード情報を管理し、受信するデータを固有コード別に分類するための端末情報管理部を示し、参照符号３８は広告主が予め引き落とした広告費用情報、及び地域情報を含んだ身上情報を管理するための広告主情報管理部を示す。
【０１６７】
参照符号４０は放送出力端末２ａ〜２ｎを通じて出力される広告データの出力時間に比例して広告費用を精算処理するための広告費用精算部を示し、参照符号４８は放送出力端末２ａ〜２ｎを通じて出力される広告データに含まれた芸能人イメージデータの露出による肖像権料を精算するための芸能人肖像権料精算部を示す。
【０１６８】
参照符号４２ａは視聴者及び広告主の真偽を判断するための認証情報を格納する認証情報ＤＢを示し、参照符号４２ｂは広告主端末１０ａ〜１０ｎから伝送された広告データを格納する広告ＤＢを示す。参照符号４２ｃは放送出力端末２ａ〜２ｎと、広告主端末１０ａ〜１０ｎの端末固有コード情報、及びその固有コード情報とマッチングされる地域情報を格納する端末情報ＤＢを示す。
【０１６９】
参照符号４２ｄは広告主が予め引き落とした広告費用情報、及び地域情報を含んだ身上情報を格納するための広告主情報ＤＢを示し、参照符号４２ｅは広告主の広告出力費用精算情報を格納するための広告費用精算ＤＢを示し、参照符号４２hは放送出力端末２ａ〜２ｎを通じて出力される広告データに含まれた芸能人イメージデータの露出による肖像権料精算情報を格納するための肖像権料精算ＤＢを示す。
【０１７０】
参照符号４４は広告主端末１０ａ〜１０ｎから広告データ及び指定芸能人情報を受信して格納し、放送出力端末２ａ〜２ｎから広告出力要請信号及び当該端末情報を受信して登録し、広告データに業者イベント情報及び芸能人イメージ情報を含んだ広告データを生成し、この広告データを一定時間間隔で放送出力端末２ａ〜２ｎに伝送する制御部を示す。
【０１７１】
一方、放送出力端末２ａ〜２ｎのチャンネルの変更時出力される放送番組に含まれた芸能人コードを放送出力端末２ａ〜２ｎが抽出して伝送すると、制御部４４は当該芸能人コードとマッチングされる芸能人イメージデータを抽出して放送出力端末２ａ〜２ｎの画面下段に出力される広告データに含めて出力するように制御できる。
【０１７２】
このために、広告データ伝送サーバー６’は、その内部に芸能人コードとマッチングされる芸能人イメージデータが格納されている。
【０１７３】
前述した構成を有する本発明の第４実施形態に係る放送広告データ自動露出制御システムの機能と作用について添付図面を参照して詳細に説明する。
【０１７４】
図１２、１３は本発明の第４実施形態に係る放送広告データ自動露出制御システムの信号流れを示したフローチャートである。
【０１７５】
まず、図１２を参照すれば、本発明の第４実施形態に係る放送広告データ自動露出制御システムに含まれた広告データ伝送サーバー６’は、多数の広告主端末１０ａ〜１０ｎから広告データを受信して各広告主別に登録し、且つ芸能人イメージ指定情報を受信して登録する(ＳＴ−６０、６１)。
【０１７６】
そして、広告データ伝送サーバー６’は当該広告データに広告主が指定した当該芸能人のイメージデータを組み合わせて広告データを生成して登録する(ＳＴ−６２)。
【０１７７】
そして、広告データ伝送サーバー６’は有無線インターネット網で連結された多数の広告データを放送出力端末２ａ〜２ｎに伝送し、その放送出力端末２ａ〜２ｎは当該広告データを格納する(ＳＴ−６３)。
【０１７８】
この時、広告データ伝送サーバー６’は放送出力端末２ａ〜２ｎの地域コード情報とマッチングされる広告データだけを別途に選別し、これを放送出力端末２ａ〜２ｎに伝送できる。
【０１７９】
次に、放送出力端末２ａ〜２ｎは広告データ伝送サーバー６’から伝送された広告データを格納し、地上波、衛星放送、ケーブル放送の放送データを画面に出力する(ＳＴ−６４)。
【０１８０】
続いて、放送出力端末２ａ〜２ｎは広告出力条件(例えば、チャンネル転換信号発生や電源オン／オフ信号発生時）を満たすかどうかを判断する。この時、当該広告出力条件を満たすと、内部に既に格納された広告データを抽出し、画面にディスプレーされる放送データを一定比率縮小する。その残り空間には抽出した広告データを出力する(ＳＴ−６５、６６、６７)。
【０１８１】
一方、放送出力端末２ａ〜２ｎは広告データの出力が開始した時点からタイマー２６ａを駆動して、予め設定された一定時間(約１０秒）が経過したかを判断する(ＳＴ−６８)。この時、設定された時間の経過後に、当該放送チャンネルを視聴しようとすることを認知し、当該放送出力端末２ａ〜２ｎは画面に出力される広告データを除去する(ＳＴ−７０)。
【０１８２】
また、設定された時間が経過しない時点で、他のチャンネルへの変更信号が印加されるかを判断し(ＳＴ−６９)、他のチャンネルへの変更信号が印加された場合に、広告データを出力する第６６段階に戻す。
【０１８３】
一方、広告データが除去された状態で、リアルタイムまたは一定時間間隔で放送出力端末２ａ〜２ｎは広告露出時間をチェックして広告データ伝送サーバー６’に伝送する。広告データ伝送サーバー６’は当該広告露出時間情報に基づいて当該芸能人の肖像権料を精算処理する(ＳＴ−７１、７２、７３)。
【０１８４】
一方、図１３を参照すれば、本発明の第４実施形態に係る放送広告データ自動露出制御システムに含まれた広告データ伝送サーバー６’は、多数の広告主端末１０ａ〜１０ｎから広告データを受信して各広告主別に登録処理する(ＳＴ−８０)。
【０１８５】
そして、広告データ伝送サーバー６’は多数の国内芸能人イメージ情報を登録させる(ＳＴ−８１)。
【０１８６】
そして、放送データ伝送サーバー４は各放送番組別芸能人コードを与え、その放送番組出演する芸能人のコードを当該放送番組の放送データ内に挿入して登録させる。
【０１８７】
この時、芸能人コードは現在出力される放送番組は勿論、それ以前に出力される放送番組に挿入することも可能である。そうすると、放送出力領域(図３の２００参照)に出力される放送が広告放送である場合、その下段の広告出力領域(図３の３００参照)にディスプレーされる芸能人イメージは、広告放送以後の放送番組に出演する芸能人イメージを出力するようになる。
【０１８８】
そして、放送データ伝送サーバー４は一定時間間隔で放送番組情報及び当該放送番組に含まれた芸能人コード情報を広告データ伝送サーバー６’に伝送し、その広告データ伝送サーバー６’は当該情報を格納する(ＳＴ−８２)。
【０１８９】
その状態で、広告データ伝送サーバー６’は有無線インターネット網で連結された多数の広告データを放送出力端末２ａ〜２ｎに伝送し、その放送出力端末２ａ〜２ｎは当該広告データを格納する(ＳＴ−８３)。
【０１９０】
次に、放送出力端末２ａ〜２ｎは広告データ伝送サーバー６’から伝送された広告データを格納し、地上波、衛星放送、ケーブル放送の放送データを画面に出力する(ＳＴ−８４)。
【０１９１】
続いて、放送出力端末２ａ〜２ｎは広告出力条件(例えば、チャンネル転換信号発生や電源オン／オフ信号発生時）を満たすかどうかを判断する。当該広告出力条件を満たすと、内部に既に格納された広告データを抽出し、当該放送データに含まれた芸能人コード情報を抽出し、有無線インターネット網を通じて広告データ伝送サーバー６’に接続して当該コード番号とマッチングされる当該芸能人イメージが伝送されると、これを広告データに挿入する。そして、画面にディスプレーされる放送データを一定比率で縮小し、その残り空間に抽出した広告データを出力する(ＳＴ−８５、８６、８７、８８、８９、９０)。
【０１９２】
一方、放送出力端末２ａ〜２ｎは広告データの出力が開始した時点からタイマー２６ａを駆動して、予め設定された一定時間(約１０秒）が経過したかを判断する(ＳＴ−９１)。設定された時間の経過後には当該放送チャンネルを視聴しようとすることを認知し、当該放送出力端末２ａ〜２ｎは画面に出力される広告データを除去する(ＳＴ−９３)。
【０１９３】
また、設定された時間が経過しない時点で、他のチャンネルへの変更信号が印加されるかを判断する(ＳＴ−９２)。この時、他のチャンネルへの変更信号が印加された場合は、広告データを出力する第８６段階に戻す。
【０１９４】
一方、広告データが除去された状態で、リアルタイムまたは一定時間間隔で放送出力端末２ａ〜２ｎは広告露出時間をチェックして広告データ伝送サーバー６’に伝送する。広告データ伝送サーバー６’は当該広告露出時間情報に基づいて当該芸能人の肖像権料を精算処理する(ＳＴ−９４、９５、９６)。
【０１９５】
また、図面に示さなかったが、本発明の実施形態に係る放送広告データ自動露出制御システムは、放送出力端末２ａ〜２ｎに予め芸能人コード及びそのコードに該当する芸能人イメージを広告データ伝送サーバー６’から伝送されて格納された状態で、放送番組から芸能人コードを自動で抽出し、そのコードとマッチングされる芸能人イメージをメモリ(不図示)から抽出して広告データに挿入して露出させることも可能である。
【０１９６】
より詳細には、広告データ伝送サーバー６’が多数の広告主端末１０ａ〜１０ｎから広告データを受信して各広告主別に登録し、放送番組に対応して自動芸能人イメージ挿入モード信号を受信して登録する。
【０１９７】
そして、広告データ伝送サーバー６’は多数の国内芸能人イメージ情報を芸能人コードとマッチングさせて登録する。そして、広告データ伝送サーバー６’が多数の国内芸能人イメージ情報及び各イメージ別芸能人コード情報を放送出力端末２ａ〜２ｎに伝送する。
【０１９８】
次に、放送出力端末２ａ〜２ｎは当該データを格納する。
【０１９９】
また、放送データ伝送サーバー４は各放送番組に出演する芸能人コードを放送番組に挿入して登録し、広告データ伝送サーバー６’は有無線インターネット網で連結された多数の広告データを放送出力端末２ａ〜２ｎに伝送する。
【０２００】
次に、放送出力端末２ａ〜２ｎは当該広告データを格納し、地上波、衛星放送、ケーブル放送の放送データを画面に出力する。即ち、放送出力端末２ａ〜２ｎはユーザーの放送番組出力信号を受信して当該チャンネルの放送番組を画面に出力する。
【０２０１】
そして、放送出力端末２ａ〜２ｎは放送データに含まれた芸能人コードをリアルタイムに抽出し、広告出力条件を満たすかどうかを判断する。ここで、広告出力条件とはチャンネルの変更時や電源オン／オフ時である。
【０２０２】
万一、広告出力条件を満たす時、放送出力端末２ａ〜２ｎは当該時点の放送番組、または次の放送番組に含まれた芸能人コードとマッチングされるイメージ情報を抽出して広告データに挿入し、その広告データを放送データと共に画面出力する。
【０２０３】
即ち、現在出力される放送番組が天気情報や、空中波の広告データであり、次の放送番組編成がミニシリーズである場合に、放送出力端末２ａ〜２ｎは次の放送であるミニシリーズの主人公コードを抽出し、広告出力領域３００に当該主人公のイメージを露出させることである。
【０２０４】
その状態で、放送出力端末２ａ〜２ｎは既に設定された広告出力時間になったかを判断し、既に設定された時間になった時、広告データを除去する。
【０２０５】
そして、放送出力端末２ａ〜２ｎは露出した芸能人イメージ情報を広告データ伝送サーバー６’に伝送し、広告データ伝送サーバー６’は当該広告露出時間情報に基づいて当該芸能人の肖像権料を精算処理する。
【０２０６】
その精算処理は芸能人イメージ露出頻度数や、露出時間に比例して肖像権料が増加するように設定することが好ましい。
【０２０７】
以下、本発明の第５実施形態について図面を参照して詳細に説明する。
【０２０８】
図１４は本発明の第５実施形態に係る放送広告データ自動露出制御システムの構成を概略的に示した模式図である。
【０２０９】
これを参照すれば、本発明の第５実施形態に係る放送広告データ自動露出制御システムは放送出力時に、共にまたは単独に広告データが露出する際、広告視聴を確認する確認信号を発生する時間帯によって差別化した広告視聴の対価を提供するＩＰＴＶを利用したシステムである。
【０２１０】
即ち、本発明の第５実施形態に係る放送広告データ自動露出制御システムは放送画面に広告データが露出する時、視聴者がその広告データを視聴しているかをサーバーに知らせるための確認信号を入力するようにして広告視聴の対価を支払い、その確認信号の発生時間帯によってより長く広告を視聴した視聴者に対してより大きい当選金に当選される機会を提供するようにするシステムである。
【０２１１】
このために、本発明の第５実施形態に係る放送広告データ自動露出制御システムにおいて、サーバーが広告視聴時間を受信すると、その広告視聴時間帯別に視聴者群を分類し、その群別に差別化した当選金を提供する。即ち、広告主が支払う広告費用は広告データの視聴時間に比例して支払わなければならない。それによって、視聴時間に比例した当選金を別途に算定し、各群別に差等の当選金を提供することが可能である。
【０２１２】
本発明の第５実施形態に係る放送広告データ自動露出制御システムに含まれた放送出力端末１０２ａ−１０２ｎは放送データの出力が可能であり、端末固有コード伝送やローカル広告または中央広告データの受信と出力が可能なＩＰＴＶを始めとして、ＰＣ、ＤＭＢフォーン、ナビゲーションなどの各種放送データ出力装置を全て含むことができる。
【０２１３】
このために、放送データ及び広告データが出力される放送出力端末１０２ａ−１０２ｎとして、本発明ではＩＰＴＶ、ＤＭＢフォン、ナビゲーションを例示する。当該装置が共にインターネット及び放送データ出力が可能な点を勘案すると、本発明では代表的にＩＰＴＶについて説明する。
【０２１４】
一般的にＩＰＴＶを構成するＤＴＶ及びＰＶＲ装置において、ＰＶＲはＳＴＢに内蔵(ｅmｂｅｄｄｅｄ)された形態で構成され、衛星、ケーブル、地上波などを通じて伝送される放送信号をＳＴＢからＰＶＲに提供し、ＰＶＲはこれを録画する構造になっている。そしてＤＴＶはＳＴＢに直接連結されて衛星、ケーブル、地上波を通じて受信した放送をディスプレーしたりＰＶＲに格納されているコンテンツをディスプレーする機能を行う。
【０２１５】
このようなシステムで放送サービスに関する付加情報は衛星、ケーブル、地上波などの放送アクセスネットワークから直接受信する。このような情報はＥＰＧにより活用でき、ユーザーに番組に関する案内情報を提供するための用途として用いる。このような付加情報はＭＨＰ(ｍｕｌｔｉｍｅｄｉａ  ｈｏｍｅ  ｐｌａｔｆｏｒｍ）の場合ＤＶＢ−ＳＩを使用し、ＯＣＡＰ(ｏｐｅｎ  ｃａｂｌｅ  ａｐｐｌｉｃａｔｉｏｎ  ｐｌａｔｆｏｒｍ)の場合はＰＳＩＰを使用する。
【０２１６】
ＩＰＴＶの場合も衛星、ケーブル、地上波などを通じて伝送される放送信号をＳＴＢからＰＶＲに提供し、ＰＶＲはこれを録画する構造になっており、インターネット基盤の放送アクセスネットワークを介して衛星、ケーブル、地上波などを通じて伝送される放送信号を受信する構造になっている。
【０２１７】
このようなＩＰＴＶはコンピュータ端末と同様に、内部にモデムを備えており、特定ＵＲＬに対するインターネットサーフィンやデータのアップロード及びダウンロードが可能である。
【０２１８】
即ち、本発明の第５実施形態に係る放送広告データ自動露出制御システムに含まれた放送出力端末１０２ａ−１０２ｎは地上波及び衛星放送の放送データ出力が可能でなければならないことは勿論、一定条件を満たすと端末内部に格納された固有コード(ＩＰ)を特定サーバーに伝送できなければならず、特定広告データを受信して格納し、格納された広告データを自動で出力できなければならない。
【０２１９】
したがって、本発明の第５実施形態に係る放送広告データ自動露出制御システムに含まれた放送出力端末１０２ａ−１０２ｎは、基本的に広告データを受信することができるようにインターネットに接続可能でなければならず、データ通信が可能でなければならない。
【０２２０】
また、本発明の第５実施形態に係る放送広告データ自動露出制御システムに含まれた放送出力端末１０２ａ−１０２ｎは、その内部に格納された広告データが放送データと共に画面を分割して出力するように設定されている。
【０２２１】
一方、一般的にＰＣの場合は双方向通信を行うために、広告クリックに対する対価を広告主がユーザーに提供できるが、ＴＶはそのような機能を有しておらず、放送番組の間に出力される広告は一方向的な出力方式である。
【０２２２】
これに対して、本発明の第５実施形態に係る放送広告データ自動露出制御システムにおいて、放送出力端末１０２ａ−１０２ｎは遠隔サーバーと双方向通信を行うと共に、この放送出力端末１０２ａ−１０２ｎは広告視聴時間や、広告出力頻度数をチェックして遠隔サーバーに提供することで、以降に広告視聴に対する対価が還元できるようにする。したがって、放送出力端末１０２ａ−１０２ｎにはそのような機能を行うための装置が備えられている。
【０２２３】
また、本発明の第５実施形態に係る放送広告データ自動露出制御システムに含まれた放送出力端末１０２ａ−１０２ｎは、画面に出力する広告データが地域性を考慮しない中央広告データでもあり、地域性を考慮したローカル広告データでもある。この時、地域性を勘案したローカル広告データを遠隔サーバーで放送出力端末１０２ａ−１０２ｎに伝送するためには、放送出力端末１０２ａ−１０２ｎの地域コードを遠隔サーバーで管理しなければならず、放送出力端末１０２ａ−１０２ｎと遠隔サーバーとの間のセッション設定時、放送出力端末１０２ａ−１０２ｎは当該遠隔サーバーに端末固有コードを伝送しなければならない。
【０２２４】
即ち、ユーザーが有している放送出力端末１０２ａ−１０２ｎが、例えば韓国のソウル市瑞草洞に位置した場合であれば、ソウル市瑞草洞のチキン店に対したローカル広告を出力することが好ましい。
【０２２５】
したがって、本発明の第５実施形態に係る放送広告データ自動露出制御システムに含まれた放送出力端末１０２ａ−１０２ｎは、遠隔サーバーとのセッション設定時端末固有コードを伝送するように設定することが好ましい。ここで、遠隔サーバーは各放送出力端末１０２ａ−１０２ｎの固有コードを通じて当該端末が位置した地域を判断できる。
【０２２６】
また、本発明の第５実施形態に係る放送広告データ自動露出制御システムに含まれた放送出力端末１０２ａ−１０２ｎは画面に広告データが出力される時点を判断し、リモコンから視聴者の広告確認信号を受信して当該視聴者の広告視聴時間を演算し、端末固有番号及び広告視聴時間情報を広告データ伝送サーバー１０６に伝送する。
【０２２７】
一方、本発明の第５実施形態に係る放送広告データ自動露出制御システムは、予め多数の広告主端末１１０ａ−１１０ｎから伝送された広告データを格納し、この広告データを放送出力端末１０２ａ−１０２ｎに伝送する広告データ伝送サーバー１０６を有している。その広告データ伝送サーバー１０６は放送出力端末１０２ａ−１０２ｎから出力される広告データが、その放送出力端末１０２ａ−１０２ｎの地域を反映したローカル広告として出力されるようにする。このために、広告データ伝送サーバー１０６の内部には各放送出力端末１０２ａ−１０２ｎの位置情報及びその位置情報とマッチングされる各放送出力端末１０２ａ−１０２ｎが固有コードとして格納されており、当該固有コードは各地域別に分類されている。
【０２２８】
したがって、広告主端末１１０ａ−１１０ｎを通じて印加された広告データの画面出力を特定地域に限定する時、広告主が望む地域を指定すると、広告データ伝送サーバー１０６は当該広告データを予め分類された当該地域の固有コードとマッチングされる特定放送出力端末１０２ａ−１０２ｎにだけ伝送する。
【０２２９】
一方、広告データ伝送サーバー１０６は特定広告データを放送出力端末１０２ａ−１０２ｎに伝送して格納し、放送出力端末１０２ａ−１０２ｎは放送画面出力時、その下段に予め格納された広告データを出力する。この時、放送出力端末１０２ａ−１０２ｎから広告データを視聴したとの視聴確認信号及び視聴時間情報を受信すると、視聴時間帯別に視聴者群を分類して差等化した当選金を各群別に提供し、一定時間間隔で当該群別に当選者を抽選して当選金を支払うように制御する。
【０２３０】
したがって、広告データ伝送サーバー１０６は各放送出力端末１０２ａ−１０２ｎ別に広告視聴確認信号を受信し、広告視聴時間情報及び端末固有番号を受信して格納する。
【０２３１】
図１５は本発明の第５実施形態に係る放送広告データ自動露出制御システムのデータ流れを示したブロック図であり、図１６は本発明の第５実施形態に係る放送広告データ自動露出制御システムに含まれた放送出力端末を通じて出力される画面を示した例示図である。
【０２３２】
これを参照すれば、本発明の第５実施形態に係る放送広告データ自動露出制御システムにおいて、ＩＰＴＶやＤＭＢフォン、及びナビゲーションなどのように放送データを出力するための放送出力端末１０２ａ−１０２ｎは、その画面領域１００が広告データを出力する広告出力領域３００と、放送データを出力する放送データ出力領域２００に分割している。
【０２３３】
この時、放送出力端末１０２ａ−１０２ｎは広告データを伝送する広告データ伝送サーバー１０６からリアルタイムに広告データを受信して画面領域１００に出力することができ、予め広告データ伝送サーバー１０６から広告データを受信して格納した後、既に格納された広告データを抽出して画面出力することもできる。
【０２３４】
一方、放送出力端末１０２ａ−１０２ｎを通じて出力される画面領域１００の放送データ出力領域２００を一定割合で縮小し、その縮小により生じた余裕空間に広告出力領域３００を構成するために、予め画面比を放送出力端末１０２ａ−１０２ｎに設定できる。その画面比はユーザーが任意に調整可能である。
【０２３５】
本発明の第５実施形態に係る放送広告データ自動露出制御システムにおいては、ＩＰＴＶやＤＭＢフォン、ナビゲーションなどのように放送データを出力するための放送出力端末１０２ａ−１０２ｎを通じて放送データの出力時、同時に広告データが出力されることではない。即ち、視聴者が別途に放送出力端末１０２ａ−１０２ｎを通じて広告データ出力モードを設定しなければ広告データが出力されない。このために、本発明では広告データの出力時間に比例して補償する構成になっており、視聴者は自発的に広告データの出力モードを設定できる。
【０２３６】
一方、放送出力端末１０２ａ−１０２ｎを通じて出力される広告出力領域３００はより一層細分化できる。即ち、この領域を製品イメージや芸能人イメージ出力領域３０２、広告領域３０４、及び当該業者のイベント情報出力領域３０６に分割して放送を出力する。好ましくは、イベント情報出力領域３０６は広告出力による視聴者補償情報(例えば、累積された当選金情報)を出力することができる。
【０２３７】
また、放送出力端末１０２ａ−１０２ｎを通じて出力される広告出力領域３００には広告領域３０４に出力される広告データ別に出力残余時間を表示するための出力残余時間情報表示欄３０３が備えられている。視聴者は出力残余時間情報表示欄３０３を通じて出力される当該広告出力残余時間を確認しながら当該広告データが他の広告データに変更される前に広告視聴確認信号をリモコンで発生させなければならない。
【０２３８】
即ち、広告出力残余時間は１０、９、８、７、６、５、５、４、３、２、１、０のように逆カウントし、視聴者は広告視聴に対する対価を得るために画面に出力される広告データ毎により多くの集中力を有して広告出力残余時間を監視しなければならない。したがって、これを通じて画面に出力される広告データに対する集中力を倍加することができる。
【０２３９】
また、本発明は逆カウントする広告出力残余時間が１０になった時確認信号を発生させる視聴者に比べて、２になった時確認信号を発生させた視聴者に対してより多くの当選金に当選できる応募機会を提供することで、視聴者がより長時間当該広告データに集中できるようにする。
【０２４０】
視聴者が広告視聴確認信号を発生させると、その信号によって放送出力端末１０２ａ−１０２ｎは広告視聴時間を演算して広告データ伝送サーバー１０６に伝送し、広告データ伝送サーバー１０６は当選金に対する自動応募申請を行う。
【０２４１】
ここで、当選金に対する自動応募申請を各広告データ別に行うために、視聴者は各広告データ別に広告視聴確認信号を発生させなければ当該広告視聴に対する対価を受け取ることができない。即ち、広告視聴確認信号の発生により所定の当選金に対する応募が行われる。
【０２４２】
図１７は本発明の第５実施形態に係る放送広告データ自動露出制御システムに備えられた放送出力端末の構成を示したブロック図である。
【０２４３】
これを参照すれば、本発明の第５実施形態に係る放送広告データ自動露出制御システムに備えられた放送出力端末１０２ａ−１０２ｎは、その内部に通信モジュール、リモコン情報受信部、画面出力制御部、広告挿入制御部、放送データ出力制御部、放送データ録画制御部、広告視聴時間判断部、データ格納部、制御部及びタイマーを含んでいる。
【０２４４】
参照符号１１２は放送アクセスネットワークまたはインターネット網に接続して放送データ伝送サーバー１０４及び広告データ伝送サーバー１０６とのデータ送受信を行い、プロトコルマッチング及びフィルターリングを行う通信モジュールを示す。
【０２４５】
参照符号１１４は視聴者の広告データ出力モード設定信号、広告データの画面比率調整信号、広告データの詳細情報確認信号、当該広告データの視聴確認信号に対するリモコン信号を受信するためのリモコン情報受信部を示す。
【０２４６】
参照符号１１６は放送出力端末１０２ａ−１０２ｎを通じて出力される放送データ及び広告データの出力を制御し、放送データ及び広告データの画面比率を調整するための画面出力制御部を示し、参照符号１１８は画面出力制御部１１６と連動して広告データ伝送サーバー１０６から伝送された広告データを画面領域に挿入して出力するように制御する広告挿入制御部を示す。
【０２４７】
参照符号１２０は放送データ伝送サーバー１０４から伝送されたデジタル放送データを受信し、放送出力端末１０２ａ−１０２ｎを通じて出力するように制御する公知の放送データ出力制御部を示す。この放送データ出力制御部１２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除される。これらはＩＰＴＶの一般的な構成要素であり、放送データ出力制御部１２０はこのようなハードウェア及びＯＳを通じて通常の放送出力機能を行う制御部１２０であるので、その具体的な説明は省略する。
【０２４８】
参照符号１２２は放送データ伝送サーバー１０４から伝送されたデジタル放送データを受信して録画格納するための放送データ録画制御部を示すものである。その放送データ録画制御部１２２は通常のＩＰＴＶに構成されたＰＶＲ(不図示)を制御するための公知の手段であり、本発明の必須構成要素ではない。
【０２４９】
参照符号１２３は画面出力制御部１６を通じて画面に出力される広告データの出力開始時間を認識した状態で、リモコン情報受信部１１４から受信した広告データ視聴確認信号によって当該視聴者が視聴した広告視聴時間を演算するための広告視聴時間判断部を示す。
【０２５０】
参照符号１２４は広告データ伝送サーバー１０６から伝送された広告データを格納し、端末固有番号情報を格納し、視聴者の広告データ出力モード設定信号、広告データの画面比率調整信号を受信し、その設定情報を格納し、広告視聴時間データを各広告データ別に格納するためのデータ格納部を示す。
【０２５１】
参照符号１２６はリモコン情報受信部１４を通じて広告データの画面出力に対するモード選択信号を受信し、広告データ伝送サーバー１０６から広告データを受信して格納した状態で、広告データを画面に出力するように制御し、広告データ出力時点を判断して内部に構成されたタイマー１２６ａを駆動する。視聴確認信号が受信されると、各広告データ別に当該視聴者が視聴した広告視聴時間を認知して広告データ伝送サーバー１０６に自動応募信号を伝送するように制御する制御部を示す。
【０２５２】
一方、制御部１２６はリモコン情報受信部１１４から出力される広告データの比率を調整するための信号を受信し、画面出力制御部１１６に制御信号を発生して広告データの出力サイズを調整するための制御ルーチンが設定されている。また、タイマー１２６ａと連動して視聴者の広告視聴時間を累積演算し、一定時間間隔毎に当該広告視聴時間情報を広告データ伝送サーバー１０６に伝送するように設定されている。広告視聴時間情報の伝送時には内部の固有コードをデータ格納部１２４から抽出して伝送するように設定されている。
【０２５３】
また、制御部１２６は広告出力開始時間を判断して広告データの内部に広告データ出力残余時間を表示するためにタイマー１２６ａと連動して制御するように設定されている。
【０２５４】
また、放送出力端末１０２ａ−１０２ｎを通じて画面出力される広告データは、格納時に格納順序に基づいて一定の順番を自動で与え、当該順番通りチャンネルの変更時や電源オン／オフ時、画面に出力するように放送出力端末１０２ａ−１０２ｎに予め設定されていることが好ましい。
【０２５５】
好ましくは、放送出力端末１０２ａ−１０２ｎは、その内部に広告データ出力を視聴者が設定するためのキー入力部(不図示)、及び広告出力領域３００のサイズに対する比率を調整するためのキー入力部(不図示)も含んでいる。
【０２５６】
より好ましくは、制御部１２６は当該視聴者が視聴した広告視聴時間情報を広告データ毎に広告データ伝送サーバー１０６に伝送することができ、その広告視聴時間を累積した情報を一定時間間隔毎に広告データ伝送サーバー１０６に伝送するように設定できる。
【０２５７】
図１８は本発明の第５実施形態に係る放送広告データ自動露出制御システムに備えられた広告データ伝送サーバーの構成を示したブロック図である。
【０２５８】
これを参照すれば、本発明の第５実施形態に係る放送広告データ自動露出制御システムに備えられた広告データ伝送サーバー１０６は、その内部に通信モジュール、認証処理部、広告データ生成部、挿入データ組合せ部、端末情報管理部、広告主情報管理部、広告費用精算部、認証情報ＤＢ、広告ＤＢ、端末情報ＤＢ、広告主情報ＤＢ、広告費用精算ＤＢ、及び制御部を含んで構成される。
【０２５９】
参照符号１２８は放送出力端末１０２ａ−１０２ｎと、広告主端末１１０ａ−１１０ｎとのデータ通信を通じて各種データのアップロード／ダウンロードを行い、プロトコルマッチングやデータフィルターリングを行うための通信モジュールを示す。
【０２６０】
参照符号１３０は放送出力端末１０２ａ−１０２ｎと、広告主端末１１０ａ−１１０ｎを通じてデータ伝送を行おうとする視聴者及び広告主の真偽を判断するために認証を行う認証処理部を示す。
【０２６１】
参照符号１３２は広告主端末１１０ａ−１１０ｎから広告データを受信して格納し、その広告データに業者イベント情報及びイメージ情報を含むデータを生成し、これを放送出力端末１０２ａ−１０２ｎに伝送するための広告データ生成部を示す。
【０２６２】
参照符号１３４は広告データ生成部１３２と連動して業者イベント情報及びイメージ情報を広告データ内部に挿入するための挿入データ組合せ部を示す。
【０２６３】
参照符号１３５は放送出力端末１０２ａ−１０２ｎから広告視聴の対価として発生した自動応募信号を受信して広告主が提供した各種イベントに対する当選管理を行うイベント当選管理部を示す。
【０２６４】
参照符号１３６は放送出力端末１０２ａ−１０２ｎと、広告主端末１１０ａ−１１０ｎの端末固有コード情報を管理し、受信するデータを固有コード別に分類するための端末情報管理部を示し、参照符号１３８は広告主が予め引き落とした広告費用情報、及び地域情報を含んだ身上情報を管理するための広告主情報管理部を示す。
【０２６５】
参照符号１４０は放送出力端末１０２ａ−１０２ｎを通じて出力される広告データの出力時間に比例して広告費用を精算処理するための広告費用精算部を示す。
【０２６６】
参照符号１４１は放送出力端末１０２ａ−１０２ｎから受信した各視聴者の広告データに対する視聴時間情報を受信し、放送出力端末１０２ａ−１０２ｎ別に累積演算するための広告視聴時間累積演算部を示す。
【０２６７】
参照符号１４２ａは視聴者及び広告主の真偽を判断するための認証情報を格納する認証情報ＤＢを示し、参照符号１４２ｂは広告主端末１１０ａ−１１０ｎから伝送された広告データを格納する広告ＤＢを示す。参照符号１４２ｃは放送出力端末１０２ａ−１０２ｎと、広告主端末１１０ａ−１１０ｎの端末固有コード情報、及びその固有コード情報とマッチングされる地域情報を格納する端末情報ＤＢを示す。
【０２６８】
参照符号１４２ｄは広告主が予め引き落とした広告費用情報、及び地域情報を含んだ身上情報を格納するための広告主情報ＤＢを示し、参照符号１４２ｅは広告主の広告出力費用精算情報を格納するための広告費用精算ＤＢを示す。
【０２６９】
参照符号１４２ｆは放送出力端末１０２ａ−１０２ｎから受信した各視聴者の広告データに対する視聴時間情報を受信し、放送出力端末１０２ａ−１０２ｎ別に累積演算した広告視聴時間累積情報ＤＢを示し、参照符号１４２ｇは広告視聴の対価として与えられた各種イベント及び当選金に対する当選情報を格納するための当選情報ＤＢを示す。
【０２７０】
参照符号１４４は広告主端末１１０ａ−１１０ｎから広告データを受信して格納し、放送出力端末１０２ａ−１０２ｎから広告出力要請信号及び当該端末情報を受信して登録し、広告データに業者イベント情報及びイメージ情報を含んだ広告データを生成し、一定時間間隔で広告データを放送出力端末１０２ａ−１０２ｎに伝送し、その放送出力端末１０２ａ−１０２ｎから伝送された広告視聴時間情報を累積演算し、視聴時間別に多数の応募者群を分類し、その広告視聴時間に比例して広告主との広告費用を精算処理し、各応募者群別に抽選やゲームを通じてある一人の当選者を選定して広告費用を当選金として支払う制御部を示す。
【０２７１】
一方、制御部１４４は放送出力端末１０２ａ−１０２ｎの地域情報を受信し、その固有コードとマッチングさせて地域別に分類することで、広告主が望む地域単位のローカル広告データが各放送出力端末１０２ａ−１０２ｎ別に伝送されるように制御する。
【０２７２】
前述した構成を有する本発明の第５実施形態に係る放送広告データ自動露出制御システムの機能と作用について添付図面を参照して詳細に説明する。
【０２７３】
図１９は本発明の第５実施形態に係る放送広告データ自動露出制御システムの信号流れを示したフローチャートである。
【０２７４】
まず、本発明の第５実施形態に係る放送広告データ自動露出制御システムに含まれた広告データ伝送サーバー１０６は、多数の広告主端末１１０ａ−１１０ｎから広告データを受信して各広告主別に登録し、業者のイベント情報や抽選情報が挿入された広告データを生成する(ＳＴ−１、２)。
【０２７５】
そして、広告データ伝送サーバー１０６は有無線インターネット網で連結された多数の広告データを放送出力端末１０２ａ−１０２ｎに伝送する(ＳＴ−３)。
【０２７６】
この時、広告データ伝送サーバー１０６は一定時間間隔で更新された広告データを放送出力端末１０２ａ−１０２ｎに伝送し、これを放送出力端末１０２ａ−１０２ｎに格納することができ、リアルタイムに広告主から受け付けた時点で当該広告データを放送出力端末１０２ａ−１０２ｎに伝送することも可能である。
【０２７７】
また、広告データ伝送サーバー１０６は放送出力端末１０２ａ−１０２ｎが位置した地域コード情報とマッチングされる広告データだけを別途に選別し、これを放送出力端末１０２ａ−１０２ｎに伝送できる(ＳＴ−４)。
【０２７８】
次に、放送出力端末１０２ａ−１０２ｎは電源がオン状態であるか、また放送データを画面に出力する信号が印加されるかを判断する。即ち、ＩＰＴＶは放送データを画面に出力することができ、特定ＵＲＬのインターネット情報を画面に出力することができるので、放送出力端末１０２ａ−１０２ｎは放送データ出力信号が印加されるかを判断する(ＳＴ−５)。
【０２７９】
万一、放送データ出力信号が印加される状態であれば、放送出力端末１０２ａ−１０２ｎは地上波、衛星放送、ケーブル放送の放送データを画面に出力する(ＳＴ−６)。
【０２８０】
そして、放送出力端末１０２ａ−１０２ｎは内部に既に格納された広告データを抽出し、抽出した広告データがディスプレーされる放送データの下段所定空間に出力する(ＳＴ−７、８)。
【０２８１】
好ましくは、放送出力端末１０２ａ−１０２ｎを通じて画面出力される広告データは格納時に格納順序に基づいて一定の順番を自動で与え、当該順番通り画面に出力するように放送出力端末１０２ａ−１０２ｎに予め設定されている。
【０２８２】
一方、放送出力端末１０２ａ−１０２ｎは各広告データの出力が開始した時点からタイマー２６ａを駆動し、広告出力時間を演算する状態で、視聴者により発生した広告視聴確認信号が受信されるかを判断する(ＳＴ−９)。
【０２８３】
好ましくは、放送出力端末１０２ａ−１０２ｎは画面に各広告データ別に当該広告の出力残余時間を視聴者が確認可能に出力する。したがって、視聴者は各広告データ毎に出力残余時間がゼロ(０)状態になる以前に、広告視聴確認信号を発生させなければならない。
【０２８４】
視聴者が発生させた広告視聴確認信号を受信した場合に、放送出力端末１０２ａ−１０２ｎは広告データの出力時点から広告視聴確認信号が発生した時点まで必要とする時間を自動チェックし、当該広告視聴時間情報を端末固有コードと共に広告データ伝送サーバー１０６に伝送する(ＳＴ−１０、１１)。
【０２８５】
次に、広告データ伝送サーバー１０６は放送出力端末１０２ａ−１０２ｎから広告視聴時間情報及び端末固有コードを受信し、広告視聴時間別に応募者群を分類する(ＳＴ−１２)。
【０２８６】
そして、抽選時間になると広告データ伝送サーバー１０６は各応募者群別に当選者を抽選し、当該当選者が確定されると、その当選内容を放送出力端末１０２ａ−１０２ｎに通報する。そして、広告データ伝送サーバー１０６は各応募者群別当選金をリセット処理する(ＳＴ−１３、１４、１５)。
【０２８７】
したがって、本発明の第５実施形態に係る放送広告データ自動露出制御システムにおいては、視聴者の広告視聴時間に比例して広告主と広告費用に対する合理的な精算を実行できるので、広告主が満足する広告費用を適用させることができる。また、当該広告費用を視聴者に広告視聴の対価として支払うことができるので広告視聴に対する動機づけることができる、広告を視聴した時間別に差別化した当選金を提供することで、広告視聴集中度も向上させることができる。
【０２８８】
以下、本発明の第６実施形態について図面を参照して詳細に説明する。
【０２８９】
図２０は本発明の第６実施形態に係る放送広告データ自動露出制御システムのデータ流れを示したブロック図である。
【０２９０】
これを参照すれば、本発明の第６実施形態に係る放送広告データ自動露出制御システムは放送データ内に含まれたシーン情報及びシナリオ情報を抽出して当該シーン情報またはシナリオ情報とマッチングされる広告データを抽出し、これを画面に出力するように制御することで、広告出力内容に対する視聴者の拒否感を減らすことができるシステムである。
【０２９１】
即ち、本発明の第６実施形態に係る放送広告データ自動露出制御システムは放送データ出力領域２００に出力される放送データと、広告出力領域３００に出力される広告データとの間における内容不一致による副作用を最小化する。このために、放送データが画面に出力する時、その放送データの内容とマッチングされる広告データを自動出力するように制御するシステムである。
【０２９２】
このために、本発明の第６実施形態に係る放送広告データ自動露出制御システムに構成されて放送データを出力する放送出力端末１０２ａ−１０２ｎは、その画面領域１００が放送データを出力する放送データ出力領域２００と、その放送データの内容とマッチングされる広告データを出力する広告出力領域３００に分割している。
【０２９３】
この時、放送出力端末１０２ａ−１０２ｎは広告データを伝送する広告データ伝送サーバー１０６からリアルタイムに広告データを受信して画面領域１００に出力することができ、広告データ伝送サーバー１０６から広告データを予め受信して格納した後、既に格納された広告データを抽出して画面出力できる。特に、本発明の第６実施形態に係る放送広告データ自動露出制御システムにおいては、多数の広告データを放送出力端末１０２ａ−１０２ｎに格納する時、広告主が望むの放送内容情報(例えば、内容コード)を共に格納することで、放送データ出力時に当該放送データの内容とマッチングされる広告データを選別的に抽出して画面出力するように制御する。
【０２９４】
即ち、愛する恋人にの放送データが出力される時点でチョコレート広告データが共に出力されることを望むのチョコレート業者の広告主は、チョコレート広告データを広告データ伝送サーバー１０６にアップロードできる。この時、恋人画面の放送内容コードを選択すると、その広告データは恋人画面の放送内容コードと共に放送出力端末１０２ａ−１０２ｎに格納される。以後、各内容コードを含んでいる放送データの画面出力が検知されると、当該チョコレート広告データを抽出して画面出力するように制御する。
【０２９５】
この時、放送データの内容を示すコード情報は、放送シーンの内容を示すシーンコード情報と、出演者のシナリオ内容に基づいて分類したシナリオコード情報に細分化できる。
【０２９６】
このために、放送データ伝送サーバー１０４で製作される放送データは、その内部に各放送データ内容を示すコード情報(例えば、恋人出演シーン：ＣＤ−０００１、戦うシーン：ＣＤ−０００２、愛を表現するシナリオ：ＣＤ−０１００、怒るシナリオ：ＣＤ−０１０１、シニカルなシナリオ：ＣＤ−０１０２…など)を含んでいる。
【０２９７】
また、広告データ伝送サーバー１０６は、その内部に各放送データ内容を示すコード情報が格納されており、広告主はそのコード情報を閲覧できる。この時、広告主が選択したコード情報とアップロードした広告データを共に連動させて格納する。
【０２９８】
そして、広告主が指定した放送内容コード(広告露出条件情報)を含んだ広告データが広告データ伝送サーバー１０６から放送出力端末１０２ａ−１０２ｎに伝送されて格納され、当該放送データの内容コードを含んだ放送データが放送データ伝送サーバー１０４から伝送され、その内容コードとマッチングされる広告データを内部データ格納部(図１７の１２４参照)から抽出して画面出力するように制御する。したがって、放送出力端末１０２ａ−１０２ｎの内部には広告主が指定した放送内容コードを含んだ広告データを格納するための広告格納領域１０３が備えられている。
【０２９９】
図２１は本発明の第６実施形態に係る放送広告データ自動露出制御システムに備えられた放送出力端末の構成を示したブロック図である。
【０３００】
これを参照すれば、本発明の第６実施形態に係る放送広告データ自動露出制御システムに備えられた放送出力端末１０２ａ−１０２ｎは、その内部に通信モジュール、リモコン情報受信部、画面出力制御部、広告挿入制御部、放送データ出力制御部、マッチングコード抽出部、データ格納部、制御部及びタイマーを含んでいる。
【０３０１】
参照符号１１２は放送アクセスネットワークまたはインターネット網に接続して放送データ伝送サーバー１０４及び広告データ伝送サーバー１０６とのデータ送受信を行い、プロトコルマッチング及びフィルターリングを行う通信モジュールを示す。
【０３０２】
参照符号１１４は視聴者の広告データ出力モード設定信号、広告データの画面比率調整信号、広告データの詳細情報確認信号に対するリモコン信号を受信するためのリモコン情報受信部を示す。
【０３０３】
参照符号１１６は放送出力端末１０２ａ−１０２ｎを通じて出力される放送データ及び広告データの出力を制御し、放送データ及び広告データの画面比率を調整するための画面出力制御部を示し、参照符号１８は画面出力制御部１６と連動して広告データ伝送サーバー１０６から伝送された広告データを画面領域に挿入して出力するように制御する広告挿入制御部を示す。
【０３０４】
参照符号１２０は放送データ伝送サーバー１０４から伝送されたデジタル放送データを受信し、放送出力端末１０２ａ−１０２ｎを通じて出力するように制御する公知の放送データ出力制御部を示す。この放送データ出力制御部１２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除される。しかし、これらはＩＰＴＶの一般的な構成要素であり、放送データ出力制御部１２０は、このようなハードウェア及びＯＳを通じて通常の放送出力機能を行う制御部１２０であるので、その具体的な説明は省略する。
【０３０５】
参照符号１２５は通信モジュール(１１２）を通じて放送データ伝送サーバー１０４から伝送された放送データの内部に含まれたマッチングコード、即ち内容コードを抽出するためのマッチングコード抽出部を示す。
【０３０６】
参照符号１２４は広告データ伝送サーバー１０６から伝送された広告データ及び広告主が指定した出力条件情報(内容コード情報)を格納し、端末固有番号情報を格納し、視聴者の広告データ出力モード設定信号、広告データの画面比率調整信号を受信し、その設定情報を格納するためのデータ格納部を示す。
【０３０７】
参照符号１２６'はリモコン情報受信部１１４を通じて広告データの画面出力に対する視聴者のモード選択信号を受信し、広告データ伝送サーバー１０６から広告データ及び望むの放送内容コードを受信して格納した状態で、広告データを画面に出力するように制御し、放送データ伝送サーバー１０４から当該放送内容コードを含んだ放送データを受信して放送出力し、その内容コードとマッチングされる広告データを選別的に抽出し、当該放送データが出力される同一画面に挿入して出力するように制御する制御部を示す。参照符号１２６ａ’は制御部１２６’の内部に備えられて広告出力時間を演算するためのタイマーを示す。
【０３０８】
また、放送出力端末１０２ａ−１０２ｎを通じて画面出力される広告データは各内容コード別に分類した状態で格納され、その格納順序に基づいて多数の広告データを格納する時には一定の順番を自動で与えると共に、広告データの抽出及び画面出力時には放送データとマッチングされるコード群に分類された広告データをその順番に基づいて抽出して出力するように予め設定されていることが好ましい。
【０３０９】
好ましくは、放送出力端末１０２ａ−１０２ｎは、その内部に広告データ出力を視聴者が設定するためのキー入力部(不図示)、及び広告出力領域３００のサイズに対する比率を調整するためのキー入力部(不図示)やリモコン(不図示）も含んでいる。
【０３１０】
前述した構成を有する本発明の第６実施形態に係る放送広告データ自動露出制御システムの機能と作用について添付図面を参照して詳細に説明する。
【０３１１】
図２２は本発明の第６実施形態に係る放送広告データ自動露出制御システムの信号流れを示したフローチャートである。
【０３１２】
まず、本発明の第６実施形態に係る放送広告データ自動露出制御システムにおいて、放送データ伝送サーバー１０４は放送データの伝送前に各放送シーン別に内容コードやシナリオコードを挿入処理する(ＳＴ−２０)。
【０３１３】
その状態で、放送データ伝送サーバー１０４で管理する各シーン別の内容コードやシナリオコードを広告データ伝送サーバー１０６で共有する。この時、広告主は広告データ伝送サーバー１０６に接続して広告データをアップロードし、当該広告データの出力を望むの内容コードやシナリオコードを選択すると、広告データ伝送サーバー１０６が当該情報を受信する。
【０３１４】
即ち、広告データ伝送サーバー１０６においては、ある放送シーンがどんなコードであるかを放送データ伝送サーバー１０４と共有する。例えば、恋人出演シーン：ＣＤ−０００１、戦うシーン：ＣＤ−０００２、愛を表現するシナリオ：ＣＤ−０１００、怒るシナリオ：ＣＤ−０１０１、シニカルなシナリオ：ＣＤ−０１０２…などで放送シーン別の内容コードとシナリオコードを広告データ伝送サーバー１０６が管理し、広告主は当該情報を閲覧して自分がアップロードした広告データの出力を望むの放送シーンを、内容コード及びシナリオコードの選択により予め設定できる(ＳＴ−２１)。
【０３１５】
次に、広告データ伝送サーバー１０６は当該広告データ及びその広告データが共に出力されることを望むの放送シーン別のコード情報を格納する(ＳＴ−２２)。
【０３１６】
そして、広告データ伝送サーバー１０６は当該広告データ及びその広告データが共に出力されることを望むの放送シーン別のコード情報を各家庭に備えられた放送出力端末１０２ａ−１０２ｎに伝送する(ＳＴ−２３)。
【０３１７】
次に、放送出力端末１０２ａ−１０２ｎは当該情報を格納する。好ましくは、放送出力端末１０２ａ−１０２ｎは各放送シーンの内容コード別に多数の広告データを分類して格納することが良い(ＳＴ−２４)。
【０３１８】
その状態で、放送出力端末１０２ａ−１０２ｎは電源がオン状態であるか、また放送データを画面に出力する信号が印加されるかを判断する。即ち、ＩＰＴＶは放送データを画面に出力することができ、特定ＵＲＬのインターネット情報を画面に出力することができるので、放送出力端末１０２ａ−１０２ｎは放送データ出力信号が印加されるかを判断する。
【０３１９】
万一、放送データ出力信号が印加される状態であれば、放送出力端末１０２ａ−１０２ｎは地上波、衛星放送、ケーブル放送の放送データを画面に出力する(ＳＴ−２５)。
【０３２０】
そして、放送出力端末１０２ａ−１０２ｎは放送データ伝送サーバー１０４から伝送されて出力される放送データから内容コードを抽出する(ＳＴ−２６)。
【０３２１】
次に、放送出力端末１０２ａ−１０２ｎは当該内容コードとマッチングされるコード群に予め格納された任意の広告データを抽出し、抽出したこの広告データがディスプレーされる放送データの下段所定空間に出力する(ＳＴ−２７、２８)。
【０３２２】
好ましくは、放送出力端末１０２ａ−１０２ｎにより抽出される広告データは、当該データの格納時に与えられた順番によって抽出することが良い。
【０３２３】
その状態で、放送出力端末１０２ａ−１０２ｎはリモコン情報受信部(図２１の１４参照)を通じて放送画面転換信号、即ちチャンネル変更信号が印加されるかを判断する(ＳＴ−２９)。
【０３２４】
万一、チャンネル変更信号が印加されると、放送出力端末１０２ａ−１０２ｎは新しく変更されたチャンネルの放送データ内に含まれた内容コードを抽出するために、２６段階に戻す。
【０３２５】
チャンネル変更信号が印加されないと、放送出力端末１０２ａ−１０２ｎは電源オフ信号が印加されるかを判断し、電源オフ信号が印加されないと放送データの各シーンに含まれた内容コードを抽出するための２６段階に復帰し、電源オフ信号が印加されると終了する(ＳＴ−３０)。
【０３２６】
即ち、放送出力端末１０２ａ−１０２ｎはその画面を通じて出力される放送データの内容がシーン別に引き続き変更することができる。しきし、そうでない場合もあるので、リアルタイムに画面出力される放送データに内容コードが含まれていているかを監視しながら、当該内容コードとマッチングされる広告データをデータ格納部１２４から抽出して出力する。
【０３２７】
また、内容コードが変更されない場合、即ち同一な内容のシーン、例えば持続的に恋人が出演するシーンの場合でも、同一な内容コードに多数の広告データが格納されているので、いずれか一つの広告データが全て出力されると、放送出力端末１０２ａ−１０２ｎは次の順位に格納されたもう一つの広告データを抽出して画面出力するように処理する。
【０３２８】
以下、本発明の第７実施形態について図面を参照して詳細に説明する。
【０３２９】
本発明の第７実施形態に係る放送広告データ自動露出制御システムは視聴者が画面に露出した広告データをＰＶＲに格納することで、以降に広告データを画面に出力できるシステムである。
【０３３０】
本発明の第１ないし７実施形態に係る放送広告データ自動露出制御システムに含まれた放送出力端末１０２ａ−１０２ｎは放送データを録画できるＰＶＲ(不図示）が内部に備えられており、本発明に例示した放送出力端末１０２ａ−１０２ｎは多様なデータを臨時に格納するためのデータ格納部(図２１の２４参照)が備えられている。
【０３３１】
本発明の第７実施形態に係る放送広告データ自動露出制御システムに含まれた放送出力端末１０２ａ−１０２ｎは、視聴者のリモコン信号によって画面に出力される広告データを別途にデータ格納部１２４に格納して以降出力できる。この時の格納方式は広告データ自体をコピーしたり、当該広告データのリスト番号または格納順序を格納する方式が好ましい。
【０３３２】
したがって、本発明の第７実施形態に係る放送広告データ自動露出制御システムは放送出力端末１０２ａ−１０２ｎを通じて視聴者がデータ格納部１２４に格納した広告データを以降に閲覧できる。
【０３３３】
前述した構成を有する本発明の第５実施形態に係る放送広告データ自動露出制御システムの機能と作用について添付図面を参照して詳細に説明する。
【０３３４】
図２３は本発明の第７実施形態に係る放送広告データ自動露出制御システムの信号流れを示したフローチャートである。
【０３３５】
まず、本発明の第７実施形態に係る放送広告データ自動露出制御システムに含まれた広告データ伝送サーバー１０６は、多数の広告主端末１１０ａ−１１０ｎから広告データを受信して各広告主別に登録し、業者のイベント情報や抽選情報が挿入された広告データを生成する(ＳＴ−３１、３２)。
【０３３６】
そして、広告データ伝送サーバー１０６は有無線インターネット網で連結された多数の広告データを放送出力端末１０２ａ−１０２ｎに伝送する(ＳＴ−３３)。
【０３３７】
この時、広告データ伝送サーバー１０６は一定時間間隔で更新された広告データを放送出力端末１０２ａ−１０２ｎに伝送し、これを放送出力端末１０２ａ−１０２ｎに格納することができ、リアルタイムに広告主から受け付けた時点で当該広告データを放送出力端末１０２ａ−１０２ｎに伝送することも可能である。
【０３３８】
また、広告データ伝送サーバー１０６はその放送出力端末１０２ａ−１０２ｎが位置した地域コード情報とマッチングされる広告データだけを別途に選別して放送出力端末１０２ａ−１０２ｎに伝送できる(ＳＴ−３４)。
【０３３９】
次に、放送出力端末１０２ａ−１０２ｎは電源がオン状態であるか、また放送データを画面に出力する信号が印加されるかを判断する。即ち、ＩＰＴＶは放送データを画面に出力することができ、特定ＵＲＬのインターネット情報を画面に出力することができるので、放送出力端末１０２ａ−１０２ｎは放送データ出力信号が印加されるかを判断する(ＳＴ−３５)。
【０３４０】
万一、放送データ出力信号が印加される状態であれば、放送出力端末１０２ａ−１０２ｎは地上波、衛星放送、ケーブル放送の放送データを画面に出力する(ＳＴ−３６)。
【０３４１】
そして、放送出力端末１０２ａ−１０２ｎは内部に既に格納された広告データを抽出し、抽出したこの広告データがディスプレーされる放送データの下段所定空間に出力する(ＳＴ−３７、３８)。
【０３４２】
広告データが出力された状態で、放送出力端末１０２ａ−１０２ｎは広告データ格納信号が受信されるかを判断し、広告データ格納信号が受信されないと３６段階に復帰し、広告データ格納信号を受信した場合に当該広告データをコピーしてデータ格納部１２４に格納する。即ち、リアルタイムに当該広告商品を格納することができないため、選別的に広告データを格納し、以降にこれを出力することによって便宜性を向上させることができる。
【０３４３】
好ましくは、放送出力端末１０２ａ−１０２ｎは広告データ自体をコピーしたり、当該広告データのリスト番号または格納順序を格納して以降出力できるようにする(ＳＴ−３９、４０、４１)。
【０３４４】
また、放送出力端末１０２ａ−１０２ｎは格納された特定広告データの出力信号が受信されるかを判断し、格納された特定広告データの出力信号を受信した場合に、当該広告データをデータ格納部１２４から抽出して出力する(ＳＴ−４２、４３)。
【０３４５】
そして、放送出力端末１０２ａ−１０２ｎは電源オフ信号が印加されるかを判断し、電源オフ信号が印加されないと３５段階に復帰し、電源オフ信号が印加された場合には端末をオフにしてフローを終了する(ＳＴ−４４)。
【０３４６】
以下、本発明の第８実施形態について図面を参照して詳細に説明する。
【０３４７】
図２４は本発明の第８実施形態に係る放送広告データ自動露出制御システムに備えられた放送出力端末の構成を示したブロック図である。
【０３４８】
これを参照すれば、本発明の第８実施形態に係る放送広告データ自動露出制御システムは本放送番組の内容に合わせた広告が出力される時にこれを自動で認知し、所定の広告専用チャンネルに自動スイッチングできるようにし、本放送番組の開始信号が抽出されると以前のチャンネルに戻すように制御することで、広告視聴に対する対価を視聴者に与えることができるシステムである。
【０３４９】
即ち、本発明の第８実施形態に係る放送広告データ自動露出制御システムはケーブル放送のように特定広告専用チャンネルを確保した状態で、地上波(韓国のＫＢＳ、ＭＢＣ、ＳＢＳ)やケーブル放送チャンネルの本放送番組のうち広告データが送出されると、これを検知して当該時点で自動で予め特定広告専用チャンネルにチャンネルスイッチングさせ、ドラマやニュースなどの本放送番組の開始によって元のチャンネルに復帰させるシステムである。
【０３５０】
本発明の第８実施形態に係る放送広告データ自動露出制御システムにおいては、放送番組のうち広告データの出力が開始する時点と、ドラマやニュース、映画などの本放送番組の出力が開始する時点を把握しなければならない。このために、各放送チャンネル別番組編成表(ＥＰＧ）の時間情報を利用したり、キユートーン（Ｑｕｅ−ｔｏｎｅ）信号や各番組別に開始及び終了を示す信号を利用して自動スイッチングさせる。
【０３５１】
即ち、現在視聴する放送チャンネルに広告放送が出力される時点で自動で予め設定された広告専用チャンネルにスイッチングさせることで、広告視聴の対価を視聴者に支払うようにする。
【０３５２】
したがって、本発明の第８実施形態に係る放送広告データ自動露出制御システムに含まれた放送出力端末１０２ａ−１０２ｎには自動チャンネルスイッチングのための特定広告チャンネル番号が設定されており、放送データ伝送サーバー１０４から送出される放送番組の編成表に含まれた番組時間情報やキユートーンシグナル情報、番組開始及び終了シグナル情報を通じて特定条件(例えば、元の放送番組チャンネルに広告が出力される時点または電源オンや電源オフ時点）を満たした時点で、予め設定された特定広告チャンネルに自動スイッチングされ、元の放送番組チャンネルにおいて放送番組(ドラマ、映画、及びニュースなど、広告ではない番組の内容）が開始する時点で、自動で元の放送チャンネルに戻すように設定されている。
【０３５３】
このために、本発明の第８実施形態に係る放送広告データ自動露出制御システムに含まれた放送出力端末１０２ａ−１０２ｎは、その内部に通信モジュール、リモコン情報受信部、画面出力制御部、チャンネルスイッチング制御部、放送データ出力制御部、データ格納部、制御部及びタイマーを含んでいる。
【０３５４】
参照符号１１２は放送アクセスネットワークまたはインターネット網に接続して放送データ伝送サーバー１０４及び広告データ伝送サーバー１０６とのデータ送受信を行い、プロトコルマッチング及びフィルターリングを行う通信モジュールを示す。
【０３５５】
参照符号１１４は視聴者の広告データ出力モード設定信号に対するリモコン信号を受信するためのリモコン情報受信部を示す。
【０３５６】
参照符号１１６は放送出力端末１０２ａ−１０２ｎを通じて出力される放送データの出力を制御するための画面出力制御部を示し、参照符号１１９は画面出力制御部１１６と連動して視聴する放送チャンネルと、予め設定された特定広告専用チャンネルを自動でスイッチングするためのチャンネルスイッチング制御部を示す。
【０３５７】
参照符号１２０は放送データ伝送サーバー１０４から伝送されたデジタル放送データを受信し、放送出力端末１０２ａ−１０２ｎを通じて出力するように制御する公知の放送データ出力制御部を示す。この放送データ出力制御部１２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除されるが、これらはＩＰＴＶの一般的な構成要素であり、放送データ出力制御部１２０はこのようなハードウェア及びＯＳを通じて通常の放送出力機能を行う制御部１２０であるので、その具体的な説明は省略する。
【０３５８】
参照符号１２４は広告データ伝送サーバー１０６で広告主から受け付けた多数の広告データを通じて構築した特定広告専用チャンネルに対するチャンネル番号を格納し、自動スイッチング条件情報(番組編成表の時間情報、キユートーン情報値、放送番組の開始及び終了シグナル値…など）を格納し、端末固有番号情報を格納し、視聴者の広告データ出力モード設定信号を格納するためのデータ格納部を示す。
【０３５９】
参照符号１２６はリモコン情報受信部１１４を通じて広告チャンネルへの自動スイッチングに対する視聴者のモード選択信号が印加されて、特定広告専用チャンネル番号を設定した状態で、放送データ伝送サーバー１０４から当該放送番組の開始及び終了に対するシグナル情報が含まれた放送データを受信して放送出力し、当該チャンネルに広告データが出力される時点で予め設定された広告専用チャンネルに自動スイッチングされるように制御し、本放送チャンネルの放送番組開始信号を受信すると元の放送チャンネルに戻すようにチャンネル自動スイッチングを制御するための制御部を示す。
【０３６０】
前述した構成を有する本発明の第８実施形態に係る放送広告データ自動露出制御システムの機能と作用について添付図面を参照して詳細に説明する。
【０３６１】
図２５と２６は本発明の第８実施形態に係る放送広告データ自動露出制御システムの信号流れを示したフローチャートである。
【０３６２】
まず、図２５を参照すれば、本発明の第８実施形態に係る放送広告データ自動露出制御システムに含まれた放送出力端末１０２ａ−１０２ｎを通じて視聴者の自動スイッチングモード設定信号が印加されると、放送出力端末１０２ａ−１０２ｎはチャンネルスイッチング条件及び自動スイッチングしよとする特定チャンネル番号が設定され、その設定情報が格納される。
【０３６３】
即ち、放送出力端末１０２ａ−１０２ｎには、その製作時に予めチャンネルスイッチング条件及び広告専用チャンネル番号が含まれており、視聴者のモード選択によって設定状態をアクティブにする(ＳＴ−５０、５１)。
【０３６４】
この時、チャンネル自動スイッチング条件は番組編成表の時間情報、キユートーン情報値、放送番組の開始及び終了シグナル値を通じて、現在視聴する放送チャンネルに広告放送が出力される時点である。即ち、現在視聴する放送チャンネルに広告放送が出力される時点で自動で予め設定された広告専用チャンネルにスイッチングさせることで、広告視聴の対価を視聴者に支払うようにする。
【０３６５】
現在の放送チャンネルにおいては、広告放送が出力されても広告視聴に対する対価が視聴者に提供されない。したがって、本システムは広告主から提供された広告データを専用に出力するチャンネルを確保し、特定スイッチング条件を満たすと自動で当該広告専用チャンネルにスイッチングさせて広告主の広告費用を視聴者に提供できるようにするためのシステムである。
【０３６６】
したがって、放送出力端末１０２ａ−１０２ｎは電源がオン状態であるか、また放送データを画面に出力する信号が印加されるかを判断する。即ち、ＩＰＴＶは放送データを画面に出力することができ、特定ＵＲＬのインターネット情報を画面に出力することができるので、放送出力端末１０２ａ−１０２ｎは放送データ出力信号が印加されるかを判断する(ＳＴ−５２)。
【０３６７】
万一、放送データ出力信号が印加される状態であれば、放送出力端末１０２ａ−１０２ｎは地上波、衛星放送、ケーブル放送の放送データを画面に出力する(ＳＴ−５３)。
【０３６８】
その状態で、放送出力端末１０２ａ−１０２ｎは当該放送チャンネルで広告キユートーン信号または番組編成表を通した広告放送出力時点になったか否かを判断し、広告放送出力時点になった場合に放送出力端末１０２ａ−１０２ｎは、自動で元の放送チャンネル番号をメモリする(ＳＴ−５４、５５)。
【０３６９】
そして、放送出力端末１０２ａ−１０２ｎは予め設定された広告専用チャンネルに画面を自動スイッチングして、広告専用放送を画面に出力させる(ＳＴ−５６、５７)。
【０３７０】
次に、放送出力端末１０２ａ−１０２ｎは当該放送チャンネルで広告キユートーン信号または番組編成表を通した放送番組開始時点になったか否かを判断し、放送番組開始時点になった場合に放送出力端末１０２ａ−１０２ｎは、自動で予めメモリした元の放送チャンネルに戻すように制御する(ＳＴ−５８、５９)。
【０３７１】
一方、放送出力端末１０２ａ−１０２ｎは当該復帰時点まで視聴した各視聴者の広告チャンネル視聴時間情報を遠隔の広告データ伝送サーバー１０６に伝送して広告視聴に対する対価を支払うことが好ましい。例えば、広告視聴に対する対価は各種イベントや当選金に対する自動応募を通じて当選されたユーザーに与えられる恵沢であり得る。
【０３７２】
図２６を参照すれば、本発明の第８実施形態に係る放送広告データ自動露出制御システムに含まれた放送出力端末１０２ａ−１０２ｎを通じて視聴者の自動スイッチングモード設定信号が印加されると、放送出力端末１０２ａ−１０２ｎにはチャンネルスイッチング条件及び自動スイッチングしよとする特定チャンネル番号が設定され、その設定情報が格納される。
【０３７３】
即ち、放送出力端末１０２ａ−１０２ｎにはその製作時に予めチャンネルスイッチング条件及び広告専用チャンネル番号が含まれており、視聴者のモード選択によって設定状態をアクティブにする(ＳＴ−６０、６１)。
【０３７４】
この時、図２６に例示するチャンネル自動スイッチング条件は放送出力端末１０２ａ−１０２ｎの電源オンまたはオフ時点の検知可否である。即ち、放送出力端末１０２ａ−１０２ｎの電源オンまたはオフ時点で一定時間自動で予め設定された広告専用チャンネルにスイッチングさせることで、広告視聴の対価を視聴者に支払うようにするためである。
【０３７５】
したがって、放送出力端末１０２ａ−１０２ｎは電源がオンされたか否かを判断し、電源がオンされた場合は、その時点で画面を通じて出力されるチャンネル番号をメモリする(ＳＴ−６２、６３)。
【０３７６】
そして、放送出力端末１０２ａ−１０２ｎは予め設定された広告専用チャンネルに画面を自動スイッチングして、広告専用放送を画面に出力させる(ＳＴ−６４)。
【０３７７】
次に、放送出力端末１０２ａ−１０２ｎは予め設定された出力制限時間になったかを判断し、出力制限時間になった場合に放送出力端末１０２ａ−１０２ｎは、自動で予めメモリした元の放送チャンネルに戻すように制御する(ＳＴ−６５、６６)。
【０３７８】
また、放送出力端末１０２ａ−１０２ｎは電源オフ信号が印加されたのかを判断し、電源オフ信号が印加された場合は、その時点で予め設定された広告専用チャンネルに画面を自動スイッチングして、広告専用放送を画面に出力させる(ＳＴ−６７、６８)。
【０３７９】
次に、放送出力端末１０２ａ−１０２ｎは予め設定された出力制限時間になったかを判断し、出力制限時間になった場合に放送出力端末１０２ａ−１０２ｎは、自動で端末の電源をオフさせる(ＳＴ−６９、７０)。
【０３８０】
以下、本発明の第９実施形態について図面を参照して詳細に説明する。
【０３８１】
図２７は本発明の第９実施形態に係る放送広告データ自動露出制御システムに備えられた放送出力端末の構成を示したブロック図である。
【０３８２】
これを参照すれば、本発明の第９実施形態に係る放送広告データ自動露出制御システムは遠隔の他の家庭でもＩＰＴＶをログインできるようにすることで、他の家庭の訪問詩にも当該視聴者のＩＤを利用して広告視聴に対する対価を受け取ることができるシステムである。
【０３８３】
このために、本発明の第９実施形態に係る放送広告データ自動露出制御システムにはユーザーＩＤを入力して放送データ及び広告データを出力するための放送出力端末１０２ａ−１０２ｎが提供されており、予め多数の広告主端末１１０ａ−１１０ｎから伝送された広告データを格納し、この広告データを放送出力端末１０２ａ−１０２ｎに伝送し、放送出力端末１０２ａ−１０２ｎから視聴者ＩＤ及び広告視聴時間情報を受信して当該ＩＤ別に広告視聴時間を累積し、広告視聴時間別に差等の対価を提供する広告データ伝送サーバー１０６が構成される。また、放送データを放送出力端末１０２ａ−１０２ｎに送出するための放送データ伝送サーバー１０４が構成される。
【０３８４】
この時、広告データ伝送サーバー１０６において、他の端末固有番号にそれぞれ同一なＩＤが重複して検知されても当該ＩＤに基づいて広告視聴時間を合算し、これを累積演算することが好ましい。
【０３８５】
一方、本発明の第９実施形態に係る放送広告データ自動露出制御システムに含まれた放送出力端末１０２ａ−１０２ｎは、その内部に通信モジュール、リモコン情報受信部、画面出力制御部、広告挿入制御部、放送データ出力制御部、ＩＤ／固有番号管理部、データ格納部、制御部及びタイマーを含んでいる。
【０３８６】
参照符号１１２は放送アクセスネットワークまたはインターネット網に接続して放送データ伝送サーバー１０４及び広告データ伝送サーバー１０６とのデータ送受信を行い、プロトコルマッチング及びフィルターリングを行う通信モジュールを示す。
【０３８７】
参照符号１１４は視聴者の広告データ出力モード設定信号、広告データの画面比率調整信号、視聴者ＩＤ情報入力信号に対するリモコン信号を受信するためのリモコン情報受信部を示す。
【０３８８】
参照符号１１６は放送出力端末１０２ａ−１０２ｎを通じて出力される放送データ及び広告データの出力を制御し、放送データ及び広告データの画面比率を調整するための画面出力制御部を示し、参照符号１１８は画面出力制御部１１６と連動して広告データ伝送サーバー１０６から伝送された広告データを画面領域に挿入して出力するように制御する広告挿入制御部を示す。
【０３８９】
参照符号１２０は放送データ伝送サーバー１０４から伝送されたデジタル放送データを受信し、これを放送出力端末１０２ａ−１０２ｎを通じて出力するように制御する公知の放送データ出力制御部を示す。この放送データ出力制御部１２０は通常のＳＴＢ(不図示)に搭載されたハードウェア及びソフトウェアの構成を有している。一般的なデジタル放送データはＭＰＥＧバージョンに圧縮され、ＳＴＢ内部に構成されたデコーダー(不図示)を通じて圧縮が解除されるが、これらはＩＰＴＶの一般的な構成要素であり、放送データ出力制御部１２０はこのようなハードウェア及びＯＳを通じて通常の放送出力機能を行う制御部１２０であるので、その具体的な説明は省略する。
【０３９０】
参照符号１２７はリモコン情報受信部１４を通じて受信した視聴者ＩＤ情報を受信して管理し、端末固有番号を管理するためのＩＤ／固有番号管理部を示す。このＩＤ／固有番号管理部１２７に入力された視聴者ＩＤは再び変更する前まで当該ＩＤが設定維持される。広告データ伝送サーバー１０８においては、他の端末固有番号にそれぞれ同一なＩＤが重複して検知されても当該ＩＤに基づいて広告視聴時間を合算し、これを累積演算する。
【０３９１】
参照符号１２４は広告データ伝送サーバー１０６から伝送された広告データを格納し、端末固有番号情報と視聴者が設定したＩＤ情報を格納し、視聴者の広告データ出力モード設定信号、広告データの画面比率調整信号を受信し、その設定情報を格納するためのデータ格納部を示す。
【０３９２】
参照符号１２６はリモコン情報受信部１４を通じて広告データの画面出力に対する視聴者のモード選択信号及び視聴者ＩＤ情報を受信して当該端末に設定し、広告データ伝送サーバー１０６から広告データを受信して格納した状態で、放送データ伝送サーバー１０４から放送データを受信して放送出力し、同広告データを画面に出力するように制御し、一定時間間隔で広告視聴時間情報を端末固有番号と共に広告データ伝送サーバー１０６に伝送する制御部を示す。
【０３９３】
好ましくは、放送出力端末１０２ａ−１０２ｎは、その内部に広告データ出力モード及び視聴者ＩＤを当該端末に設定するためのキー入力部(不図示)、及び広告出力領域３００のサイズに対する比率を調整するためのキー入力部(不図示)やリモコン(不図示）が含まれている。
【０３９４】
図２８は本発明の第９実施形態に係る放送広告データ自動露出制御システムに備えられた広告データ伝送サーバーの構成を示したブロック図である。
【０３９５】
これを参照すれば、本発明の第９実施形態に係る放送広告データ自動露出制御システムに備えられた広告データ伝送サーバー１０６は、その内部に通信モジュール、認証／アカウント処理部、広告データ生成部、挿入データ組合せ部、端末情報管理部、広告主情報管理部、広告費用精算部、ＩＤ別広告視聴時間累積演算部、認証／アカウント情報ＤＢ、広告ＤＢ、端末情報ＤＢ、広告主情報ＤＢ、広告費用精算ＤＢ、ＩＤ別広告視聴時間累積情報ＤＢ、当選情報ＤＢ、及び制御部を含んで構成される。
【０３９６】
参照符号１２８は放送出力端末１０２ａ−１０２ｎと、広告主端末１１０ａ−１１０ｎとのデータ通信を通じて各種データのアップロード／ダウンロードを行い、プロトコルマッチングやデータフィルターリングを行うための通信モジュールを示す。
【０３９７】
参照符号１３０は放送出力端末１０２ａ−１０２ｎと、広告主端末１１０ａ−１１０ｎを通じてデータ伝送を行おうとする視聴者のＩＤをアカウントしたり、認証するための認証／アカウント処理部を示す。
【０３９８】
参照符号１３２は広告主端末１１０ａ−１１０ｎから広告データを受信して格納し、その広告データに業者のイメージや広告商品イメージ、各種イメージ情報を含めて放送出力端末１０２ａ−１０２ｎに伝送するために最終広告データを生成する広告データ生成部を示す。
【０３９９】
参照符号１３４は広告データ生成部１３２と連動して業者イベント情報及びイメージ情報を広告データ内部に挿入するための挿入データ組合せ部を示し、参照符号１３６は放送出力端末１０２ａ−１０２ｎと、広告主端末１１０ａ−１１０ｎの端末固有コード情報及び視聴者ＩＤ情報を管理し、受信するデータを固有コード別または視聴者ＩＤ別に分類するための端末情報管理部を示し、参照符号１３８は広告主が引き落とした広告費用情報、及び地域情報を含んだ身上情報を管理するための広告主情報管理部を示す。
【０４００】
参照符号１４０は放送出力端末１０２ａ−１０２ｎを通じて出力される広告データの出力時間に比例して広告主に請求する広告費用を演算し、精算処理するための広告費用精算部を示し、参照符号１４３は放送出力端末１０２ａ−１０２ｎから伝送されたＩＤ情報及び広告視聴時間情報を受信して各ＩＤ別に広告視聴時間情報を累積演算するためのＩＤ別広告視聴時間累積演算部を示す。
【０４０１】
参照符号１４２ａは視聴者ＩＤのアカウント及び認証情報を格納するための認証情報ＤＢを示し、参照符号１４２ｂは広告主端末１１０ａ−１１０ｎから伝送された広告データを格納する広告ＤＢを示す。参照符号１４２ｃは放送出力端末１０２ａ−１０２ｎと、広告主端末１１０ａ−１１０ｎの端末固有コード情報と、ＩＤ情報及びその固有コード情報とマッチングされる地域情報を格納する端末情報ＤＢを示す。
【０４０２】
参照符号１４２ｄは広告主が予め引き落とした広告費用情報、及び地域情報を含んだ身上情報を格納するための広告主情報ＤＢを示し、参照符号１４２ｅは広告主の広告出力費用精算情報を格納するための広告費用精算ＤＢを示す。
【０４０３】
参照符号１４２ｆは広告視聴時間情報を各ＩＤ別に累積格納するためのＩＤ別広告視聴時間累積情報ＤＢを示し、参照符号１４２ｇは統合した広告視聴時間に比例して広告主から提供された費用を抽選やゲームを通じて当選者に提供する情報を格納する当選情報ＤＢを示す。
【０４０４】
参照符号１４４は広告主端末１１０ａ−１１０ｎから広告データを受信して格納し、放送出力端末１０２ａ−１０２ｎから広告出力モード信号及び当該端末情報、視聴者ＩＤ情報を受信して登録し、広告データに業者イベント情報及びイメージ情報を含んだ広告データを生成し、一定時間間隔で広告データを放送出力端末１０２ａ−１０２ｎに伝送し、その放送出力端末１０２ａ−１０２ｎから視聴者ＩＤ情報及び広告視聴時間情報を受信して累積演算し、抽選やゲームを通じてある一人の当選者を選定して広告費用を当選金として支払う制御部を示す。
【０４０５】
前述した構成を有する本発明の第９実施形態に係る放送広告データ自動露出制御システムの機能と作用について添付図面を参照して詳細に説明する。
【０４０６】
図２９は本発明の第９実施形態に係る放送広告データ自動露出制御システムの信号流れを示したフローチャートである。
【０４０７】
まず、本発明の第９実施形態に係る放送広告データ自動露出制御システムに含まれた広告データ伝送サーバー１０６は、多数の広告主端末１１０ａ−１１０ｎから広告データを受信して各広告主別に登録し、業者のイベント情報や抽選情報が挿入された広告データを生成する(ＳＴ−７１、７２)。
【０４０８】
その状態で、広告データ伝送サーバー１０６はいずれか一つの放送出力端末１０２ａ−１０２ｎからＩＤアカウント信号が受信されるかを判断し、ＩＤアカウント信号が受信されると当該視聴者の身上情報を受信してＩＤをアカウント処理する(ＳＴ−７３、７４)。
【０４０９】
そして、広告データ伝送サーバー１０６は当該放送出力端末１０２ａ−１０２ｎに予め格納された広告データを伝送する(ＳＴ−７５)。
【０４１０】
その状態で、広告データ伝送サーバー１０６はいずれか一つの放送出力端末１０２ａ−１０２ｎからＩＤ情報が受信されるかを判断する。この時、ＩＤ情報が受信されないと当該放送出力端末１０２ａ−１０２ｎは一般モードで放送を出力する(ＳＴ−７７、７８)。
【０４１１】
反面に、広告データ伝送サーバー１０６がいずれか一つの放送出力端末１０２ａ−１０２ｎからＩＤ情報を受信した場合に、広告データ伝送サーバー１０６は当該視聴者ＩＤを認証し、当該放送出力端末１０２ａ−１０２ｎが広告出力モードに自動転換するように制御する(ＳＴ−７９、８０)。
【０４１２】
その状態で、放送出力端末１０２ａ−１０２ｎは電源がオン状態であるか、また放送データを画面に出力する信号が印加されるかを判断する。即ち、ＩＰＴＶは放送データを画面に出力することができ、特定ＵＲＬのインターネット情報を画面に出力することができるので、放送出力端末１０２ａ−１０２ｎに放送データ出力信号が印加されるかを判断する(ＳＴ−８１)。
【０４１３】
万一、放送データ出力信号が印加される状態であれば、放送出力端末１０２ａ−１０２ｎは地上波、衛星放送、ケーブル放送の放送データを画面に出力する(ＳＴ−８２)。
【０４１４】
そして、放送出力端末１０２ａ−１０２ｎは内部に既に格納された広告データを抽出し、抽出した広告データがディスプレーされる放送データの下段所定空間に出力する(ＳＴ−８４)。
【０４１５】
一方、放送出力端末１０２ａ−１０２ｎは各広告データの出力が開始した時点からタイマー２６ａを駆動する。広告出力時間を演算する状態で、視聴者により発生した広告視聴確認信号が受信されると、当該広告視聴時間情報を端末固有コード及び視聴者ＩＤ情報と共に広告データ伝送サーバー１０６に伝送する(ＳＴ−８５、８６、８７)。
【０４１６】
次に、広告データ伝送サーバー１０６は放送出力端末１０２ａ−１０２ｎから広告視聴時間情報及び端末固有コードを受信し、広告視聴時間別に応募者群を分類する(ＳＴ−８８)。
【０４１７】
そして、抽選時間になると広告データ伝送サーバー１０６は各応募者群別に当選者を抽選し、当該当選者が確定されると、その当選内容を放送出力端末１０２ａ−１０２ｎに通報する。そして、広告データ伝送サーバー１０６は各応募者群別当選金をリセット処理する(ＳＴ−８９、９０、９１)。
【０４１８】
以下、本発明の第１０実施形態について図面を参照して詳細に説明する。
【０４１９】
本発明の第１０実施形態に係る放送広告データ自動露出制御システムは自分の広告視聴に対するイベント参加または抽選参加の機会を他人に譲渡することで、譲渡を受けた者の当選確率を高めることができるシステムである。
【０４２０】
即ち、本発明の第１０実施形態に係る放送広告データ自動露出制御システムは各視聴者のＩＤ別に広告視聴時間情報を管理し、その広告視聴時間別に応募者群を分類して抽選処理を行い、当選者を確定するための広告データ伝送サーバー１０６の動作により、視聴者の要求で当該ＩＤ別に累積された広告視聴時間を他人に譲渡できるシステムである。それによって、ある一人の視聴者に多数視聴者の広告視聴時間が積立金の形態で譲渡されると、より多くの当選金が配当されている応募者群に分類して抽選することができ、譲渡を受けた視聴者がその広告視聴時間を多数回分割して応募することで、当選確率をさらに高めることができる。
【０４２１】
したがって、本発明の第１０実施形態に係る放送広告データ自動露出制御システムにおいては、ユーザーＩＤを入力して放送データ及び広告データを出力するための放送出力端末１０２ａ−１０２ｎが提供されており、予め多数の広告主端末１１０ａ−１１０ｎから伝送された広告データを格納し、この広告データを放送出力端末１０２ａ−１０２ｎに伝送し、放送出力端末１０２ａ−１０２ｎから視聴者ＩＤ及び広告視聴時間情報を受信し、当該ＩＤ別に広告視聴時間を累積して広告視聴時間別に差等の対価を提供するようにし、ＩＤ別広告視聴時間を他人に譲渡できるように制御する広告データ伝送サーバー１０６が構成され、放送データを放送出力端末１０２ａ−１０２ｎに送出するための放送データ伝送サーバー１０４が構成される。
【０４２２】
図３０は本発明の第１０実施形態に係る放送広告データ自動露出制御システムの信号流れを示したフローチャートである。
【０４２３】
まず、本発明の第１０実施形態に係る放送広告データ自動露出制御システムに含まれた広告データ伝送サーバー１０６は、放送出力端末１０２ａ−１０２ｎを通じてＩＤ別広告視聴時間情報を受信して累積処理する(ＳＴ−１００)。
【０４２４】
その状態で、広告データ伝送サーバー１０６は放送出力端末１０２ａ−１０２ｎからＩＤ情報が受信されるかを判断し、ＩＤ情報が受信されると当該ＩＤを認証処理する(ＳＴ−１０１、１０２)。
【０４２５】
そして、広告データ伝送サーバー１０６は放送出力端末１０２ａ−１０２ｎから譲渡を受けた者のＩＤ情報及び広告視聴時間譲渡信号が印加されるかを判断し、譲渡信号が印加された場合に広告データ伝送サーバー１０６は当該譲渡者のＩＤと連動して格納された広告視聴時間を抽出して譲渡処理する。そして、広告データ伝送サーバー１０６は当該譲渡情報を格納する(ＳＴ−１０３、１０４、１０５、１０６)。
【０４２６】
その状態で、広告データ伝送サーバー１０６は放送出力端末１０２ａ−１０２ｎから応募信号が受信されるかを判断し、応募信号が受信されると当該広告視聴時間別に分類された応募者群別に当選者を抽選処理する(ＳＴ−１０７、１０８、１０９)。
【０４２７】
そして、広告データ伝送サーバー１０６は当選情報を当該当選者の放送出力端末１０２ａ−１０２ｎに通知し、当選者が確定された当該応募者群の当選金をリセット処理する(ＳＴ−１１０、１１１)。
【０４２８】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【０４２９】
２ａ〜２ｎ        放送出力端末
４                放送データ伝送サーバー
６                広告データ伝送サーバー
１０ａ〜１０ｂ    広告主端末
１００            画面出力領域
２００            放送データ出力領域、
３００            広告出力領域。
【図１】
2011514069.tif 000003
【図２】
2011514069.tif 000004
【図３】
2011514069.tif 000005
【図４】
2011514069.tif 000006
【図５】
2011514069.tif 000007
【図６】
2011514069.tif 000008
【図７】
2011514069.tif 000009
【図８】
2011514069.tif 000010
【図９】
2011514069.tif 000011
【図１０】
2011514069.tif 000012
【図１１】
2011514069.tif 000013
【図１２】
2011514069.tif 000014
【図１３】
2011514069.tif 000015
【図１４】
2011514069.tif 000016
【図１５】
2011514069.tif 000017
【図１６】
2011514069.tif 000018
【図１７】
2011514069.tif 000019
【図１８】
2011514069.tif 000020
【図１９】
2011514069.tif 000021
【図２０】
2011514069.tif 000022
【図２１】
2011514069.tif 000023
【図２２】
2011514069.tif 000024
【図２３】
2011514069.tif 000025
【図２４】
2011514069.tif 000026
【図２５】
2011514069.tif 000027
【図２６】
2011514069.tif 000028
【図２７】
2011514069.tif 000029
【図２８】
2011514069.tif 000030
【図２９】
2011514069.tif 000031
【図３０】
2011514069.tif 000032
【国際調査報告】
2011514069.tif 000033
2011514069.tif 000034
2011514069.tif 000035
2011514069.tif 000036